(57)【要約】  本願は、通信システムにおいて伝送される基準信号により占有されるリソースの比較的高いオーバヘッドについての従来技術の問題を解決するための基準信号伝送方法及び装置を提供する。方法は、送信デバイスにより、１つのポートに対応する１つの基準信号グループを第１時間シンボルに構成し、ポートに対応する１つの基準信号を、第１時間シンボルを除く時間シンボルのそれぞれに構成する。これは、受信デバイスがポートのチャネルパラメータを取得できることを保証する一方、通信システムにおいて伝送される基準信号により占有されるリソースのオーバヘッドを低減させるとともにサービスデータ伝送効率を向上させる。
2019519970.tif 000002
【特許請求の範囲】
【請求項１】
基準信号伝送方法であって、
送信デバイスにより、前記送信デバイスの第１ポートのための基準信号の構成情報を取得する段階であって、前記構成情報は、前記第１ポートに対応する前記基準信号により占有されるリソースの位置を示すべく用いられ、前記構成情報は、時間領域において、第１時間シンボルの位置を有し、周波数領域において、特定の帯域幅の範囲内のサブキャリアグループにあり、かつ、前記第１時間シンボルに対応する各サブキャリアの位置と、前記帯域幅の範囲内にあり、かつ、前記第１時間シンボルを除く、前記リソースにより占有される期間内の時間シンボルのそれぞれに対応するサブキャリアの位置とを有し、前記サブキャリアグループは複数のサブキャリアを有し、前記帯域幅の範囲は前記送信デバイスにより構成され、前記帯域幅の範囲は複数のサブキャリアを有する、段階と、
前記送信デバイスにより、前記第１ポートに対応する前記基準信号を、前記構成情報により示される前記リソース上で送信する段階と
を備える方法。
【請求項２】
送信デバイスにより第１時間シンボルの位置を前記取得する段階は、
前記送信デバイスにより、前記第１ポートのポート番号を取得し、格納されたポート番号と時間シンボルの位置との間の対応関係に基づいて、前記第１ポートの前記ポート番号に対応する前記第１時間シンボルの前記位置を決定する段階、又は、
前記送信デバイスにより、前記第１ポートの前記ポート番号ｌ、前記リソースのタイムスロット番号Ｓｌｏｔ_ＩＤ、前記送信デバイスのセル番号Ｃｅｌｌ_ＩＤ、及び受信デバイス番号ＵＥ_ＩＤのうちの任意の１つ又は組み合わせに基づいて、前記第１時間シンボルの前記位置を決定する段階
を有する、請求項１に記載の方法。
【請求項３】
送信デバイスにより、サブキャリアグループにあり、かつ、前記第１時間シンボルに対応する各サブキャリアの位置を前記取得する段階は、
前記送信デバイスにより、ｌ、Ｓｌｏｔ_ＩＤ、Ｃｅｌｌ_ＩＤ、及びＵＥ_ＩＤのうちの任意の１つ又は組み合わせに基づいて、前記サブキャリアグループにあり、かつ、前記第１時間シンボルに対応する各サブキャリアの前記位置を決定する段階、又は、
前記送信デバイスにより、ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、前記サブキャリアグループにあり、かつ、前記第１時間シンボルに対応する各サブキャリアの前記位置を決定する段階
を有する、請求項２に記載の方法。
【請求項４】
送信デバイスにより、前記帯域幅の範囲内にあり、かつ、前記第１時間シンボルを除く、期間内の時間シンボルのそれぞれに対応するサブキャリアの位置を前記取得する段階は、
前記送信デバイスにより、ｌと、前記期間内の第２時間シンボルの位置ｕ、Ｓｌｏｔ_ＩＤ、Ｃｅｌｌ_ＩＤ、及びＵＥ_ＩＤのうちの任意の１つ又は組み合わせとに基づいて、前記帯域幅の範囲内にあり、かつ、前記第２時間シンボルに対応するサブキャリアの位置を決定する段階であって、前記第２時間シンボルは、前記第１時間シンボル以外の前記期間内の任意の時間シンボルである、段階を有する、請求項１から３のいずれか一項に記載の方法。
【請求項５】
基準信号伝送方法であって、
受信デバイスにより、送信デバイスのスケジューリング情報を取得する段階であって、前記スケジューリング情報は、第１ポートのポート番号ｌ及び前記送信デバイスにより構成された帯域幅の範囲を有し、前記帯域幅の範囲は複数のサブキャリアを有する、段階と、
前記受信デバイスにより、前記スケジューリング情報に基づいて前記第１ポートのための基準信号の構成情報を取得する段階であって、前記構成情報は、前記第１ポートに対応する前記基準信号により占有されるリソースの位置を示すべく用いられ、前記構成情報は、時間領域において、第１時間シンボルの位置を有し、周波数領域において、前記帯域幅の範囲内のサブキャリアグループにあり、かつ、前記第１時間シンボルに対応する各サブキャリアの位置と、前記帯域幅の範囲内にあり、かつ、前記第１時間シンボルを除く、前記リソースにより占有される期間内の時間シンボルのそれぞれに対応するサブキャリアの位置とを有し、各ポートに対応する前記第１時間シンボルに対応するサブキャリアグループは複数のサブキャリアを含む、段階と、
前記受信デバイスにより、前記送信デバイスにより送信された前記第１ポートに対応する前記基準信号を前記リソース上で受信する段階と、
前記受信デバイスにより、前記サブキャリアグループにあり、かつ、前記第１時間シンボルに対応する各サブキャリア上で受信された基準信号に基づいてチャネル推定を実行し、前記サブキャリアグループにあり、かつ、前記第１時間シンボルに対応する各サブキャリアのチャネルパラメータを決定する段階と、
前記帯域幅の範囲内にあり、他の時間シンボルのそれぞれに対応する前記サブキャリア上で受信された基準信号に基づいてチャネル推定を実行し、前記他の時間シンボルのそれぞれに対応する前記サブキャリアのチャネルパラメータを決定する段階と、
前記受信デバイスにより、前記サブキャリアグループにあり、かつ、前記第１時間シンボルに対応する各サブキャリアの前記チャネルパラメータに基づいて、かつ、前記他の時間シンボルのそれぞれに対応する前記サブキャリアの前記チャネルパラメータに基づいて、前記第１ポートのチャネルパラメータを決定する段階と
を備える方法。
【請求項６】
前記受信デバイスにより、第１時間シンボルの位置を前記取得する段階は、
前記受信デバイスにより、格納されたポート番号と時間シンボルの位置との間の対応関係に基づいて、前記第１ポートの前記ポート番号に対応する前記第１時間シンボルの前記位置を決定する段階を有する、又は、
前記スケジューリング情報は、前記リソースのタイムスロット番号Ｓｌｏｔ_ＩＤ及び前記送信デバイスのセル番号Ｃｅｌｌ_ＩＤをさらに有し、前記受信デバイスにより、第１時間シンボルの位置を前記取得する段階は、前記受信デバイスにより、ｌ、Ｓｌｏｔ_ＩＤ、Ｃｅｌｌ_ＩＤ、及び受信デバイス番号ＵＥ_ＩＤのうちの任意の１つ又は組み合わせに基づいて、前記第１時間シンボルの前記位置を決定する段階を有する、請求項５に記載の方法。
【請求項７】
前記受信デバイスにより、サブキャリアグループにあり、かつ、前記第１時間シンボルに対応する各サブキャリアの位置を前記取得する段階は、
前記受信デバイスにより、ｌ、Ｓｌｏｔ_ＩＤ、Ｃｅｌｌ_ＩＤ、及びＵＥ_ＩＤのうちの任意の１つ又は組み合わせに基づいて、前記サブキャリアグループにあり、かつ、前記第１時間シンボルに対応する各サブキャリアの前記位置を決定する段階、又は、
前記受信デバイスにより、ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、前記サブキャリアグループにあり、かつ、前記第１時間シンボルに対応する各サブキャリアの前記位置を決定する段階
を有する、請求項６に記載の方法。
【請求項８】
前記受信デバイスにより、前記帯域幅の範囲内にあり、かつ、前記第１時間シンボルを除く、期間内の時間シンボルのそれぞれに対応するサブキャリアの位置を前記取得する段階は、
前記受信デバイスにより、ｌと、前記期間内の第２時間シンボルの位置ｕ、Ｓｌｏｔ_ＩＤ、Ｃｅｌｌ_ＩＤ、及びＵＥ_ＩＤのうちの任意の１つ又は組み合わせとに基づいて、前記帯域幅の範囲内にあり、かつ、前記第２時間シンボルに対応するサブキャリアの位置を決定する段階であって、前記第２時間シンボルは、前記第１時間シンボル以外の前記期間内の任意の時間シンボルである、段階を有する、請求項５から７のいずれか一項に記載の方法。
【請求項９】
前記帯域幅の範囲が複数のサブキャリアセットに均等に分割されたとき、前記帯域幅の範囲を分割することにより取得される前記複数のサブキャリアセットの数は、前記サブキャリアグループに含まれ、かつ、前記第１時間シンボルに対応するサブキャリアの数と同じであり、各サブキャリアセットは、前記サブキャリアグループにあり、かつ、前記第１時間シンボルに対応する１つのサブキャリアを有し、
前記受信デバイスにより、前記サブキャリアグループにあり、かつ、前記第１時間シンボルに対応する各サブキャリアの前記チャネルパラメータに基づいて、かつ、前記他の時間シンボルのそれぞれに対応する前記サブキャリアの前記チャネルパラメータに基づいて、前記第１ポートのチャネルパラメータを前記決定する段階は、
前記受信デバイスにより、前記サブキャリアグループにあり、かつ、前記第１時間シンボルに対応する各サブキャリアの前記チャネルパラメータを、前記サブキャリアグループにあり、かつ、前記第１時間シンボルに対応する各サブキャリアが属するサブキャリアセットのチャネルパラメータとして用い、前記他の時間シンボルのそれぞれに対応する前記サブキャリアの前記チャネルパラメータを、前記他の時間シンボルのそれぞれに対応する前記サブキャリアが属する第１サブキャリアセットのチャネルパラメータとして用いる段階であって、前記サブキャリアセットは、前記帯域幅の範囲内の前記複数のサブキャリアをグループ分けすることにより取得され、各サブキャリアセットは、前記サブキャリアグループにあり、かつ、前記第１時間シンボルに対応する１つのサブキャリアを有する、段階と、
前記受信デバイスにより、前記サブキャリアグループにあり、かつ、前記第１時間シンボルに対応する各サブキャリアが属する前記サブキャリアセットの前記チャネルパラメータに基づいて、かつ、前記他の時間シンボルのそれぞれに対応する前記サブキャリアが属する前記第１サブキャリアセットの前記チャネルパラメータに基づいて、前記第１サブキャリアセットを除く、時間シンボルに対応するサブキャリアセットのそれぞれのチャネルパラメータを決定する段階と、
前記受信デバイスにより、前記期間内の各時間シンボルに対応する各サブキャリアセットのチャネルパラメータに基づいて前記第１ポートの前記チャネルパラメータを決定する段階と
を有する、請求項５から８のいずれか一項に記載の方法。
【請求項１０】
前記受信デバイスにより、前記第１サブキャリアセットを除く、時間シンボルに対応するサブキャリアセットのそれぞれのチャネルパラメータを前記決定する段階は、
前記受信デバイスにより、前記サブキャリアグループにあり、かつ、前記第１時間シンボルに対応する各サブキャリアが属する前記サブキャリアセットの前記チャネルパラメータに基づいて、かつ、第３時間シンボルに対応するサブキャリアが属する前記第１サブキャリアセットのチャネルパラメータに基づいて、前記第３時間シンボルに対応する第２サブキャリアセットのチャネルパラメータを決定する段階であって、前記第３時間シンボルは、前記第１時間シンボル以外の前記期間内の任意の時間シンボルであり、前記第２サブキャリアセットは、前記第１サブキャリアセット以外のものであり、かつ、前記第３時間シンボルに対応する任意のサブキャリアセットである、段階を有し、
前記受信デバイスにより、前記第３時間シンボルに対応する第２サブキャリアセットのチャネルパラメータを前記決定する段階は、
前記受信デバイスにより、前記第１時間シンボルに対応する前記第２サブキャリアセットのチャネルパラメータに、前記第３時間シンボルに対応する前記第１サブキャリアセットの前記チャネルパラメータを乗算し、得られた乗算結果を、前記第１時間シンボルに対応する前記第１サブキャリアセットのチャネルパラメータで除算して、前記第３時間シンボルに対応する前記第２サブキャリアセットの前記チャネルパラメータを取得する段階と
を有する、請求項９に記載の方法。
【請求項１１】
基準信号伝送方法であって、
送信デバイスにより、前記送信デバイスの複数のポートのための構成情報を取得する段階であって、前記構成情報は、前記複数のポートに対応する基準信号により占有されるリソースの位置を示すべく用いられ、前記構成情報は、時間領域において、第１時間シンボルの位置を有し、周波数領域において、特定の帯域幅の範囲内のサブキャリアグループにあり、かつ、各ポートに対応する前記第１時間シンボルに対応する各サブキャリアの位置と、前記帯域幅の範囲内にあり、かつ、前記第１時間シンボルを除く、各ポートに対応する、前記リソースにより占有される期間にある時間シンボルのそれぞれに対応するサブキャリアの位置とを有し、前記サブキャリアグループは複数のサブキャリアを有し、前記帯域幅の範囲は前記送信デバイスにより構成され、前記帯域幅の範囲は複数のサブキャリアを含む、段階と、
前記送信デバイスにより、前記構成情報により示され、かつ、前記複数のポートに対応する前記基準信号により占有される前記リソース上で、前記複数のポートに対応する前記基準信号を送信する段階と
を備える方法。
【請求項１２】
送信デバイスにより、第１時間シンボルの位置を前記取得する段階は、
前記送信デバイスにより、前記複数のポートのそれぞれのポート番号を取得する段階と、前記複数のポートのそれぞれの前記ポート番号を有する第１ポートグループを決定する段階と、格納されたポートグループと時間シンボルの位置との間の対応関係に基づいて、前記第１ポートグループに対応する前記第１時間シンボルの前記位置を決定する段階であって、ポートグループと時間シンボルの位置との間の前記対応関係において、１又は複数のポートグループは前記第１時間シンボルの前記位置に対応する、段階とを有する、又は、
前記送信デバイスにより、前記リソースのタイムスロット番号Ｓｌｏｔ_ＩＤ、前記送信デバイスのセル番号Ｃｅｌｌ_ＩＤ、及び受信デバイス番号ＵＥ_ＩＤのうちの任意の１つ又は組み合わせに基づいて、前記第１時間シンボルの前記位置を決定する段階を有する、請求項１１に記載の方法。
【請求項１３】
送信デバイスにより、サブキャリアグループにあり、かつ、各ポートに対応する前記第１時間シンボルに対応する各サブキャリアの位置を前記取得する段階は、
前記送信デバイスにより、第１ポートのポート番号ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、前記サブキャリアグループにあり、かつ、前記第１ポートに対応する前記第１時間シンボルに対応する各サブキャリアの位置を決定する段階であって、前記第１ポートは、前記複数のポートのうちのいずれかである、段階を有する、請求項１１又は１２に記載の方法。
【請求項１４】
送信デバイスにより、前記帯域幅の範囲内にあり、かつ、前記第１時間シンボルを除く、期間内の各ポートに対応する時間シンボルのそれぞれに対応するサブキャリアの位置を前記取得する段階は、
前記送信デバイスにより、前記第１ポートの前記ポート番号ｌと、ｕ、Ｓｌｏｔ_ＩＤ、Ｃｅｌｌ_ＩＤ、及びＵＥ_ＩＤのうちの任意の１つ又は組み合わせとに基づいて、前記帯域幅の範囲内にあり、かつ、前記第１ポートに対応する前記第２時間シンボルに対応するサブキャリアの位置を決定する段階であって、前記第１ポートは、前記複数のポートのうちのいずれかであり、前記第２時間シンボルは、前記第１時間シンボル以外の前記期間内の任意の時間シンボルである、段階を有する、請求項１１から１３のいずれか一項に記載の方法。
【請求項１５】
前記送信デバイスにより、前記構成情報により示され、かつ、前記複数のポートに対応する前記基準信号により占有される前記リソース上で、前記複数のポートに対応する前記基準信号を前記送信する段階は、
前記送信デバイスにより、前記複数のポートに対応する前記基準信号に、予め設定された直交カバーコードを乗算して、前記複数のポートに対応する処理済み基準信号を取得する段階であって、前記直交カバーコードは、前記複数のポートに固有に構成される、段階と、
前記送信デバイスにより、前記複数のポートに対応する前記処理済み基準信号を前記リソース上で送信する段階と
を有する、請求項１１から１４のいずれか一項に記載の方法。
【請求項１６】
基準信号伝送方法であって、
受信デバイスにより、送信デバイスのスケジューリング情報を取得する段階であって、前記スケジューリング情報は、複数のポートのそれぞれのポート番号及び前記送信デバイスにより構成された帯域幅の範囲を有し、前記帯域幅の範囲は複数のサブキャリアを有する、段階と、
前記受信デバイスにより、前記スケジューリング情報に基づいて、前記複数のポートのための基準信号の構成情報を取得する段階であって、前記構成情報は、前記複数のポートに対応する前記基準信号により占有されるリソースの位置を示すべく用いられ、前記構成情報は、時間領域において、第１時間シンボルの位置を有し、周波数領域において、前記帯域幅の範囲内のサブキャリアグループにあり、かつ、各ポートに対応する前記第１時間シンボルに対応する各サブキャリアの位置と、前記帯域幅の範囲内にあり、かつ、前記第１時間シンボルを除く、各ポートに対応する、前記リソースにより占有される期間内の時間シンボルのそれぞれに対応するサブキャリアの位置とを有し、各ポートに対応する前記第１時間シンボルに対応する前記サブキャリアグループは複数のサブキャリアを含む、段階と、
前記受信デバイスにより、前記送信デバイスにより送信された前記複数のポートに対応する前記基準信号を前記リソース上で受信する段階と、
前記受信デバイスにより、前記サブキャリアグループにあり、かつ、各ポートに対応する前記第１時間シンボルに対応する各サブキャリア上で受信された基準信号に基づいてチャネル推定を実行し、前記サブキャリアグループにあり、かつ、各ポートに対応する前記第１時間シンボルに対応する各サブキャリアのチャネルパラメータを決定する段階、及び、前記帯域幅の範囲内にあり、かつ、各ポートに対応する他の時間シンボルのそれぞれに対応する前記サブキャリア上で受信された基準信号に基づいてチャネル推定を実行し、各ポートに対応する前記他の時間シンボルのそれぞれに対応する前記サブキャリアのチャネルパラメータを決定する段階と、
前記受信デバイスにより、前記サブキャリアグループにあり、かつ、各ポートに対応する前記第１時間シンボルに対応する各サブキャリアの前記チャネルパラメータに基づいて、かつ、各ポートに対応する前記他の時間シンボルのそれぞれに対応する前記サブキャリアの前記チャネルパラメータに基づいて、前記複数のポートのそれぞれのチャネルパラメータを決定する段階と
を備える方法。
【請求項１７】
前記受信デバイスにより、第１時間シンボルの位置を前記取得する段階は、
前記受信デバイスにより、前記複数のポートのそれぞれの前記ポート番号を有する第１ポートグループを決定する段階と、格納されたポートグループと時間シンボルの位置との間の対応関係に基づいて、前記第１ポートグループに対応する前記第１時間シンボルの前記位置を決定する段階であって、ポートグループと時間シンボルの位置との間の前記対応関係において、１又は複数のポートグループは、前記第１時間シンボルの前記位置に対応する、段階とを有する、又は、
前記スケジューリング情報は、前記リソースのタイムスロット番号Ｓｌｏｔ_ＩＤ及び前記送信デバイスのセル番号Ｃｅｌｌ_ＩＤをさらに有し、前記受信デバイスにより、第１時間シンボルの位置を前記取得する段階は、前記受信デバイスにより、Ｓｌｏｔ_ＩＤ、Ｃｅｌｌ_ＩＤ、及び受信デバイス番号ＵＥ_ＩＤのうちの任意の１つ又は組み合わせに基づいて、前記第１時間シンボルの前記位置を決定する段階を有する、請求項１６に記載の方法。
【請求項１８】
前記受信デバイスにより、サブキャリアグループにあり、かつ、各ポートに対応する前記第１時間シンボルに対応する各サブキャリアの位置を前記取得する段階は、
前記受信デバイスにより、第１ポートのポート番号ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、前記サブキャリアグループにあり、かつ、前記第１ポートに対応する前記第１時間シンボルに対応する各サブキャリアの位置を決定する段階であって、前記第１ポートは、前記複数のポートのうちのいずれかである、段階を有する、請求項１６又は１７に記載の方法。
【請求項１９】
前記受信デバイスにより、前記帯域幅の範囲内にあり、かつ、各ポートに対応する、前記第１時間シンボルを除く、期間内の時間シンボルのそれぞれに対応するサブキャリアの位置を前記取得する段階は、
前記受信デバイスにより、前記第１ポートの前記ポート番号ｌと、ｕ、Ｓｌｏｔ_ＩＤ、Ｃｅｌｌ_ＩＤ、及びＵＥ_ＩＤのうちの任意の１つ又は組み合わせとに基づいて、前記帯域幅の範囲内にあり、かつ、前記第１ポートに対応する前記第２時間シンボルに対応するサブキャリアの位置を決定する段階であって、前記第１ポートは、前記複数のポートのうちのいずれかであり、前記第２時間シンボルは、前記第１時間シンボル以外の前記期間内の任意の時間シンボルである、段階を有する、請求項１６から１８のいずれか一項に記載の方法。
【請求項２０】
前記帯域幅の範囲が複数のサブキャリアセットに均等に分割されたとき、前記帯域幅の範囲を分割することにより取得される前記複数のサブキャリアセットの数は、前記サブキャリアグループに含まれ、かつ、各ポートに対応する前記第１時間シンボルに対応するサブキャリアの数と同じであり、各サブキャリアセットは、前記サブキャリアグループにあり、かつ、各ポートに対応する前記第１時間シンボルに対応する１つのサブキャリアを有し、
前記受信デバイスにより、前記サブキャリアグループにあり、かつ、各ポートに対応する前記第１時間シンボルに対応する各サブキャリアの前記チャネルパラメータに基づいて、かつ、各ポートに対応する前記他の時間シンボルのそれぞれに対応する前記サブキャリアの前記チャネルパラメータに基づいて、前記複数のポートのそれぞれのチャネルパラメータを前記決定する段階は、
前記受信デバイスにより、前記サブキャリアグループにあり、かつ、前記第１ポートに対応する前記第１時間シンボルに対応する各サブキャリアのチャネルパラメータを、前記サブキャリアグループにあり、かつ、前記第１ポートに対応する前記第１時間シンボルに対応する各サブキャリアが属するサブキャリアセットのチャネルパラメータとして用い、前記第１ポートに対応する前記他の時間シンボルのそれぞれに対応する前記サブキャリアのチャネルパラメータを、前記第１ポートに対応する前記他の時間シンボルのそれぞれに対応する前記サブキャリアが属する第１サブキャリアセットのチャネルパラメータとして用いる段階であって、前記第１ポートは、前記複数のポートのうちのいずれかであり、前記サブキャリアセットは、前記帯域幅の範囲内の前記複数のサブキャリアをグループ分けすることにより取得され、各サブキャリアセットは、前記サブキャリアグループにあり、かつ、前記第１ポートに対応する前記第１時間シンボルに対応する１つのサブキャリアを有する、段階と、
前記受信デバイスにより、前記サブキャリアグループにあり、かつ、前記第１ポートに対応する前記第１時間シンボルに対応する各サブキャリアが属する前記サブキャリアセットの前記チャネルパラメータに基づいて、かつ、前記第１ポートに対応する前記他の時間シンボルのそれぞれに対応する前記サブキャリアが属する前記第１サブキャリアセットの前記チャネルパラメータに基づいて、前記第１サブキャリアセットを除く、前記第１ポートに対応する時間シンボルに対応するサブキャリアセットのそれぞれのチャネルパラメータを決定する段階と、
前記受信デバイスにより、前記第１ポートに対応する前記期間内の各時間シンボルに対応する各サブキャリアセットのチャネルパラメータに基づいて、前記第１ポートのチャネルパラメータを決定する段階と
を有する、請求項１６から１９のいずれか一項に記載の方法。
【請求項２１】
前記受信デバイスにより、前記第１サブキャリアセットを除く、前記第１ポートに対応する時間シンボルに対応するサブキャリアセットのそれぞれのチャネルパラメータを前記決定する段階は、
前記受信デバイスにより、前記サブキャリアグループにあり、かつ、前記第１ポートに対応する前記第１時間シンボルに対応する各サブキャリアが属する前記サブキャリアセットの前記チャネルパラメータに基づいて、かつ、前記第１ポートに対応する第３時間シンボルに対応するサブキャリアが属する前記第１サブキャリアセットのチャネルパラメータに基づいて、前記第１ポートに対応する前記第３時間シンボルに対応する第２サブキャリアセットのチャネルパラメータを決定する段階であって、前記第３時間シンボルは、前記第１時間シンボル以外の前記期間内の任意の時間シンボルであり、前記第２サブキャリアセットは、前記第１サブキャリアセット以外のものであり、かつ、前記第３時間シンボルに対応する任意のサブキャリアセットである、段階と
を有し、
前記受信デバイスにより、前記第１ポートに対応する前記第３時間シンボルに対応する第２サブキャリアセットのチャネルパラメータを前記決定する段階は、
前記受信デバイスにより、前記第１ポートに対応する前記第１時間シンボルに対応する前記第２サブキャリアセットのチャネルパラメータに、前記第１ポートに対応する前記第３時間シンボルに対応する前記第１サブキャリアセットの前記チャネルパラメータを乗算し、得られた乗算結果を、前記第１ポートに対応する前記第１時間シンボルに対応する前記第１サブキャリアセットのチャネルパラメータで除算して、前記第１ポートに対応する前記第３時間シンボルに対応する前記第２サブキャリアセットの前記チャネルパラメータを取得する段階
を有する、請求項２０に記載の方法。
【請求項２２】
送信デバイスの第１ポートのための基準信号の構成情報を取得するように構成される取得ユニットであって、前記構成情報は、前記第１ポートに対応する前記基準信号により占有されるリソースの位置を示すべく用いられ、前記構成情報は、時間領域において、第１時間シンボルの位置を有し、周波数領域において、特定の帯域幅の範囲内のサブキャリアグループにあり、かつ、前記第１時間シンボルに対応する各サブキャリアの位置と、前記帯域幅の範囲内にあり、かつ、前記第１時間シンボルを除く、前記リソースにより占有される期間内の時間シンボルのそれぞれに対応するサブキャリアの位置とを有し、前記サブキャリアグループは複数のサブキャリアを有し、前記帯域幅の範囲は前記送信デバイスにより構成され、前記帯域幅の範囲は複数のサブキャリアを有する、取得ユニットと、
前記第１ポートに対応する前記基準信号を、前記構成情報により示される前記リソース上で送信するように構成される送信ユニットと
を備える送信デバイス。
【請求項２３】
前記第１時間シンボルの前記位置を取得するとき、前記取得ユニットは、具体的には、
前記第１ポートのポート番号を取得し、格納されたポート番号と時間シンボルの位置との間の対応関係に基づいて、前記第１ポートの前記ポート番号に対応する前記第１時間シンボルの前記位置を決定する、又は、
前記第１ポートの前記ポート番号ｌ、前記リソースのタイムスロット番号Ｓｌｏｔ_ＩＤ、前記送信デバイスのセル番号Ｃｅｌｌ_ＩＤ、及び受信デバイス番号ＵＥ_ＩＤのうちの任意の１つ又は組み合わせに基づいて、前記第１時間シンボルの前記位置を決定する
ように構成される、請求項２２に記載の送信デバイス。
【請求項２４】
前記サブキャリアグループにあり、かつ、前記第１時間シンボルに対応する各サブキャリアの前記位置を取得するとき、前記取得ユニットは、具体的には、
ｌ、Ｓｌｏｔ_ＩＤ、Ｃｅｌｌ_ＩＤ、及びＵＥ_ＩＤのうちの任意の１つ又は組み合わせに基づいて、前記サブキャリアグループにあり、かつ、前記第１時間シンボルに対応する各サブキャリアの前記位置を決定する、又は、
ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、前記サブキャリアグループにあり、かつ、前記第１時間シンボルに対応する各サブキャリアの前記位置を決定する
ように構成される、請求項２３に記載の送信デバイス。
【請求項２５】
前記帯域幅の範囲内にあり、かつ、前記第１時間シンボルを除く、前記期間内の前記時間シンボルのそれぞれに対応する前記サブキャリアの前記位置を取得するとき、前記取得ユニットは、具体的には、
ｌと、前記期間内の第２時間シンボルの位置ｕ、Ｓｌｏｔ_ＩＤ、Ｃｅｌｌ_ＩＤ、及びＵＥ_ＩＤのうちの任意の１つ又は組み合わせとに基づいて、前記帯域幅の範囲内にあり、かつ、前記第２時間シンボルに対応するサブキャリアの位置を決定するように構成され、前記第２時間シンボルは、前記第１時間シンボル以外の前記期間内の任意の時間シンボルである、請求項２２から２４のいずれか一項に記載の送信デバイス。
【請求項２６】
取得ユニットであって、送信デバイスのスケジューリング情報を取得し、前記スケジューリング情報は、第１ポートのポート番号ｌ及び前記送信デバイスにより構成された帯域幅の範囲を有し、前記帯域幅の範囲は複数のサブキャリアを有し、
前記スケジューリング情報に基づいて、前記第１ポートのための基準信号の構成情報を取得し、前記構成情報は、前記第１ポートに対応する前記基準信号により占有されるリソースの位置を示すべく用いられ、前記構成情報は、時間領域において、第１時間シンボルの位置を有し、周波数領域において、前記帯域幅の範囲内のサブキャリアグループにあり、かつ、前記第１時間シンボルに対応する各サブキャリアの位置と、前記帯域幅の範囲内にあり、かつ、前記第１時間シンボルを除く、前記リソースにより占有される期間内の時間シンボルのそれぞれに対応するサブキャリアの位置とを有し、各ポートに対応する前記第１時間シンボルに対応するサブキャリアグループは複数のサブキャリアを有する、ように構成される取得ユニットと、
前記送信デバイスにより送信された前記第１ポートに対応する前記基準信号を、前記リソース上で受信するように構成される受信ユニットと、
処理ユニットであって、前記サブキャリアグループにあり、かつ、前記第１時間シンボルに対応する各サブキャリア上で受信された基準信号に基づいてチャネル推定を実行し、前記サブキャリアグループにあり、かつ、前記第１時間シンボルに対応する各サブキャリアのチャネルパラメータを決定し、前記帯域幅の範囲内にあり、かつ、他の時間シンボルのそれぞれに対応する前記サブキャリア上で受信された基準信号に基づいてチャネル推定を実行し、前記他の時間シンボルのそれぞれに対応する前記サブキャリアのチャネルパラメータを決定し、
前記サブキャリアグループにあり、かつ、前記第１時間シンボルに対応する各サブキャリアの前記チャネルパラメータに基づいて、かつ、前記他の時間シンボルのそれぞれに対応する前記サブキャリアの前記チャネルパラメータに基づいて、前記第１ポートのチャネルパラメータを決定する
ように構成される処理ユニットと
を備える受信デバイス。
【請求項２７】
前記第１時間シンボルの前記位置を取得するとき、前記取得ユニットは、具体的には、
格納されたポート番号と時間シンボルの位置との間の対応関係に基づいて、前記第１ポートの前記ポート番号に対応する前記第１時間シンボルの前記位置を決定するように構成される、又は、
前記スケジューリング情報は、前記リソースのタイムスロット番号Ｓｌｏｔ_ＩＤ及び前記送信デバイスのセル番号Ｃｅｌｌ_ＩＤをさらに有し、前記第１時間シンボルの前記位置を取得するとき、前記取得ユニットは、具体的には、ｌ、Ｓｌｏｔ_ＩＤ、Ｃｅｌｌ_ＩＤ、及び受信デバイス番号ＵＥ_ＩＤのうちの任意の１つ又は組み合わせに基づいて、前記第１時間シンボルの前記位置を決定するように構成される、請求項２６に記載の受信デバイス。
【請求項２８】
前記サブキャリアグループにあり、かつ、前記第１時間シンボルに対応する各サブキャリアの前記位置を取得するとき、前記取得ユニットは、具体的には、
ｌ、Ｓｌｏｔ_ＩＤ、Ｃｅｌｌ_ＩＤ、及びＵＥ_ＩＤのうちの任意の１つ又は組み合わせに基づいて、前記サブキャリアグループにあり、かつ、前記第１時間シンボルに対応する各サブキャリアの前記位置を決定する、又は、
ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、前記サブキャリアグループにあり、かつ、前記第１時間シンボルに対応する各サブキャリアの前記位置を決定する
ように構成される、請求項２７に記載の受信デバイス。
【請求項２９】
前記帯域幅の範囲内にあり、かつ、前記第１時間シンボルを除く、前記期間内の前記時間シンボルのそれぞれに対応する前記サブキャリアの前記位置を取得するとき、前記取得ユニットは、具体的には、
ｌと、前記期間内の第２時間シンボルの位置ｕ、Ｓｌｏｔ_ＩＤ、Ｃｅｌｌ_ＩＤ、及びＵＥ_ＩＤのうちの任意の１つ又は組み合わせとに基づいて、前記帯域幅の範囲内にあり、かつ、前記第２時間シンボルに対応するサブキャリアの位置を決定するように構成され、前記第２時間シンボルは、前記第１時間シンボル以外の前記期間内の任意の時間シンボルである、請求項２６から２８のいずれか一項に記載の受信デバイス。
【請求項３０】
前記帯域幅の範囲が、複数のサブキャリアセットに均等に分割されたとき、前記帯域幅の範囲を分割することにより取得される前記複数のサブキャリアセットの数は、前記サブキャリアグループに含まれ、かつ、前記第１時間シンボルに対応するサブキャリアの数と同じであり、各サブキャリアセットは、前記サブキャリアグループにあり、かつ、前記第１時間シンボルに対応する１つのサブキャリアを有し、
前記サブキャリアグループにあり、かつ、前記第１時間シンボルに対応する各サブキャリアの前記チャネルパラメータに基づいて、かつ、前記他の時間シンボルのそれぞれに対応する前記サブキャリアの前記チャネルパラメータに基づいて、前記第１ポートの前記チャネルパラメータを決定するとき、前記処理ユニットは、具体的には、
前記サブキャリアグループにあり、かつ、前記第１時間シンボルに対応する各サブキャリアの前記チャネルパラメータを、前記サブキャリアグループにあり、かつ、前記第１時間シンボルに対応する各サブキャリアが属するサブキャリアセットのチャネルパラメータとして用い、前記他の時間シンボルのそれぞれに対応する前記サブキャリアの前記チャネルパラメータを、前記他の時間シンボルのそれぞれに対応する前記サブキャリアが属する第１サブキャリアセットのチャネルパラメータとして用いるように構成され、前記サブキャリアセットは、前記帯域幅の範囲内の前記複数のサブキャリアをグループ分けすることにより取得され、各サブキャリアセットは、前記サブキャリアグループにあり、かつ、前記第１時間シンボルに対応する１つのサブキャリアを有し、
前記サブキャリアグループにあり、かつ、前記第１時間シンボルに対応する各サブキャリアが属する前記サブキャリアセットの前記チャネルパラメータに基づいて、かつ、前記他の時間シンボルのそれぞれに対応する前記サブキャリアが属する前記第１サブキャリアセットの前記チャネルパラメータに基づいて、前記第１サブキャリアセットを除く、時間シンボルに対応するサブキャリアセットのそれぞれのチャネルパラメータを決定するように構成され、
前記期間内の各時間シンボルに対応する各サブキャリアセットのチャネルパラメータに基づいて、前記第１ポートの前記チャネルパラメータを決定するように構成される、請求項２６から２９のいずれか一項に記載の受信デバイス。
【請求項３１】
前記第１サブキャリアセットを除く、前記時間シンボルに対応する前記サブキャリアセットのそれぞれの前記チャネルパラメータを決定するとき、前記処理ユニットは、具体的には、
前記サブキャリアグループにあり、かつ、前記第１時間シンボルに対応する各サブキャリアが属する前記サブキャリアセットの前記チャネルパラメータに基づいて、かつ、第３時間シンボルに対応するサブキャリアが属する前記第１サブキャリアセットのチャネルパラメータに基づいて、前記第３時間シンボルに対応する第２サブキャリアセットのチャネルパラメータを決定するように構成され、前記第３時間シンボルは、前記第１時間シンボル以外の前記期間内の任意の時間シンボルであり、前記第２サブキャリアセットは、前記第１サブキャリアセット以外のものであり、かつ、前記第３時間シンボルに対応する任意のサブキャリアセットであり、
前記第３時間シンボルに対応する前記第２サブキャリアセットの前記チャネルパラメータを決定するとき、前記処理ユニットは、具体的には、
前記第１時間シンボルに対応する前記第２サブキャリアセットのチャネルパラメータに、前記第３時間シンボルに対応する前記第１サブキャリアセットの前記チャネルパラメータを乗算し、得られた乗算結果を、前記第１時間シンボルに対応する前記第１サブキャリアセットのチャネルパラメータで除算して、前記第３時間シンボルに対応する前記第２サブキャリアセットの前記チャネルパラメータを取得するように構成される、請求項３０に記載の受信デバイス。
【請求項３２】
送信デバイスの複数のポートのための構成情報を取得するように構成される取得ユニットであって、前記構成情報は、前記複数のポートに対応する基準信号により占有されるリソースの位置を示すべく用いられ、前記構成情報は、時間領域において、第１時間シンボルの位置を有し、周波数領域において、特定の帯域幅の範囲内のサブキャリアグループにあり、かつ、各ポートに対応する前記第１時間シンボルに対応する各サブキャリアの位置と、前記帯域幅の範囲内にあり、かつ、前記第１時間シンボルを除く、各ポートに対応する、前記リソースにより占有される期間内の時間シンボルのそれぞれに対応するサブキャリアの位置とを有し、前記サブキャリアグループは複数のサブキャリアを有し、前記帯域幅の範囲は前記送信デバイスにより構成され、前記帯域幅の範囲は複数のサブキャリアを有する、取得ユニットと、
前記構成情報により示され、かつ、前記複数のポートに対応する前記基準信号により占有される前記リソース上で、前記複数のポートに対応する前記基準信号を送信するように構成される送信ユニットと
を備える送信デバイス。
【請求項３３】
前記第１時間シンボルの前記位置を取得するとき、前記取得ユニットは、具体的には、
前記複数のポートのそれぞれのポート番号を取得し、前記複数のポートのそれぞれの前記ポート番号を有する第１ポートグループを決定し、格納されたポートグループと時間シンボルの位置との間の対応関係に基づいて、前記第１ポートグループに対応する前記第１時間シンボルの前記位置を決定するように構成され、ポートグループと時間シンボルの位置との間の前記対応関係において、１又は複数のポートグループは、前記第１時間シンボルの前記位置に対応する、又は、
前記リソースのタイムスロット番号Ｓｌｏｔ_ＩＤ、前記送信デバイスのセル番号Ｃｅｌｌ_ＩＤ、及び受信デバイス番号ＵＥ_ＩＤのうちの任意の１つ又は組み合わせに基づいて、前記第１時間シンボルの前記位置を決定するように構成される、請求項３２に記載の送信デバイス。
【請求項３４】
前記サブキャリアグループにあり、かつ、各ポートに対応する前記第１時間シンボルに対応する各サブキャリアの前記位置を取得するとき、前記取得ユニットは、具体的には、
第１ポートのポート番号ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、前記サブキャリアグループにあり、かつ、前記第１ポートに対応する前記第１時間シンボルに対応する各サブキャリアの位置を決定するように構成され、前記第１ポートは、前記複数のポートのうちのいずれかである、請求項３２又は３３に記載の送信デバイス。
【請求項３５】
前記帯域幅の範囲内にあり、かつ、前記第１時間シンボルを除く、前記期間内の各ポートに対応する前記時間シンボルのそれぞれに対応する前記サブキャリアの前記位置を取得するとき、前記取得ユニットは、具体的には、
前記第１ポートの前記ポート番号ｌと、ｕ、Ｓｌｏｔ_ＩＤ、Ｃｅｌｌ_ＩＤ、及びＵＥ_ＩＤのうちの任意の１つ又は組み合わせとに基づいて、前記帯域幅の範囲内にあり、かつ、前記第１ポートに対応する前記第２時間シンボルに対応するサブキャリアの位置を決定するように構成され、前記第１ポートは、前記複数のポートのうちのいずれかであり、前記第２時間シンボルは、前記第１時間シンボル以外の前記期間内の任意の時間シンボルである、請求項３２から３４のいずれか一項に記載の送信デバイス。
【請求項３６】
前記送信ユニットは、具体的には、
前記複数のポートに対応する前記基準信号に、予め設定された直交カバーコードを乗算して、前記複数のポートに対応する処理済み基準信号を取得し、前記直交カバーコードは、前記複数のポートに固有に構成され、
前記複数のポートに対応する前記処理済み基準信号を前記リソース上で送信する
ように構成される、請求項３２から３５のいずれか一項に記載の送信デバイス。
【請求項３７】
送信デバイスのスケジューリング情報を取得するように構成される取得ユニットであって、前記スケジューリング情報は、複数のポートのそれぞれのポート番号及び前記送信デバイスにより構成された帯域幅の範囲を有し、前記帯域幅の範囲は複数のサブキャリアを含み、
前記スケジューリング情報に基づいて、前記複数のポートのための基準信号の構成情報を取得するように構成され、前記構成情報は、前記複数のポートに対応する前記基準信号により占有されるリソースの位置を示すべく用いられ、前記構成情報は、時間領域において、第１時間シンボルの位置を有し、周波数領域において、前記帯域幅の範囲内のサブキャリアグループにあり、かつ、各ポートに対応する前記第１時間シンボルに対応する各サブキャリアの位置と、前記帯域幅の範囲内にあり、かつ、前記第１時間シンボルを除く、各ポートに対応する前記リソースにより占有される期間内の時間シンボルのそれぞれに対応するサブキャリアの位置とを有し、各ポートに対応する前記第１時間シンボルに対応する前記サブキャリアグループは複数のサブキャリアを有する、取得ユニットと、
前記送信デバイスにより送信された前記複数のポートに対応する前記基準信号を前記リソース上で受信するように構成される受信ユニットと、
前記サブキャリアグループにあり、かつ、各ポートに対応する前記第１時間シンボルに対応する各サブキャリア上で受信された基準信号に基づいて、チャネル推定を実行し、前記サブキャリアグループにあり、かつ、各ポートに対応する前記第１時間シンボルに対応する各サブキャリアのチャネルパラメータを決定し、前記帯域幅の範囲内にあり、かつ、各ポートに対応する他の時間シンボルのそれぞれに対応する前記サブキャリア上で受信された基準信号に基づいてチャネル推定を実行し、各ポートに対応する前記他の時間シンボルのそれぞれに対応する前記サブキャリアのチャネルパラメータを決定し、
前記サブキャリアグループにあり、かつ、各ポートに対応する前記第１時間シンボルに対応する各サブキャリアの前記チャネルパラメータに基づいて、かつ、各ポートに対応する前記他の時間シンボルのそれぞれに対応する前記サブキャリアの前記チャネルパラメータに基づいて、前記複数のポートのそれぞれのチャネルパラメータを決定する
ように構成される処理ユニットと
を備える受信デバイス。
【請求項３８】
前記第１時間シンボルの前記位置を取得するとき、前記取得ユニットは、具体的には、
前記複数のポートのそれぞれの前記ポート番号を有する第１ポートグループを決定し、格納されたポートグループと時間シンボルの位置との間の対応関係に基づいて、前記第１ポートグループに対応する前記第１時間シンボルの前記位置を決定するように構成され、ポートグループと時間シンボルの位置との間の前記対応関係において、１又は複数のポートグループは、前記第１時間シンボルの前記位置に対応する、又は、
前記スケジューリング情報は、前記リソースのタイムスロット番号Ｓｌｏｔ_ＩＤ及び前記送信デバイスのセル番号Ｃｅｌｌ_ＩＤをさらに有し、前記第１時間シンボルの前記位置を取得するとき、前記取得ユニットは、具体的には、Ｓｌｏｔ_ＩＤ、Ｃｅｌｌ_ＩＤ、及び受信デバイス番号ＵＥ_ＩＤのうちの任意の１つ又は組み合わせに基づいて、前記第１時間シンボルの前記位置を決定するように構成される、請求項３７に記載の受信デバイス。
【請求項３９】
前記サブキャリアグループにあり、かつ、各ポートに対応する前記第１時間シンボルに対応する各サブキャリアの前記位置を取得するとき、前記取得ユニットは、具体的には、
第１ポートのポート番号ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、前記サブキャリアグループにあり、かつ、前記第１ポートに対応する前記第１時間シンボルに対応する各サブキャリアの位置を決定するように構成され、前記第１ポートは、前記複数のポートのうちのいずれかである、請求項３７又は３８に記載の受信デバイス。
【請求項４０】
前記帯域幅の範囲内にあり、かつ、前記第１時間シンボルを除く、各ポートに対応する前記期間内の前記時間シンボルのそれぞれに対応する前記サブキャリアの前記位置を取得するとき、前記取得ユニットは、具体的には、
前記第１ポートの前記ポート番号ｌと、ｕ、Ｓｌｏｔ_ＩＤ、Ｃｅｌｌ_ＩＤ、及びＵＥ_ＩＤのうちの任意の１つ又は組み合わせとに基づいて、前記帯域幅の範囲内にあり、かつ、前記第１ポートに対応する前記第２時間シンボルに対応するサブキャリアの位置を決定するように構成され、前記第１ポートは、前記複数のポートのうちのいずれかであり、前記第２時間シンボルは、前記第１時間シンボル以外の前記期間内の任意の時間シンボルである、請求項３７から３９のいずれか一項に記載の受信デバイス。
【請求項４１】
前記帯域幅の範囲が複数のサブキャリアセットに均等に分割されたとき、前記帯域幅の範囲を分割することにより取得される前記複数のサブキャリアセットの数は、前記サブキャリアグループに含まれ、かつ、各ポートに対応する前記第１時間シンボルに対応するサブキャリアの数と同じであり、各サブキャリアセットは、前記サブキャリアグループにあり、かつ、各ポートに対応する前記第１時間シンボルに対応する１つのサブキャリアを有し、
前記サブキャリアグループにあり、かつ、各ポートに対応する前記第１時間シンボルに対応する各サブキャリアの前記チャネルパラメータに基づいて、かつ、各ポートに対応する前記他の時間シンボルのそれぞれに対応する前記サブキャリアの前記チャネルパラメータに基づいて、前記複数のポートのそれぞれの前記チャネルパラメータを決定するとき、前記処理ユニットは、具体的には、
前記サブキャリアグループにあり、かつ、前記第１ポートに対応する前記第１時間シンボルに対応する各サブキャリアのチャネルパラメータを、前記サブキャリアグループにあり、かつ、前記第１ポートに対応する前記第１時間シンボルに対応する各サブキャリアが属するサブキャリアセットのチャネルパラメータとして用い、前記第１ポートに対応する前記他の時間シンボルのそれぞれに対応する前記サブキャリアのチャネルパラメータを、前記第１ポートに対応する前記他の時間シンボルのそれぞれに対応する前記サブキャリアが属する第１サブキャリアセットのチャネルパラメータとして用い、前記第１ポートは、前記複数のポートのうちのいずれかであり、前記サブキャリアセットは、前記帯域幅の範囲内の前記複数のサブキャリアをグループ分けすることにより取得され、各サブキャリアセットは、前記サブキャリアグループにあり、かつ、前記第１ポートに対応する前記第１時間シンボルに対応する１つのサブキャリアを有し、
前記サブキャリアグループにあり、かつ、前記第１ポートに対応する前記第１時間シンボルに対応する各サブキャリアが属する前記サブキャリアセットの前記チャネルパラメータに基づいて、かつ、前記第１ポートに対応する前記他の時間シンボルのそれぞれに対応する前記サブキャリアが属する前記第１サブキャリアセットの前記チャネルパラメータに基づいて、前記第１サブキャリアセットを除く、前記第１ポートに対応する時間シンボルに対応するサブキャリアセットのそれぞれのチャネルパラメータを決定し、
前記第１ポートに対応する前記期間内の各時間シンボルに対応する各サブキャリアセットのチャネルパラメータに基づいて、前記第１ポートのチャネルパラメータを決定する
ように構成される、請求項３７から４０のいずれか一項に記載の受信デバイス。
【請求項４２】
前記第１サブキャリアセットを除く、前記第１ポートに対応する前記時間シンボルに対応する前記サブキャリアセットのそれぞれの前記チャネルパラメータを決定するとき、前記処理ユニットは、具体的には、
前記サブキャリアグループにあり、かつ、前記第１ポートに対応する前記第１時間シンボルに対応する各サブキャリアが属する前記サブキャリアセットの前記チャネルパラメータに基づいて、かつ、前記第１ポートに対応する第３時間シンボルに対応するサブキャリアが属する前記第１サブキャリアセットのチャネルパラメータに基づいて、前記第１ポートに対応する前記第３時間シンボルに対応する第２サブキャリアセットのチャネルパラメータを決定するように構成され、前記第３時間シンボルは、前記第１時間シンボル以外の前記期間内の任意の時間シンボルであり、前記第２サブキャリアセットは、前記第１サブキャリアセット以外のものであり、かつ、前記第３時間シンボルに対応する任意のサブキャリアセットであり、
前記第１ポートに対応する前記第３時間シンボルに対応する前記第２サブキャリアセットの前記チャネルパラメータを決定するとき、前記処理ユニットは、具体的には、
前記第１ポートに対応する前記第１時間シンボルに対応する前記第２サブキャリアセットのチャネルパラメータに、前記第１ポートに対応する前記第３時間シンボルに対応する前記第１サブキャリアセットの前記チャネルパラメータを乗算し、得られた乗算結果を、前記第１ポートに対応する前記第１時間シンボルに対応する前記第１サブキャリアセットのチャネルパラメータで除算して、前記第１ポートに対応する前記第３時間シンボルに対応する前記第２サブキャリアセットの前記チャネルパラメータを取得するように構成される、請求項４０に記載の受信デバイス。
【発明の詳細な説明】
【技術分野】
【０００１】
本願は、通信技術の分野、特に、基準信号伝送方法及び装置に関する。
【背景技術】
【０００２】
通信技術の発展に伴い、チャネル容量を増加させ、チャネル信頼性を向上させ、通信品質をさらに向上させるために、多くの無線通信システムがマルチアンテナ技術、すなわち、多入力多出力（Ｍｕｌｔｉｐｌｅ  Ｉｎｐｕｔ  Ｍｕｌｔｉｐｌｅ  Ｏｕｔｐｕｔ、ＭＩＭＯ）技術を用いる。
【０００３】
ＭＩＭＯ技術を用いる通信システムでは、アップコンバージョン／ダウンコンバージョン処理の間に、無線周波数チャネルのアップコンバージョン／ダウンコンバージョンキャリア周波数信号ソースを提供するのに、少なくとも１つの水晶発振子が通常用いられる。実際のシステムにおいて、水晶発振子に必然的に不具合があり、水晶発振子の不具合は、水晶発振子の出力周波数の明らかなランダム偏移の原因となる。これらの周波数偏移は、位相ノイズ（Ｐｈａｓｅ  Ｎｏｉｓｅ、ＰＮ）と称され得る。通信システムに用いられるキャリア周波数はがより高いときに、ＰＮの影響がより明らかとなる。通信システムにおいて正確にサービスデータ伝送を保証すべくは、受信端が、位相ノイズ状態をトラッキングし、位相ノイズの影響を補償することができるようにする必要がある。
【０００４】
位相ノイズは急速に変化する。例として直交周波数分割多重（ｏｒｔｈｏｇｏｎａｌ  ｆｒｅｑｕｅｎｃｙ-ｄｉｖｉｓｉｏｎ  ｍｕｌｔｉｐｌｅｘｉｎｇ、ＯＦＤＭ）システムを用いた場合、位相ノイズは、隣り合うＯＦＤＭシンボルでさえも異なる。この場合、通信システムにおいて、周波数領域内のコヒーレンス帯域幅を超えないチャネルパラメータは、コヒーレンス時間において変化しない状態を保つ（例としてＯＦＤＭシステムを用いた場合、コヒーレンス時間は、複数のＯＦＤＭシンボルに対応する期間を通常含む）。しかしながら、急速に変化する位相ノイズに起因して、受信デバイスがデータを正確に受信できることを保証すべく、受信デバイスは、ＯＦＤＭシンボルに対応する変化した位相ノイズと、異なるコヒーレンス帯域幅内のチャネルパラメータとを一緒に、すなわち、位相ノイズを含むＯＦＤＭシンボルにおけるチャネルパラメータを推定できるようにする必要がある。最も直接的な方法は、各サブバンドに対応する各ＯＦＤＭシンボルに少なくとも１つの基準信号を構成することである。サブバンドは、通信システム内の受信デバイスに割り当てられた帯域幅の範囲を分割することにより取得され、各サブバンドは複数のサブキャリアを含み、各サブバンドの帯域幅は、コヒーレンス帯域幅より小さい又は等しい。
【０００５】
例えば、通信システムにより受信デバイスに割り当てられた帯域幅の範囲が２つのサブバンドに分割され、各期間（１つのコヒーレンス時間）が７つのＯＦＤＭシンボルを含むとき、通信システムは、各サブバンドに対応する各ＯＦＤＭシンボルに、１つのポートに固有の少なくとも１つの基準信号を構成する必要がある。基準信号を構成する具体的な方式が図１に示される。図に示される１つのポートに固有の基準信号リソースマッピング図から、４２個のリソース要素（Ｒｅｓｏｕｒｃｅ  Ｅｌｅｍｅｎｔ、ＲＥ）のうちの少なくとも１４個に基準信号が構成されることが理解され得る。したがって、基準信号リソースオーバヘッドが比較的高い。
【０００６】
通信システムに比較的多くのポートがあるとき、通信システムは、前述の方式で各ポートに固有の基準信号を構成する必要がある。結果として、基準信号リソースオーバヘッドがかなり高くなる。
【発明の概要】
【０００７】
本発明の実施形態は、通信システムにおいて伝送される基準信号により占有されるリソースの比較的高いオーバヘッドについての従来技術の問題を解決するための基準信号伝送方法及び装置を提供する。
【０００８】
第１態様によれば、本発明の実施形態は、基準信号伝送方法を提供し、方法は、通信システム内の送信デバイスに適用される。方法は、送信デバイスにより、送信デバイスの第１ポートのための基準信号の構成情報を取得することにより、第１ポートに対応する基準信号により占有されるリソースの位置を決定する段階と、第１ポートに対応する基準信号をリソース上で送信する段階とを含み、構成情報は、時間領域において、第１時間シンボルの位置を含み、周波数領域において、特定の帯域幅の範囲内のサブキャリアグループにあり、かつ、第１時間シンボルに対応する各サブキャリアの位置と、帯域幅の範囲内にあり、かつ、第１時間シンボルを除く、リソースにより占有される期間内の時間シンボルのそれぞれに対応するサブキャリアの位置とを含み、サブキャリアグループは複数のサブキャリアを含み、帯域幅の範囲は送信デバイスにより構成され、帯域幅の範囲は複数のサブキャリアを含む。
【０００９】
１つの基準信号グループが、第１時間シンボルに構成され、１つの基準信号が第１時間シンボルを除く時間シンボルのそれぞれに構成されることが構成情報から理解され得る。少なくとも１つの基準信号が、各サブバンドに対応する各ＯＦＤＭシンボルに構成される従来技術と比較すると、前述の方法では、受信デバイスが第１ポートのチャネルパラメータを取得できるという前提に基づいて、通信システムにおいて伝送される基準信号により占有されるリソースのオーバヘッドが低減され得るので、サービスデータ伝送効率が改善される。
【００１０】
可能な設計において、送信デバイスは、
送信デバイスにより、第１ポートのポート番号を取得し、格納されたポート番号と時間シンボルの位置との間の対応関係に基づいて、第１ポートのポート番号に対応する第１時間シンボルの位置を決定する、という第１方式、又は、
送信デバイスにより、第１ポートのポート番号ｌ、リソースのタイムスロット番号Ｓｌｏｔ_ＩＤ、送信デバイスのセル番号Ｃｅｌｌ_ＩＤ、及び受信デバイス番号ＵＥ_ＩＤのうちの任意の１つ又は組み合わせに基づいて、第１時間シンボルの位置を決定する、という第２方式
の２つの方式で第１時間シンボルの位置を取得してよい。
【００１１】
送信デバイスは、前述の２つの方式で第１時間シンボルの位置を正確に取得できる。
【００１２】
可能な設計において、第１時間シンボルの位置は、以下の式、
ｕｉｎｄｅｘ＝ｍｏｄ（Ｘ，ＵＣｏｈ）
を満たす。ここで、ｕｉｎｄｅｘは、第１時間シンボルの位置であり、ＵＣｏｈは、リソースにより占有される期間に含まれる時間シンボルの数であり、Ｘは、ｌ又はｌと、Ｓｌｏｔ_ＩＤ、Ｃｅｌｌ_ＩＤ、及びＵＥ_ＩＤのうちの任意の１つ又は組み合わせとの合計である。
【００１３】
前述の方法では、第１時間シンボルの位置を算出すべく用いられる複数のパラメータがポート番号を含むとき、ポート番号が異なるので、少なくとも１つのポートに対応する第１時間シンボルの送信デバイスによる計算を介して取得される位置が明らかに異なる。この場合、各ポートは固有の第１時間シンボルを有する、すなわち、基準信号が、時分割方式で各ポートに固有に構成される。
【００１４】
可能な設計において、第１時間シンボルの位置は、以下の式、
ｕｉｎｄｅｘ＝ｍｏｄ（Ｙ，ＵＣｏｈ）
を満たす。ここで、ｕｉｎｄｅｘは、第１時間シンボルの位置であり、ＵＣｏｈは、リソースにより占有される期間に含まれる時間シンボルの数であり、Ｙは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。
【００１５】
前述の方法では、第１時間シンボルの位置を算出すべく用いられる複数のパラメータがポート番号を含んでいないとき、他のパラメータが固定値なので、少なくとも１つのポートに対応する第１時間シンボルの送信デバイスによる計算介して取得される位置は明らかに同じである。この場合、干渉を回避するべく、第１時間シンボルでは、異なるポートに対応する第１時間シンボルに対応するサブキャリアグループが異なる、すなわち、基準信号が、周波数分割方式で少なくとも１つのポートに固有に構成される。
【００１６】
可能な設計において、送信デバイスは、ｌ、Ｓｌｏｔ_ＩＤ、Ｃｅｌｌ_ＩＤ、及びＵＥ_ＩＤのうちの任意の１つ又は組み合わせに基づいて、サブキャリアグループにあり、かつ、第１時間シンボルに対応する各サブキャリアの位置を決定する。
【００１７】
可能な設計において、前述の設計に基づいて、サブキャリアグループにあり、かつ、第１時間シンボルに対応する各サブキャリアの位置は、以下の式、
ｋ１ｉｎｄｅｘ（ｎ）＝ｍｏｄ（Ｐ，ＫＳＢ）＋（ｎ−１）・ＫＳＢ
を満たす。ここで、ｎ＝１、２、...Ｎであり、Ｎは、サブキャリアグループにあり、かつ、第１時間シンボルに対応するサブキャリアの数であり、ｋ１ｉｎｄｅｘ（ｎ）は、サブキャリアグループにあり、かつ、第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数であり、Ｐは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。
【００１８】
可能な設計において、前述の設計に基づいて、サブキャリアグループにあり、かつ、第１時間シンボルに対応する各サブキャリアの位置は、以下の式、
ｋ１ｉｎｄｅｘ（ｎ）＝ｍｏｄ（Ｑ，ＫＳＢ）＋（ｎ−１）・ＫＳＢ
を満たす。ここで、ｎ＝１、２、...Ｎであり、Ｎは、サブキャリアグループにあり、かつ、第１時間シンボルに対応するサブキャリアの数であり、ｋ１ｉｎｄｅｘ（ｎ）は、サブキャリアグループにあり、かつ、第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数であり、Ｑは、ｌ又はｌと、Ｓｌｏｔ_ＩＤ、Ｃｅｌｌ_ＩＤ、及びＵＥ_ＩＤのうちの任意の１つ又は組み合わせとの合計である。
【００１９】
可能な設計において、送信デバイスは、ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、サブキャリアグループにあり、かつ、第１時間シンボルに対応する各サブキャリアの位置を決定してよい。
【００２０】
通信システムが周波数分割方式を用いて各ポートに固有の基準信号を構成するとき、異なるポートは、同一の第１時間シンボルに対応する。故に、異なるポート間の干渉を回避するべく、異なるポートに対応する基準信号が異なるリソースを占有することが保証されるために必要である。この場合、サブキャリアグループにあり、かつ、各ポートに対応する第１時間シンボルに対応するサブキャリアの位置を算出するとき、送信デバイスは、異なるポート間に干渉が発生しないことを保証するべく、変数、すなわち、ポート番号を用いる必要がある。
【００２１】
可能な設計において、送信デバイスが、ｌに基づいて、サブキャリアグループにあり、かつ、第１時間シンボルに対応する各サブキャリアの位置を決定するとき、サブキャリアグループにあり、かつ、第１時間シンボルに対応する各サブキャリアの位置は、以下の式、
ｋ１ｉｎｄｅｘ（ｎ）＝ｍｏｄ（ｌ，ＫＳＢ）＋（ｎ−１）・ＫＳＢ
を満たす。ここで、ｎ＝１、２、...Ｎであり、Ｎは、サブキャリアグループにあり、かつ、第１時間シンボルに対応するサブキャリアの数であり、ｋ１ｉｎｄｅｘ（ｎ）は、サブキャリアグループにあり、かつ、第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数である。
【００２２】
可能な設計において、送信デバイスが、ｌと、Ｓｌｏｔ_ＩＤ、Ｃｅｌｌ_ＩＤ、及びＵＥ_ＩＤのうちの任意の１つ又は組み合わせとに基づいて、サブキャリアグループにあり、かつ、第１時間シンボルに対応する各サブキャリアの位置を決定するとき、サブキャリアグループにあり、かつ、第１時間シンボルに対応する各サブキャリアの位置は、以下の式、
ｋ１ｉｎｄｅｘ（ｎ）＝ｍｏｄ（ｌ＋Ｐ，ＫＳＢ）＋（ｎ−１）・ＫＳＢ
を満たす。ここで、ｎ＝１、２、...Ｎであり、Ｎは、サブキャリアグループにあり、かつ、第１時間シンボルに対応するサブキャリアの数であり、ｋ１ｉｎｄｅｘ（ｎ）は、サブキャリアグループにあり、かつ、第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数であり、Ｐは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。
【００２３】
可能な設計において、送信デバイスにより、帯域幅の範囲内にあり、かつ、第１時間シンボルを除く、期間内の時間シンボルのそれぞれに対応するサブキャリアの位置を取得する段階は、
送信デバイスにより、ｌと、期間内の第２時間シンボルの位置ｕ、Ｓｌｏｔ_ＩＤ、Ｃｅｌｌ_ＩＤ、及びＵＥ_ＩＤのうちの任意の１つ又は組み合わせとに基づいて、帯域幅の範囲内にあり、かつ、第２時間シンボルに対応するサブキャリアの位置を決定する段階であって、第２時間シンボルは、第１時間シンボル以外の期間内の任意の時間シンボルである、段階を含む。
【００２４】
前述の方法では、他のシンボルのそれぞれに対応するサブキャリアの位置を送信デバイスが算出するときに用いられる複数のパラメータは、ポート番号を含む。ポート番号が異なるので、異なるポートに対応する他の時間シンボルのそれぞれに対応するサブキャリアの、送信デバイスによる計算を介して取得される位置は明らかに異なる。この場合、異なるポート間の干渉を回避できない。
【００２５】
可能な設計において、帯域幅の範囲内にあり、かつ、第２時間シンボルに対応するサブキャリアの位置は、以下の式、
ｋ２ｉｎｄｅｘ＝ｍｏｄ（ｌ＋Ｒ，Ｋ）
を満たす。ここで、ｋ２ｉｎｄｅｘは、帯域幅の範囲内にあり、かつ、第２時間シンボルに対応するサブキャリアの位置であり、Ｒは、ｕ、Ｓｌｏｔ_ＩＤ、Ｃｅｌｌ_ＩＤ、及びＵＥ_ＩＤのうちのいずれか１つ、４つの項目のうちのいずれか２つ又は３つの合計、４つの項目の合計、又は、Ｒ＝ｕ×ＫＳＢ＋Ｔであり、Ｔは、ｕ、Ｓｌｏｔ_ＩＤ、Ｃｅｌｌ_ＩＤ、及びＵＥ_ＩＤのうちのいずれか１つ、４つの項目のうちのいずれか２つの合計、４つの項目のうちのいずれか３つの合計、又は、４つの項目の合計であり、ＫＳＢは、帯域幅の範囲が複数のサブキャリアセットに均等に分割されたときの各サブキャリアセットに含まれるサブキャリアの数であり、Ｋは、帯域幅の範囲内に含まれるサブキャリアの総数量である。
【００２６】
第２態様によれば、本発明の実施形態は、基準信号伝送方法をさらに提供し、方法は、通信システム内の受信デバイスに適用され、通信システムは、前述の実施形態における送信デバイスをさらに含む。方法は、受信デバイスにより、送信デバイスのスケジューリング情報を取得する段階と、スケジューリング情報に基づいて、第１ポートのための基準信号の構成情報を取得する段階と、受信デバイスにより、構成情報により示されるリソース上で、送信デバイスにより送信された第１ポートに対応する基準信号を受信する段階と、受信デバイスにより、受信した基準信号に基づいてチャネル推定を実行し、サブキャリアグループにあり、かつ、第１時間シンボルに対応する各サブキャリアのチャネルパラメータを決定し、他の時間シンボルのそれぞれに対応するサブキャリアのチャネルパラメータを決定する段階と、サブキャリアグループにあり、かつ、第１時間シンボルに対応する各サブキャリアのチャネルパラメータに基づいて、かつ、他の時間シンボルのそれぞれに対応するサブキャリアのチャネルパラメータに基づいて、第１ポートのチャネルパラメータを決定する段階とを含み、構成情報は、時間領域において、第１時間シンボルの位置を含み、周波数領域において、帯域幅の範囲内のサブキャリアグループにあり、かつ、第１時間シンボルに対応する各サブキャリアの位置と、帯域幅の範囲内にあり、かつ、第１時間シンボルを除く、リソースにより占有される期間内の時間シンボルのそれぞれに対応するサブキャリアの位置とを含み、各ポートに対応する第１時間シンボルに対応するサブキャリアグループは複数のサブキャリアを含む。
【００２７】
１つの基準信号グループが、第１時間シンボルに構成され、１つの基準信号が第１時間シンボルを除く時間シンボルのそれぞれに構成されることが構成情報から理解され得る。少なくとも１つの基準信号が、各サブバンドに対応する各ＯＦＤＭシンボルに構成される従来技術と比較すると、前述の方法では、受信デバイスが第１ポートのチャネルパラメータを取得できるという前提に基づいて、通信システムにおいて伝送される基準信号により占有されるリソースのオーバヘッドが低減され得るので、サービスデータ伝送効率が改善される。
【００２８】
可能な設計において、受信デバイスにより構成情報の内容を決定するための方法は、送信デバイスにより構成情報の対応する内容を決定するための方法と同じである。
【００２９】
このように、受信デバイスにより取得される構成情報が送信デバイスにより取得される構成情報と同じであることを保証でき、その結果、受信デバイスは、構成情報により示されるリソース上である基準信号を正確に受信できることを保証する。
【００３０】
可能な設計において、帯域幅の範囲を分割することにより取得される複数のサブキャリアセットの数は、サブキャリアグループに含まれ、かつ、第１時間シンボルに対応するサブキャリアの数と同じであり、各サブキャリアセットは、サブキャリアグループにあり、かつ、第１時間シンボルに対応する１つのサブキャリアを含み、
受信デバイスは、
受信デバイスのサブキャリアグループにあり、かつ、第１時間シンボルに対応する各サブキャリアのチャネルパラメータを、サブキャリアグループにあり、かつ、第１時間シンボルに対応する各サブキャリアが属するサブキャリアセットのチャネルパラメータとして用い、他の時間シンボルのそれぞれに対応するサブキャリアのチャネルパラメータを、他の時間シンボルのそれぞれに対応するサブキャリアが属する第１サブキャリアセットのチャネルパラメータとして用いる段階であって、サブキャリアセットは、帯域幅の範囲内の複数のサブキャリアをグループ分けすることにより取得され、各サブキャリアセットは、サブキャリアグループにあり、かつ、第１時間シンボルに対応する１つのサブキャリアを含む、段階と、
受信デバイスにより、サブキャリアグループにあり、かつ、第１時間シンボルに対応する各サブキャリアが属するサブキャリアセットのチャネルパラメータに基づいて、かつ、他の時間シンボルのそれぞれに対応するサブキャリアが属する第１サブキャリアセットのチャネルパラメータに基づいて、第１サブキャリアセットを除く時間シンボルに対応するサブキャリアセットのそれぞれのチャネルパラメータを決定する段階と、
受信デバイスにより、期間内の各時間シンボルに対応する各サブキャリアセットのチャネルパラメータに基づいて、第１ポートのチャネルパラメータを決定する段階と
を用いることにより、サブキャリアグループにあり、かつ、第１時間シンボルに対応する各サブキャリアのチャネルパラメータに基づいて、かつ、他の時間シンボルのそれぞれに対応するサブキャリアのチャネルパラメータに基づいて、第１ポートのチャネルパラメータを決定してよい。
【００３１】
前述の方法によれば、受信デバイスは、サブキャリアグループにあり、かつ、第１時間シンボルに対応する各サブキャリアのチャネルパラメータに基づいて、かつ、他の時間シンボルのそれぞれに対応するサブキャリアのチャネルパラメータに基づいて、第１ポートのチャネルパラメータを決定し得る。
【００３２】
可能な設計において、受信デバイスは、
受信デバイスにより、サブキャリアグループにあり、かつ、第１時間シンボルに対応する各サブキャリアが属するサブキャリアセットのチャネルパラメータに基づいて、かつ、第３時間シンボルに対応するサブキャリアが属する第１サブキャリアセットのチャネルパラメータに基づいて、第３時間シンボルに対応する第２サブキャリアセットのチャネルパラメータを決定する段階であって、第３時間シンボルは、第１時間シンボル以外の期間内の任意の時間シンボルであり、第２サブキャリアセットは、第１サブキャリアセット以外のものであり、かつ、第３時間シンボルに対応する任意のサブキャリアセットである、段階
を用いることにより、第１サブキャリアセットを除く時間シンボルに対応するサブキャリアセットのそれぞれのチャネルパラメータを決定してよく、
受信デバイスにより、第３時間シンボルに対応する第２サブキャリアセットのチャネルパラメータを決定する段階は、
受信デバイスにより、第１時間シンボルに対応する第２サブキャリアセットのチャネルパラメータに、第３時間シンボルに対応する第１サブキャリアセットのチャネルパラメータを乗算し、得られた乗算結果を、第１時間シンボルに対応する第１サブキャリアセットのチャネルパラメータで除算して、第３時間シンボルに対応する第２サブキャリアセットのチャネルパラメータを取得する段階を含む。
【００３３】
前述の方法によれば、受信デバイスは、第１サブキャリアセットを除く、他の時間シンボルのそれぞれに対応するサブキャリアセットのそれぞれのチャネルパラメータを決定し得る。
【００３４】
第３態様によれば、本発明の実施形態は、基準信号伝送方法を提供し、方法は、通信システム内の送信デバイスに適用される。方法は、送信デバイスにより、送信デバイスの複数のポートのための構成情報を取得することにより、複数のポートに対応する基準信号により占有されるリソースの位置を決定する段階と、複数のポートに対応する基準信号をリソース上で送信する段階とを含み、構成情報は、時間領域において、第１時間シンボルの位置を含み、周波数領域において、特定の帯域幅の範囲内のサブキャリアグループにあり、かつ、各ポートに対応する、第１時間シンボルに対応する各サブキャリアの位置と、帯域幅の範囲内にあり、かつ、第１時間シンボルを除く、各ポートに対応するリソースにより占有される期間内の時間シンボルのそれぞれに対応するサブキャリアの位置とを含み、サブキャリアグループは複数のサブキャリアを含み、帯域幅の範囲は送信デバイスにより構成され、帯域幅の範囲は複数のサブキャリアを含む。
【００３５】
１つの基準信号グループが、各ポートに対応する第１時間シンボルに構成され、１つの基準信号が、第１時間シンボルを除く、各ポートに対応する時間シンボルのそれぞれに構成されることが構成情報から理解され得る。少なくとも１つの基準信号が、各ポートに対応する各サブバンドに対応する各ＯＦＤＭシンボルに構成される従来技術と比較して、前述の方法では、受信デバイスが複数のポートのそれぞれのチャネルパラメータを取得できるという前提に基づいて、通信システムにおいて伝送される基準信号により占有されるリソースのオーバヘッドが低減され得るので、サービスデータ伝送効率が改善される。さらに、送信デバイスは、時間ごとに複数のポートに対応する基準信号を送信してよく、故に、受信デバイスは、時間ごとに複数のポートのチャネルパラメータを取得してよい。これは、通信システム内の送信デバイス及び受信デバイスの作業効率を向上させ、受信デバイスにより、送信デバイスの複数のポートのチャネルパラメータを決定するための時間を低減させる。
【００３６】
可能な設計において、送信デバイスは、
送信デバイスにより、複数のポートのそれぞれのポート番号を取得し、複数のポートのそれぞれのポート番号を含む第１ポートグループを決定し、格納されたポートグループと時間シンボルの位置との間の対応関係に基づいて、第１ポートグループに対応する第１時間シンボルの位置を決定し、ポートグループと時間シンボルの位置との間の対応関係において、１又は複数のポートグループは、第１時間シンボルの位置に対応する、という第１方式、又は、
送信デバイスにより、リソースのタイムスロット番号Ｓｌｏｔ_ＩＤ、送信デバイスのセル番号Ｃｅｌｌ_ＩＤ、及び受信デバイス番号ＵＥ_ＩＤのうちの任意の１つ又は組み合わせに基づいて、第１時間シンボルの位置を決定する、という第２方式
の２つの方式で第１時間シンボルの位置を取得してよい。
【００３７】
送信デバイスは、前述の２つの方式で第１時間シンボルの位置を正確に取得できる。
【００３８】
可能な設計において、第１時間シンボルの位置は、以下の式、
ｕｉｎｄｅｘ＝ｍｏｄ（Ｙ，ＵＣｏｈ）
を満たす。ここで、ｕｉｎｄｅｘは、第１時間シンボルの位置であり、ＵＣｏｈは、リソースにより占有される期間に含まれる時間シンボルの数であり、Ｙは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。
【００３９】
可能な設計において、送信デバイスは、第１ポートのポート番号ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、サブキャリアグループにあり、かつ、第１ポートに対応する第１時間シンボルに対応する各サブキャリアの位置を決定してよく、第１ポートは、複数のポートのうちのいずれかである。
【００４０】
前述の設計では、複数のポートが同一の第１時間シンボルに対応する。故に、異なるポート間の干渉を回避するべく、異なるポートに対応する基準信号が異なるリソースを占有することが保証されるために必要である。この場合、サブキャリアグループにあり、かつ、複数のポートのそれぞれに対応する第１時間シンボルに対応するサブキャリアの位置を算出するとき、送信デバイスは、異なるポート間に干渉が発生しないことを保証するべく、変数、すなわち、ポート番号を用いる必要がある。
【００４１】
可能な設計において、送信デバイスが、ｌに基づいて、サブキャリアグループにあり、かつ、第１ポートに対応する第１時間シンボルに対応する各サブキャリアの位置を決定するとき、サブキャリアグループにあり、かう、第１ポートに対応する第１時間シンボルに対応する各サブキャリアの位置は、以下の式、
ｋ１ｉｎｄｅｘ（ｎ）＝ｍｏｄ（ｌ，ＫＳＢ）＋（ｎ−１）・ＫＳＢ
を満たす。ここで、ｎ＝１、２、...Ｎであり、Ｎは、サブキャリアグループにあり、かつ、第１ポートに対応する第１時間シンボルに対応するサブキャリアの数であり、ｋ１ｉｎｄｅｘ（ｎ）は、サブキャリアグループにあり、かつ、第１ポートに対応する第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数である。
【００４２】
可能な設計において、送信デバイスが、ｌと、Ｓｌｏｔ_ＩＤ、Ｃｅｌｌ_ＩＤ、及びＵＥ_ＩＤのうちの任意の１つ又は組み合わせとに基づいて、サブキャリアグループにあり、かつ、第１ポートに対応する第１時間シンボルに対応する各サブキャリアの位置を決定するとき、サブキャリアグループにあり、かつ、第１ポートに対応する第１時間シンボルに対応する各サブキャリアの位置は、以下の式、
ｋ１ｉｎｄｅｘ（ｎ）＝ｍｏｄ（ｌ＋Ｐ，ＫＳＢ）＋（ｎ−１）・ＫＳＢ
を満たす。ここで、ｎ＝１、２、...Ｎであり、Ｎは、サブキャリアグループにあり、かつ、第１ポートに対応する第１時間シンボルに対応するサブキャリアの数であり、ｋ１ｉｎｄｅｘ（ｎ）は、サブキャリアグループにあり、かつ、第１ポートに対応する第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数であり、Ｐは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。
【００４３】
可能な設計において、送信デバイスは、第１ポートのポート番号ｌと、ｕ、Ｓｌｏｔ_ＩＤ、Ｃｅｌｌ_ＩＤ、及びＵＥ_ＩＤのうちの任意の１つ又は組み合わせとに基づいて、帯域幅の範囲内にあり、かつ、第１ポートに対応する第２時間シンボルに対応するサブキャリアの位置を決定してよく、第１ポートは、複数のポートのうちのいずれかであり、第２時間シンボルは、第１時間シンボル以外の期間内の任意の時間シンボルである。
【００４４】
前述の方法では、各ポートに対応する第２時間シンボルに対応するサブキャリアの位置を送信デバイスが算出するときに用いられる複数のパラメータは、ポート番号を含む。ポート番号が異なるので、異なるポートに対応する第２時間シンボルに対応するサブキャリアの、送信デバイスによる計算を介して取得される位置は明らかに異なる。この場合、異なるポート間の干渉を回避できない。
【００４５】
可能な設計において、帯域幅の範囲内にあり、かつ、第１ポートに対応する第２時間シンボルに対応するサブキャリアの位置は、以下の式、
ｋ２ｉｎｄｅｘ＝ｍｏｄ（ｌ＋Ｒ，Ｋ）
を満たす。ここで、ｋ２ｉｎｄｅｘは、帯域幅の範囲内にあり、かつ、第１ポートに対応する第２時間シンボルに対応するサブキャリアの位置であり、Ｒは、ｕ、Ｓｌｏｔ_ＩＤ、Ｃｅｌｌ_ＩＤ、及びＵＥ_ＩＤのうちのいずれか１つ、４つの項目のうちのいずれか２つ又は３つの合計、４つの項目の合計、又は、Ｒ＝ｕ×ＫＳＢ＋Ｔであり、Ｔは、ｕ、Ｓｌｏｔ_ＩＤ、Ｃｅｌｌ_ＩＤ、及びＵＥ_ＩＤのうちのいずれか１つ、４つの項目のうちのいずれか２つの合計、４つの項目のうちのいずれか３つの合計、又は、４つの項目の合計であり、ＫＳＢは、帯域幅の範囲が複数のサブキャリアセットに均等に分割されたときの各サブキャリアセットに含まれるサブキャリアの数であり、Ｋは、帯域幅の範囲内に含まれるサブキャリアの総数量である。
【００４６】
可能な設計において、以下の方法を用いることにより、送信デバイスは、複数のポートに対応する基準信号を、複数のポートに対応する基準信号により占有される構成情報により示されるリソース上で送信する。送信デバイスは、複数のポートに対応する基準信号に、予め設定された直交カバーコードを乗算して、複数のポートに対応する処理済み基準信号を取得し、直交カバーコードは、複数のポートに固有に構成され、送信デバイスは、複数のポートに対応する処理済み信号をリソース上で送信する。
【００４７】
符号分割方式が、複数のポートに対応する基準信号を構成するべく用いられ、その結果、送信デバイスが複数のポートに対応する基準信号を一斉に送信するときに引き起こされる複数のポート間の相互干渉を回避し、受信デバイスは、複数のポート上のチャネル測定を実行し、それにより、受信デバイスによるチャネル測定の精度を向上させる。
【００４８】
第４態様によれば、本発明の実施形態は、基準信号伝送方法をさらに提供し、方法は、通信システム内の受信デバイスに適用され、通信システムは、前述の実施形態における送信デバイスをさらに含む。方法は、受信デバイスにより、送信デバイスのスケジューリング情報を取得する段階と、受信デバイスにより、スケジューリング情報に基づいて、複数のポートのための基準信号の構成情報を取得する段階と、受信デバイスにより、構成情報により示されるリソース上で、送信デバイスにより送信された複数のポートに対応する基準信号を受信する段階と、受信デバイスにより、受信した基準信号に基づいてチャネル推定を実行し、サブキャリアグループにあり、かつ、各ポートに対応する第１時間シンボルに対応する各サブキャリアのチャネルパラメータを決定し、各ポートに対応する他の時間シンボルのそれぞれに対応するサブキャリアのチャネルパラメータを決定する段階と、サブキャリアグループにあり、かつ、各ポートに対応する第１時間シンボルに対応する各サブキャリアのチャネルパラメータに基づいて、かつ、各ポートに対応する他の時間シンボルのそれぞれに対応するサブキャリアのチャネルパラメータに基づいて、複数のポートのそれぞれのチャネルパラメータを最終的に決定する段階とを含み、構成情報は、時間領域において、第１時間シンボルの位置を含み、周波数領域において、帯域幅の範囲内のサブキャリアグループにあり、かつ、各ポートに対応する第１時間シンボルに対応する各サブキャリアの位置と、帯域幅の範囲内にあり、かつ、第１時間シンボルを除く、各ポートに対応するリソースにより占有される期間内の時間シンボルのそれぞれに対応するサブキャリアの位置とを含み、各ポートに対応する第１時間シンボルに対応するサブキャリアグループは複数のサブキャリアを含む。
【００４９】
１つの基準信号グループが、各ポートに対応する第１時間シンボルに構成され、１つの基準信号が、第１時間シンボルを除く、各ポートに対応する時間シンボルのそれぞれに構成されることが構成情報から理解され得る。少なくとも１つの基準信号が、各ポートに対応する各サブバンドに対応する各ＯＦＤＭシンボルに構成される従来技術と比較して、前述の方法では、受信デバイスが複数のポートのそれぞれのチャネルパラメータを取得できるという前提に基づいて、通信システムにおいて伝送される基準信号により占有されるリソースのオーバヘッドが低減され得るので、サービスデータ伝送効率が改善される。さらに、送信デバイスは、時間ごとに複数のポートに対応する基準信号を送信してよく、故に、受信デバイスは、時間ごとに複数のポートのチャネルパラメータを取得してよい。これは、通信システム内の送信デバイス及び受信デバイスの作業効率を向上させ、受信デバイスにより、送信デバイスの複数のポートのチャネルパラメータを決定するための時間を低減させる。
【００５０】
可能な設計において、受信デバイスにより構成情報の内容を決定するための方法は、送信デバイスにより構成情報の対応する内容を決定するための方法と同じである。
【００５１】
このように、受信デバイスにより取得される構成情報が送信デバイスにより取得される構成情報と同じあることを保証でき、その結果、受信デバイスは、構成情報により示されるリソース上である基準信号を正確に受信できることを保証する。
【００５２】
可能な設計において、帯域幅の範囲を分割することにより取得される複数のサブキャリアセットの数は、サブキャリアグループに含まれ、かつ、各ポートに対応する第１時間シンボルに対応するサブキャリアの数と同じであり、各サブキャリアセットは、サブキャリアグループにあり、かつ、各ポートに対応する第１時間シンボルに対応する１つのサブキャリアを含み、
受信デバイスは、
受信デバイスにより、サブキャリアグループにあり、かつ、第１ポートに対応する第１時間シンボルに対応する各サブキャリアのチャネルパラメータを、サブキャリアグループにあり、かつ、第１ポートに対応する第１時間シンボルに対応する各サブキャリアが属するサブキャリアセットのチャネルパラメータとして用い、第１ポートに対応する他の時間シンボルのそれぞれに対応するサブキャリアのチャネルパラメータを、第１ポートに対応する他の時間シンボルのそれぞれに対応するサブキャリアが属する第１サブキャリアセットのチャネルパラメータとして用いる段階であって、第１ポートは、複数のポートのうちのいずれかであり、サブキャリアセットは、帯域幅の範囲内の複数のサブキャリアをグループ分けすることにより取得され、各サブキャリアセットは、サブキャリアグループにあり、かつ、第１ポートに対応する第１時間シンボルに対応する１つのサブキャリアを含む、段階と、
受信デバイスにより、サブキャリアグループにあり、かつ、第１ポートに対応する第１時間シンボルに対応する各サブキャリアが属するサブキャリアセットのチャネルパラメータに基づいて、かつ、第１ポートに対応する他の時間シンボルのそれぞれに対応するサブキャリアが属する第１サブキャリアセットのチャネルパラメータに基づいて、第１サブキャリアセットを除く、第１ポートに対応する時間シンボルに対応するサブキャリアセットのそれぞれのチャネルパラメータを決定する段階と、
受信デバイスにより、第１ポートに対応する期間内の各時間シンボルに対応する各サブキャリアセットのチャネルパラメータに基づいて、第１ポートのチャネルパラメータを決定する段階と
を用いることにより、サブキャリアグループにあり、かつ、各ポートに対応する第１時間シンボルに対応する各サブキャリアのチャネルパラメータに基づいて、かつ、各ポートに対応する他の時間シンボルのそれぞれに対応するサブキャリアのチャネルパラメータに基づいて、複数のポートのそれぞれのチャネルパラメータを決定してよい。
【００５３】
前述の方法によれば、受信デバイスは、サブキャリアグループにあり、かつ、各ポートに対応する第１時間シンボルに対応する各サブキャリアのチャネルパラメータに基づいて、かつ、各ポートに対応する他の時間シンボルのそれぞれに対応するサブキャリアのチャネルパラメータに基づいて、複数のポートのそれぞれのチャネルパラメータを決定し得る。
【００５４】
可能な設計において、受信デバイスは、
受信デバイスにより、サブキャリアグループにあり、かつ、第１ポートに対応する第１時間シンボルに対応する各サブキャリアが属するサブキャリアセットのチャネルパラメータに基づいて、かつ、第１ポートに対応する第３時間シンボルに対応するサブキャリアが属する第１サブキャリアセットのチャネルパラメータに基づいて、第１ポートに対応する第３時間シンボルに対応する第２サブキャリアセットのチャネルパラメータを決定する段階であって、第３時間シンボルは、第１時間シンボル以外の期間内の任意の時間シンボルであり、第２サブキャリアセットは、第１サブキャリアセット以外のものであり、かつ、第３時間シンボルに対応する任意のサブキャリアセットである、段階
を用いることにより、第１サブキャリアセットを除く、第１ポートに対応する時間シンボルに対応するサブキャリアセットのそれぞれのチャネルパラメータを決定してよく、
受信デバイスにより、第１ポートに対応する第３時間シンボルに対応する第２サブキャリアセットのチャネルパラメータを決定する段階は、
受信デバイスにより、第１ポートに対応する第１時間シンボルに対応する第２サブキャリアセットのチャネルパラメータに、第１ポートに対応する第３時間シンボルに対応する第１サブキャリアセットのチャネルパラメータを乗算し、得られた乗算結果を、第１ポートに対応する第１時間シンボルに対応する第１サブキャリアセットのチャネルパラメータで除算して、第１ポートに対応する第３時間シンボルに対応する第２サブキャリアセットのチャネルパラメータを取得する段階を含む。
【００５５】
前述の方法によれば、受信デバイスは、第１サブキャリアセットを除く、第１ポートに対応する他の時間シンボルのそれぞれに対応するサブキャリアセットのそれぞれのチャネルパラメータを決定し得る。
【００５６】
第５態様によれば、本発明の実施形態は、送信デバイスをさらに提供し、送信デバイスは、通信システムに適用され、送信デバイスは、第１態様の方法例における送信デバイスの操作を行う機能を有する。機能は、ハードウェアを用いることにより実装されてよい、又は、対応するソフトウェアを実行するハードウェアにより実装されてよい。ハードウェア又はソフトウェアは、前述の機能に対応する１又は複数のモジュールを含む。
【００５７】
可能な設計において、送信デバイスの構造は、取得ユニット及び送信ユニットを含み、これらのユニットは、前述の方法例に対応する機能を実行できる。詳細については、方法例における詳細な説明を参照する。詳細はここでは再度説明しない。
【００５８】
可能な設計において、送信デバイスの構造は、トランシーバ、プロセッサ、バス、及びメモリを含む。トランシーバは、通信システム内の別のデバイスとの通信インタラクションを実行するように構成され、プロセッサは、前述の方法に対応する機能を実行する際に送信デバイスをサポートするように構成される。メモリは、プロセッサに結合され、送信デバイスにより要求されるプログラム命令及びデータを格納する。
【００５９】
第６態様によれば、本発明の実施形態は、受信デバイスをさらに提供し、受信デバイスは、通信システムに適用され、通信システムは、前述の送信デバイスをさらに含み、受信デバイスは、第２態様の方法例における受信デバイスの操作を行う機能を有する。機能は、ハードウェアを用いることにより実装されてよい、又は、対応するソフトウェアを実行するハードウェアにより実装されてよい。ハードウェア又はソフトウェアは、前述の機能に対応する１又は複数のモジュールを含む。
【００６０】
可能な設計において、受信デバイスの構造は、取得ユニット、受信ユニット、及び処理ユニットを含み、これらのユニットは、前述の方法例に対応する機能を実行できる。詳細については、方法例における詳細な説明を参照する。詳細はここでは再度説明しない。
【００６１】
可能な設計において、受信デバイスの構造は、トランシーバ、プロセッサ、バス、及びメモリを含む。トランシーバは、通信システム内の別のデバイスとの通信インタラクションを実行するように構成され、プロセッサは、前述の方法に対応する機能を実行する際に受信デバイスをサポートするように構成される。メモリは、プロセッサに結合され、受信デバイスにより要求されるプログラム命令及びデータを格納する。
【００６２】
第７態様によれば、本発明の実施形態は、通信システムを提供し、通信システムは、送信デバイス及び受信デバイスを含む。送信デバイスは、第１態様の方法例における送信デバイスの操作を行う機能を有し、受信デバイスは、第２態様の方法例における受信デバイスの操作を行う機能を有する。
【００６３】
第８態様によれば、本発明の実施形態は、送信デバイスをさらに提供し、送信デバイスは、通信システムに適用され、送信デバイスは、第３態様の方法例における送信デバイスの操作を行う機能を有する。機能は、ハードウェアを用いることにより実装されてよい、又は、対応するソフトウェアを実行するハードウェアにより実装されてよい。ハードウェア又はソフトウェアは、前述の機能に対応する１又は複数のモジュールを含む。
【００６４】
可能な設計において、送信デバイスの構造は、取得ユニット及び送信ユニットを含み、これらのユニットは、前述の方法例に対応する機能を実行できる。詳細については、方法例における詳細な説明を参照する。詳細はここでは再度説明しない。
【００６５】
可能な設計において、送信デバイスの構造は、トランシーバ、プロセッサ、バス、及びメモリを含む。トランシーバは、通信システム内の別のデバイスとの通信インタラクションを実行するように構成され、プロセッサは、前述の方法に対応する機能を実行する際に送信デバイスをサポートするように構成される。メモリは、プロセッサに結合され、送信デバイスにより要求されるプログラム命令及びデータを格納する。
【００６６】
第９態様によれば、本発明の実施形態は、受信デバイスをさらに提供し、受信デバイスは、通信システムに適用され、通信システムは、前述の送信デバイスをさらに含み、受信デバイスは、第４態様の方法例における受信デバイスの操作を行う機能を有する。機能は、ハードウェアを用いることにより実装されてよい、又は、対応するソフトウェアを実行するハードウェアにより実装されてよい。ハードウェア又はソフトウェアは、前述の機能に対応する１又は複数のモジュールを含む。
【００６７】
可能な設計において、受信デバイスの構造は、取得ユニット、受信ユニット、及び送信ユニットを含み、これらのユニットは、前述の方法例に対応する機能を実行できる。詳細については、方法例における詳細な説明を参照する。詳細はここでは再度説明しない。
【００６８】
可能な設計において、受信デバイスの構造は、トランシーバ、プロセッサ、バス、及びメモリを含む。トランシーバは、通信システム内の別のデバイスとの通信インタラクションを実行するように構成され、プロセッサは、前述の方法に対応する機能を実行する際に受信デバイスをサポートするように構成される。メモリは、プロセッサに結合され、受信デバイスにより要求されるプログラム命令及びデータを格納する。
【００６９】
第１０態様によれば、本発明の実施形態は、通信システムを提供し、通信システムは、送信デバイス及び受信デバイスを含む。送信デバイスは、第３態様の方法例における送信デバイスの操作を行う機能を有し、受信デバイスは、第４態様の方法例における受信デバイスの操作を行う機能を有する。
【００７０】
本発明の実施形態において、送信デバイスは、１又は複数のポートに対応する１つの基準信号／複数の基準信号を送信してよく、送信の間、各ポートに対応する１つの基準信号グループは、第１時間シンボルに構成され、各ポートに対応する１つの基準信号は、第１時間シンボルを除く時間シンボルのそれぞれに構成される。故に、受信デバイスが各ポートのチャネルパラメータを取得できるという前提に基づいて、通信システムにおいて伝送される基準信号により占有されるリソースのオーバヘッドが低減され得ることで、サービスデータ伝送効率が改善される。
【図面の簡単な説明】
【００７１】
【図１】従来技術において提供される１つのポートに固有の概略的なリソースマッピング図である。
【００７２】
【図２】従来技術において提供される基準信号伝送システムの概略的なアーキテクチャの図である。
【００７３】
【図３】本発明の実施形態に係る基準信号伝送方法のフローチャートである。
【００７４】
【図４】本発明の実施形態に係る１つのポートに固有の概略的なリソースマッピング図である。
【００７５】
【図５】本発明の実施形態に係る２つのポートに固有の概略的なリソースマッピング図である。
【００７６】
【図６】本発明の実施形態に係る２つのポートに固有の別の概略的なリソースマッピング図である。
【００７７】
【図７】本発明の実施形態に係る別の基準信号伝送方法のフローチャートである。
【００７８】
【図８】本発明の実施形態に係るさらに別の基準信号伝送方法のフローチャートである。
【００７９】
【図９】本発明の実施形態に係る２つのポートに固有のさらに別の概略的なリソースマッピング図である。
【００８０】
【図１０】本発明の実施形態に係る２つのポートに固有のさらに別の概略的なリソースマッピング図である。
【００８１】
【図１１】本発明の実施形態に係る２つのポートグループに関する概略的なリソースマッピング図である。
【００８２】
【図１２】本発明の実施形態に係る２つのポートグループに関する別の概略的なリソースマッピング図である。
【００８３】
【図１３】本発明の実施形態に係るさらに別の基準信号伝送方法のフローチャートである。
【００８４】
【図１４】本発明の実施形態に係る送信デバイスの概略的な構造図である。
【００８５】
【図１５】本発明の実施形態に係る受信デバイスの概略的な構造図である。
【００８６】
【図１６】本発明の実施形態に係る別の送信デバイスの概略的な構造図である。
【００８７】
【図１７】本発明の実施形態に係る別の受信デバイスの概略的な構造図である。
【００８８】
【図１８】本発明の実施形態に係る送信デバイスの構造図である。
【００８９】
【図１９】本発明の実施形態に係る受信デバイスの構造図である。
【００９０】
【図２０】本発明の実施形態に係る別の送信デバイスの構造図である。
【００９１】
【図２１】本発明の実施形態に係る別の受信デバイスの構造図である。
【発明を実施するための形態】
【００９２】
本発明の目的、技術的解決法、及び利点をより明確にするべく、以下ではさらに、添付の図面を参照しながら、本発明を詳細に説明する。説明される実施形態は、本発明の実施形態の一部に過ぎず、その全てでないことは明らかである。創造的な努力なく本発明の実施形態に基づいて当業者によって得られる全ての他の実施形態は、本発明の保護範囲内に含まれるものとする。
【００９３】
本発明の実施形態は、通信システムにおいて伝送される基準信号により占有されるリソースの比較的高いオーバヘッドについて従来技術の問題を解決するための基準信号伝送方法及び装置を提供する。方法及び装置は同じ発明の着想に基づく。方法及び装置を用いることにより、解決する課題の原理が同様なので、相互参照が、装置及び方法についての実装に対して行われてよい。重複する内容は、ここでは再度説明しない。
【００９４】
本発明の技術的解決法では、送信デバイスは、第１ポートのための基準信号の構成情報により示されるリソース上で、第１ポートに対応する基準信号を送信し、受信デバイスは、送信デバイスにより送信される第１ポートに対応する基準信号をリソース上で受信し、受信した基準信号に基づいて、第１ポートのチャネルパラメータを決定する。構成情報は、時間領域において、第１時間シンボルの位置を含み、周波数領域において、特定の帯域幅の範囲内のサブキャリアグループにあり、かつ、第１時間シンボルに対応する各サブキャリアの位置と、帯域幅の範囲内にあり、かつ、第１時間シンボルを除く、リソースにより占有される期間内の時間シンボルのそれぞれに対応するサブキャリアの位置とを含む。１つの基準信号グループが、第１時間シンボルに構成され、１つの基準信号が第１時間シンボルを除く時間シンボルのそれぞれに構成されることが構成情報から理解され得る。少なくとも１つの基準信号が、各サブバンドに対応する各ＯＦＤＭシンボルに構成される従来技術と比較して、本発明の実施形態に係る方法では、受信デバイスが第１ポートのチャネルパラメータを取得できるという前提に基づいて、通信システムにおいて伝送される基準信号により占有されるリソースのオーバヘッドが低減され得るので、サービスデータ伝送効率が改善される。
【００９５】
以下では、当業者による理解を容易にすべく本願におけるいくつかの用語を説明する。
【００９６】
（１）本発明の実施形態における送信デバイスは、少なくとも１つのポートを用いることにより別のデバイスにサービスデータを伝送できるデバイスであり、送信デバイスは、限定されるものではないが、送受信ポイント（Ｔｒａｎｓｍｉｓｓｉｏｎ  ａｎｄ  Ｒｅｃｅｉｖｅ  Ｐｏｉｎｔ、ＴＲＰ）、基地局、進化型ノードＢ（ｅｖｏｌｖｅｄ  Ｎｏｄｅ  Ｂ、ｅＮＢ）、無線ネットワークコントローラ（ｒａｄｉｏ  ｎｅｔｗｏｒｋ  ｃｏｎｔｒｏｌｌｅｒ、ＲＮＣ）、ノードＢ（ＮｏｄｅＢ、ＮＢ）、基地局コントローラ（Ｂａｓｅ  Ｓｔａｔｉｏｎ  Ｃｏｎｔｒｏｌｌｅｒ、ＢＳＣ）、ベーストランシーバ基地局（Ｂａｓｅ  Ｔｒａｎｓｃｅｉｖｅｒ  Ｓｔａｔｉｏｎ、ＢＴＳ）、ホームノードＢ（Ｈｏｍｅ  ｅｖｏｌｖｅｄ  ＮｏｄｅＢ又はＨｏｍｅ  Ｎｏｄｅ  Ｂ、ＨＮＢ等）、ベースバンドユニット（Ｂａｓｅｂａｎｄ  Ｕｎｉｔ、ＢＢＵ）、アクセスポイント（Ａｃｃｅｓｓ  Ｐｏｉｎｔ、ＡＰ）を含む。
【００９７】
（２）本発明における受信デバイスは、送信デバイスにより送信されたサービスデータを取得すべく受信及び復調を実行できるデバイスであり、受信デバイスはまた、端末デバイス又はユーザ機器（Ｕｓｅｒ  Ｅｑｕｉｐｍｅｎｔ、ＵＥ）と称されてよく、例えば、無線接続機能を有するハンドヘルドデバイス、車載デバイス、ウェアラブルデバイス、コンピューティングデバイス、及び移動局（Ｍｏｂｉｌｅ  Ｓｔａｔｉｏｎ、ＭＳ）、又は無線モデムに接続される別の処理デバイス、及び無線アクセスネットワークを用いることにより１又は複数のコアネットワークとの通信を行うモバイル端末である。
【００９８】
（３）本発明における時間シンボルは、時間領域において信号（サービスデータ又は基準信号等）を伝送する送信デバイスのための時間ユニットである。概して、通信システムにおいて、１つのコヒーレンス時間は、複数のタイムスライス又は時間シンボルに分割され得る。例えば、ＯＦＤＭシステムでは、時間シンボルは、ＯＦＤＭシンボルと称され得る。
【００９９】
（５）本発明における帯域幅の範囲は、受信デバイスに対して送信デバイスにより構成され、帯域幅の範囲は複数のサブキャリアを含む。
【０１００】
（６）本発明におけるサブキャリアセットはまた、サブバンドと称されてよく、送信デバイスにより構成された帯域幅の範囲を均等に分割することにより、通信システムにより取得される。帯域幅の範囲は、複数のサブキャリアセットに分割され、複数のサブキャリアセットはそれぞれ、同じ数の複数のサブキャリアを含む。概して、各サブキャリアセットに含まれる複数のサブキャリアの帯域幅は、コヒーレンス帯域幅より小さい又はコヒーレンス帯域幅と等しい。
【０１０１】
（７）「複数の」は、少なくとも２つに言及する。
【０１０２】
さらに、本願の説明において、「第１」及び「第２」等の用語は、区別を示す説明に用いられるにすぎないことが理解されるべきであり、相対的な重要性の示唆又は暗示として理解されるべきでなく、順序の示唆又は暗示として理解させるべきでない。
【０１０３】
従来の通信システムでは、位相ノイズに起因して、受信デバイスがデータを正確に復調できることを保証すべく、受信デバイスは、異なるコヒーレンス帯域幅内の時間シンボル及びチャネルパラメータに対応する変化した位相ノイズを一緒に、すなわち、位相ノイズを含む時間シンボルにおけるチャネルパラメータを推定できるようにする必要がある。最も直接的な方法は、各サブキャリアセットに対応する各時間シンボルに少なくとも１つの基準信号を構成することである。
【０１０４】
例えば、図２に示されるＭＩＭＯ−ＯＦＤＭ通信システムにおいて、Ｎ本の伝送アンテナは、送信デバイスにおいて構成され、Ｍ本の受信アンテナは、受信デバイスにおいて構成され、これらの伝送アンテナ及び受信アンテナは、それぞれ、全部の接続を介してＮＲＦＲＦリンク及びＭＲＦＲＦリンクに接続される。送信デバイスがｄ個のデータストリームを送信するとき、ｄ≦ＭＲＦ≦Ｍ、及び、ｄ≦ＮＲＦ≦Ｍが成り立つ。ＮＲＦ個のポート、ＮＲＦ個の伝送チャネル、及びＮＲＦ個の無線周波数リンクは、本発明の実施形態において同じ意味を有することに注意すべきである。
【０１０５】
送信デバイスによるｄ個のデータストリームを送信する処理は以下のとおりである。
【０１０６】
デジタル領域プリコーディングは、まず、式１、
Ｓ（ｋ）＝ＦＢＢ（ｋ）Ｘ（ｋ）      式１
を参照して、基地局プリコーダにより、ｄ個のデータストリーム、Ｘ（ｋ）∈Ｃｄ×１上で実行される。ここで、
Ｓ（ｋ）＝｛Ｓｌ（ｋ），ｌ＝１，２，...ＮＲＦ｝
であり、
【数１】
2019519970.tif 000003
は、ｋ番目のサブキャリアに対して用いられるデジタル領域プリコーディングベクトルを表し、
Ｓｌ（ｋ）は、ｌ番目のＯＦＤＭモジュレータのｋ番目のサブキャリア上に配置され、出力されたｌ番目の時間領域信号ｓｌ（ｔ）は、Ｋ点の逆高速フーリエ変換（Ｉｎｖｅｒｓｅ  Ｆａｓｔ  Ｆｏｕｒｉｅｒ  Ｔｒａｎｓｆｏｒｍ、ＩＦＦＴ）処理が、ｌ番目のＯＦＤＭモジュレータにより実行された後に取得されてよく、
ｓｌ（ｔ）は、ＲＦリンクにおける水晶発振子信号
【数２】
2019519970.tif 000004
により乗算され、すなわち、アップコンバージョン処理が実行され、無線周波数信号を取得する。ここで、θＴ（ｔ）は、水晶発振子の不具合により引き起こされる位相ノイズを表し、
アナログプレコーディング
【数３】
2019519970.tif 000005
処理が、ＲＦプリコーダにより、無線周波数信号に実行された後、処理済み無線周波数信号が受信デバイスに送信される。ここで、送信された無線周波数信号が対応するチャネルｈ（ｔ）を通過した後に受信デバイスに到達し、Ｈ∈ＣＭ×Ｎは、周波数領域においてサブキャリアに対応するｈ（ｔ）のチャネルパラメータを表すべく用いられる。
【０１０７】
同様に、受信デバイスにより、ｄ個のデータストリームを復調する処理は以下のとおりである。
受信デバイスが信号を受信した後、ＲＦプリコーダは、まず、プリコーディングベクトル
【数４】
2019519970.tif 000006
を用いることにより、信号にアナログ領域結合を実行し、
ベースバンド信号を取得すべく、ダウンコンバージョン処理が、ＲＦリンクにおいて、水晶発振子信号
【数５】
2019519970.tif 000007
に基づいて、ＭＲＦ結合信号に別個に実行される。ここで、θＲ（ｔ）は、水晶発振子の不具合により引き起こされる受信デバイスにおける位相ノイズを表し、
アナログデジタル変換、シリアルパラレル変換、及び離散フーリエ変換（Ｄｉｓｃｒｅｔｅ  Ｆｏｕｒｉｅｒ  Ｔｒａｎｓｆｏｒｍ、ＤＦＴ）処理がベースバンド信号に実行された後、ベースバンド結合器は、プリコーディングベクトル
【数６】
2019519970.tif 000008
を用いることにより、処理済みベースバンド信号にデジタル領域結合を実行して、受信信号を取得する。 
【０１０８】
サブキャリア上の受信信号のみが考慮される場合、受信信号Ｒは、式２、
（式２）
【数７】
2019519970.tif 000009
で表されてよい。ここで、アップコンバージョン及びダウンコンバージョンの間に引き起こされる位相ノイズによるＭＩＭＯリンクへの影響が、行列
【数８】
2019519970.tif 000010
及び
【数９】
2019519970.tif 000011
を用いることによりそれぞれ表され、位相ノイズは、同じＯＦＤＭ時間シンボルにおいて変化しないままであり、異なるＯＦＤＭシンボルにおいて変化し、すなわち、ＰＲ及びＰＴは、対角行列であり、ＰＲの対角線上の任意の要素
【数１０】
2019519970.tif 000012
は、ｌ番目の送信デバイスの無線周波数チャネル上のｕ番目のＯＦＤＭシンボルにおける位相ノイズを表し、ＰＴの対角線上の任意の要素
【数１１】
2019519970.tif 000013
は、ｌ番目の受信デバイスの無線周波数チャネル上のｕ番目のＯＦＤＭシンボルにおける位相ノイズを表す。信号送信及び受信のプロセッシング処理の間、送信デバイス及び受信デバイスの複数のベースバンド信号が１つの水晶発振子信号を用いる可能性がある場合、ＰＲ及びＰＴの対角線上の要素は同じである。しかしながら、実際の応用では、高周波通信システムにおいて、水晶発振子が共有されるアーキテクチャは、展開及び他の態様に対する課題をもたらし、実際問題として実装されることが困難である。マルチ水晶発振子アーキテクチャは、複数の水晶発振子がＮＲＦ無線周波数チャネルにアップコンバージョンキャリア周波数信号ソースを提供するように、通常用いられ、水晶発振子の数は、１より多く、ＮＲＦより少ない又はＮＲＦに等しい。各水晶発振子は、独立したランダムな位相ノイズを引き起こし、この場合、ＰＴの対角線上の要素が異なり得る。
【０１０９】
まず、式２に基づいて、式３が、ＭＩＭＯ−ＯＦＤＭ通信システムにおけるデータ伝送のための等価チャネルパラメータ
【数１２】
2019519970.tif 000014
を規定すべく用いられてよい。式３を参照する。
（式３）
【数１３】
2019519970.tif 000015
【０１１０】
式２及び式３に従って、データを正確に復調すべく、受信デバイスは、データパラメータ
【数１４】
2019519970.tif 000016
を取得する必要があり、対応するデジタル結合ベクトルＷＢＢは、パラメータに基づいて、設計される必要がある。送信デバイスは、シグナリングを用いることにより受信デバイスにＦＢＢを通常知らせる。故に、データを正確に復調すべく、受信デバイスは、位相ノイズを含むチャネルパラメータ
【数１５】
2019519970.tif 000017
を取得する必要がある。
【０１１１】
受信デバイスが位相ノイズを含むチャネルパラメータを取得することを可能にするべく、送信デバイスは、受信デバイスに基準信号を送信してよい。
【０１１２】
位相ノイズは急速に変化する。時間領域において、位相ノイズ（すなわち、ＰＲ又はＰＴ）は、同じＯＦＤＭシンボルに対応する異なるサブバンドにおいて変化しないままであるが、位相ノイズは、異なるＯＦＤＭシンボルにおいて異なる。等価チャネルパラメータ
【数１６】
2019519970.tif 000018
は、通常、比較的に長い期間変化しない、すなわち、
【数１７】
2019519970.tif 000019
は、コヒーレンス時間における各ＯＦＤＭシンボルに対応する同じサブバンドにおいて変化しないままであるが、各ＯＦＤＭシンボルに対応する異なるサブバンドにおいて変化する。位相ノイズを含むチャネルパラメータ
【数１８】
2019519970.tif 000020
は、各ＯＦＤＭシンボルに対応する異なるサブバンド上で異なることが、前述の説明から理解され得ることが明らかである。
【０１１３】
通信システム内の受信デバイスに割り当てられた帯域幅の範囲が２つのサブバンドに分割され、各期間が７つのＯＦＤＭシンボルを含むとき、通信システムは、各ＯＦＤＭシンボルに対応する各サブバンド上に１つのポートに固有の少なくとも１つの基準信号を構成する必要がある。基準信号を構成することについての具体的な方式は、図１に示されるリソースマッピング図を用いることによりさらに説明される。
【０１１４】
送信デバイスは、ＯＦＤＭシンボルｕ０に対応するサブバンド１内の第３サブキャリア上に基準信号を送信し、故に、受信デバイスは、ｕ０に対応するサブバンド１内の第３サブキャリア上で基準信号を受信する。ここで、受信デバイスは、受信した基準信号及び合意された基準信号に基づいて、ポートに対応するｕ０に対応するサブバンド１のチャネルパラメータ（すなわち、位相ノイズを含むチャネルパラメータ
【数１９】
2019519970.tif 000021
）を取得してよい。合意された基準信号は、送信デバイスと受信デバイスとの間で合意され、送信デバイスにより送信される基準信号である。このように、受信デバイスは、
【数２０】
2019519970.tif 000022
を用いることにより、ｕ０に対応するサブバンド１上で受信デバイスにより受信されたサービスデータを復調できる。
【０１１５】
故に、送信デバイスは、各ＯＦＤＭシンボルに対応する各サブバンド内のサブキャリア上に基準信号を送信し、受信デバイスは、ポートに対応する各ＯＦＤＭシンボルに対応する各サブバンドのチャネルパラメータ
【数２１】
2019519970.tif 000023
を取得し得るので、その結果、受信デバイスは、
【数２２】
2019519970.tif 000024
を用いることにより、各ＯＦＤＭシンボルに対応する各サブバンド上で、受信デバイスにより受信されたサービスデータを復調できる。
【０１１６】
別のポートに実行されるチャネル測定の干渉を回避すべく、送信デバイスが複数のポートを有するとき、送信デバイスは、前述の方法を用いて各ポートに固有の基準信号を構成する必要があり、送信デバイスは、時間ごとに１つのポートに対応する基準信号のみを送信できることを、当業者は理解する。一方、別のポートに対応する基準信号により占有されるように構成されるリソースはアイドルであり、基準信号又はサービスデータを送信することに使用されない。
【０１１７】
各ポートに固有の送信デバイスにより構成される基準信号により占有されるリソースのオーバヘッドが比較的高いことは明らかである。さらに、送信デバイスが１つのポートに対応する基準信号を送信するとき、別のポートに対応する基準信号により占有されるリソースはアイドルである。結果として、サービスデータは、比較的少ない数のリソースを占有しており、サービスデータ伝送効率は相対的に低い。
【０１１８】
本発明の実施形態において提供される基準信号伝送方法は、例えば、図２に示されるＭＩＭＯ−ＯＦＤＭ通信システム等、様々なシングルチャネル又はマルチチャネル無線通信システムに適用可能である。通信システムは、送信デバイス及び受信デバイスを含み、送信デバイスは少なくとも１つのポートを有する。
【０１１９】
本発明の実施形態は、基準信号伝送方法を提供し、これは、通信システム内の送信デバイスに適用される。図３を参照すると、方法に関する特定のプロシージャは以下の段階を含む。
【０１２０】
段階３０１、送信デバイスは、送信デバイスの第１ポートのための基準信号の構成情報を取得し、構成情報は、第１ポートに対応する基準信号により占有されるリソースの位置を示すべく用いられ、構成情報は、時間領域において、第１時間シンボルの位置を含み、周波数領域において、特定の帯域幅の範囲内のサブキャリアグループにあり、かつ、第１時間シンボルに対応する各サブキャリアの位置と、帯域幅の範囲内にあり、かつ、第１時間シンボルを除く、リソースにより占有される期間内の時間シンボルのそれぞれに対応するサブキャリアの位置とを含み、サブキャリアグループは複数のサブキャリアを含み、帯域幅の範囲は送信デバイスにより構成され、帯域幅の範囲は複数のサブキャリアを含む。
【０１２１】
オプションで、第１ポートは、送信デバイスの少なくとも１つのポートのうちの１つである。
【０１２２】
オプションで、送信デバイスは、
送信デバイスにより、第１ポートのポート番号を取得し、格納されたポート番号と時間シンボルの位置との間の対応関係に基づいて、第１ポートのポート番号に対応する第１時間シンボルの位置を決定する、という第１方式、又は、
送信デバイスにより、第１ポートのポート番号ｌ、リソースのタイムスロット番号Ｓｌｏｔ_ＩＤ、送信デバイスのセル番号Ｃｅｌｌ_ＩＤ、及び受信デバイス番号ＵＥ_ＩＤのうちの任意の１つ又は組み合わせに基づいて、第１時間シンボルの位置を決定する、という第２方式
の２つの方式で第１時間シンボルの位置を取得してよい。
【０１２３】
第１方式では、送信デバイスは、ポート番号と時間シンボルの位置との間の対応関係を格納する。複数の対応関係において、１つの時間シンボルは固有のポート番号に対応してよい（すなわち、ポート番号に対応するポートに対応する基準信号、及び、別のポートに対応する基準信号が時分割方式で構成される）。代わりに、１つの時間シンボルは、複数のポート番号に対応してよく、時間シンボルにおける干渉を回避すべく、複数のポート番号のそれぞれに対応するポートに対応する時間シンボルに対応するサブキャリアグループは、別のポートに対応する時間シンボルに対応するサブキャリアグループとは異なる（すなわち、は、複数のポート番号に対応する複数のポートに対応する基準信号は、周波数分割方式で構成される）。
【０１２４】
第２方式では、送信デバイスは、複数のパラメータを用いることにより、送信デバイスの（第１ポートを含む）少なくとも１つのポートに対応する第１時間シンボルの位置を算出する。ここで、複数のパラメータがポート番号を含むとき、ポート番号が異なるので、少なくとも１つのポートに対応する第１時間シンボルの、送信デバイスによる計算を介して取得される位置は、明らかに異なる。この場合、各ポートは、固有の第１時間シンボルを有する（すなわち、基準信号は、時分割方式で各ポートに固有に構成される）、又は、
複数のパラメータが変数、すなわち、ポート番号を含んでいないとき、他のパラメータが固定値なので、少なくとも１つのポートに対応する第１時間シンボルの、送信デバイスによる計算を介して取得される位置は、明らかに同じある。この場合、干渉を回避するべく、第１時間シンボルでは、少なくとも１つのポートに対応する第１時間シンボルに対応するサブキャリアグループが異なる（すなわち、基準信号が、周波数分割方式で少なくとも１つのポートに固有に構成される）。
【０１２５】
オプションで、複数のパラメータがポート番号を含むとき、第１時間シンボルの位置は、以下の式４、
ｕｉｎｄｅｘ＝ｍｏｄ（Ｘ，ＵＣｏｈ）    式４
を満たす。ｕｉｎｄｅｘは、第１時間シンボルの位置であり、ＵＣｏｈは、リソースにより占有される期間に含まれる時間シンボルの数であり、Ｘは、ｌ又はｌと、Ｓｌｏｔ_ＩＤ、Ｃｅｌｌ_ＩＤ、及びＵＥ_ＩＤのうちの任意の１つ又は組み合わせとの合計である。
【０１２６】
オプションで、複数のパラメータがポート番号を含んでいないとき、第１時間シンボルの位置は、以下の式５、
ｕｉｎｄｅｘ＝ｍｏｄ（Ｙ，ＵＣｏｈ）    式５
を満たす。ここで、ｕｉｎｄｅｘは、第１時間シンボルの位置であり、ＵＣｏｈは、リソースにより占有される期間に含まれる時間シンボルの数であり、Ｙは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。
【０１２７】
オプションで、送信デバイスが、異なる計算方法を用いることにより、第１時間シンボルの位置を取得する場合、送信デバイスにより、サブキャリアグループにあり、かつ、第１時間シンボルに対応する各サブキャリアの位置を取得する段階は、さらに影響を受ける。
【０１２８】
送信デバイスが、式４を用いることにより第１時間シンボルの位置を決定するとき、送信デバイスにより、サブキャリアグループにあり、かつ、第１時間シンボルに対応する各サブキャリアの位置を取得する段階は、
送信デバイスにより、ｌ、Ｓｌｏｔ_ＩＤ、Ｃｅｌｌ_ＩＤ、及びＵＥ_ＩＤのうちの任意の１つ又は組み合わせに基づいて、サブキャリアグループにあり、かつ、第１時間シンボルに対応する各サブキャリアの位置を決定する段階を含む。オプションで、帯域幅の範囲が複数のサブキャリアセットに均等に分割されたとき、複数のサブキャリアセットの数は、サブキャリアグループに含まれ、かつ、第１時間シンボルに対応するサブキャリアの数と同じであり、各サブキャリアセットは、サブキャリアグループにあり、かつ、第１時間シンボルに対応する１つのサブキャリアを含み、サブキャリアグループにあり、かつ、第１時間シンボルに対応する各サブキャリアの位置は、以下の式６又は式７、
ｋ１ｉｎｄｅｘ（ｎ）＝ｍｏｄ（Ｐ，ＫＳＢ）＋（ｎ−１）・ＫＳＢ    式６
ｋ１ｉｎｄｅｘ（ｎ）＝ｍｏｄ（Ｑ，ＫＳＢ）＋（ｎ−１）・ＫＳＢ    式７
を満たす。ここで、ｎ＝１、２、...Ｎであり、Ｎは、サブキャリアグループにあり、かつ、第１時間シンボルに対応するサブキャリアの数であり、ｋ１ｉｎｄｅｘ（ｎ）は、サブキャリアグループにあり、かつ、第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数であり、式６のＰは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計であり、式７のＱは、ｌ又はｌと、Ｓｌｏｔ_ＩＤ、Ｃｅｌｌ_ＩＤ、及びＵＥ_ＩＤのうちの任意の１つ又は組み合わせとの合計である。
【０１２９】
送信デバイスが、式４を用いることにより、第１ポートに対応する第１時間シンボルの位置を決定する、すなわち、時分割方式で各ポートに固有の基準信号を構成するので、異なるポートは、異なる第１時間シンボルに対応する。異なるポートが、異なる第１時間シンボルに対応する場合、異なるポートに対応する基準信号により占有されるリソースは、確実に異なることが明らかである。故に、サブキャリアグループにあり、かつ、第１ポートに対応する第１時間シンボルに対応する各サブキャリアの位置の計算の間、干渉問題が考慮される必要はない。送信デバイスは、複数のパラメータを用いることにより、サブキャリアグループにあり、かつ、第１時間シンボルに対応する各サブキャリアの位置を算出するとき、複数のパラメータは、式６に示されるポート番号を含まなくてよい、又は、式７に示されるようなポート番号を含んでよい。これは、本発明において限定されるものではない。
【０１３０】
送信デバイスが、式５を用いることにより、第１時間シンボルの位置を決定するとき、送信デバイスにより、サブキャリアグループにあり、かつ、第１時間シンボルに対応する各サブキャリアの位置を取得する段階は、
送信デバイスにより、ｌに基づいて、又は、ｌと、Ｓｌｏｔ_ＩＤ、Ｃｅｌｌ_ＩＤ、及びＵＥ_ＩＤのうちの任意の１つ又は組み合わせに基づいて、サブキャリアグループにあり、かつ、第１時間シンボルに対応する各サブキャリアの位置を決定する段階を含む。オプションで、帯域幅の範囲が複数のサブキャリアセットに均等に分割されたとき、複数のサブキャリアセットの数は、サブキャリアグループに含まれ、かつ、第１時間シンボルに対応するサブキャリアの数と同じであり、各サブキャリアセットは、サブキャリアグループにあり、かつ、第１時間シンボルに対応する１つのサブキャリアを含み、サブキャリアグループにあり、かつ、第１時間シンボルに対応する各サブキャリアの位置は、以下の式８又は式９を満たす。
送信デバイスが、ｌに基づいて、サブキャリアグループにあり、かつ、第１時間シンボルに対応する各サブキャリアの位置を決定するとき、サブキャリアグループにあり、かつ、第１時間シンボルに対応する各サブキャリアの位置は、以下の式８、
ｋ１ｉｎｄｅｘ（ｎ）＝ｍｏｄ（ｌ，ＫＳＢ）＋（ｎ−１）・ＫＳＢ    式８
を満たす。
送信デバイスが、ｌと、Ｓｌｏｔ_ＩＤ、Ｃｅｌｌ_ＩＤ、及びＵＥ_ＩＤのうちの任意の１つ又は組み合わせに基づいて、サブキャリアグループにあり、かつ、第１時間シンボルに対応する各サブキャリアの位置を決定するとき、サブキャリアグループにあり、かつ、第１時間シンボルに対応する各サブキャリアの位置は、以下の式９、
ｋ１ｉｎｄｅｘ（ｎ）＝ｍｏｄ（ｌ＋Ｐ，ＫＳＢ）＋（ｎ−１）・ＫＳＢ    式９
を満たす。
ここで、ｎ＝１、２、...Ｎであり、Ｎは、サブキャリアグループにあり、かつ、第１時間シンボルに対応するサブキャリアの数であり、ｋ１ｉｎｄｅｘ（ｎ）は、サブキャリアグループにあり、かつ、第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数であり、式９のＰは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。
【０１３１】
送信デバイスが、式５を用いることにより、第１ポートに対応する第１時間シンボルの位置を決定する、すなわち、周波数分割方式で各ポートに固有の基準信号を構成するので、異なるポートは、同一の第１時間シンボルに対応する。故に、異なるポート間の干渉を回避するべく、異なるポートに対応する基準信号が異なるリソースを占有することが保証されるために必要である。前述の結論に基づいて、サブキャリアグループにあり、かつ、各ポートに対応する第１時間シンボルに対応するサブキャリアの位置を算出するとき、送信デバイスは、式８に示されるように、ポート番号を用いる、又は、式９に示されるように、ポート番号を含む複数のパラメータを用いる必要がある。
【０１３２】
オプションで、送信デバイスにより、帯域幅の範囲内にあり、かつ、第１時間シンボルを除く、期間内の時間シンボルのそれぞれに対応するサブキャリアの位置を取得する段階は、
送信デバイスにより、ｌと、期間内の第２時間シンボルの位置ｕ、Ｓｌｏｔ_ＩＤ、Ｃｅｌｌ_ＩＤ、及びＵＥ_ＩＤのうちの任意の１つ又は組み合わせとに基づいて、帯域幅の範囲内にあり、かつ、第２時間シンボルに対応するサブキャリアの位置を決定する段階であって、第２時間シンボルは、第１時間シンボル以外の期間内の任意の時間シンボルである、段階を含む。具体的には、帯域幅の範囲が複数のサブキャリアセットに均等に分割されたとき、複数のサブキャリアセットの数は、サブキャリアグループに含まれ、かつ、第１時間シンボルに対応するサブキャリアの数と同じであり、各サブキャリアセットは、サブキャリアグループにあり、かつ、第１時間シンボルに対応する１つのサブキャリアを含み、帯域幅の範囲内にあり、かつ、第２時間シンボルに対応するサブキャリアの位置は、以下の式１０、
ｋ２ｉｎｄｅｘ＝ｍｏｄ（ｌ＋Ｒ，Ｋ）    式１０
を満たす。ここで、ｋ２ｉｎｄｅｘは、帯域幅の範囲内にあり、かつ、第２時間シンボルに対応するサブキャリアの位置であり、Ｒは、ｕ、Ｓｌｏｔ_ＩＤ、Ｃｅｌｌ_ＩＤ、及びＵＥ_ＩＤのうちのいずれか１つ、４つの項目のうちのいずれか２つ又は３つの合計、４つの項目の合計、又は、Ｒ＝ｕ×ＫＳＢ＋Ｔであり、Ｔは、ｕ、Ｓｌｏｔ_ＩＤ、Ｃｅｌｌ_ＩＤ、及びＵＥ_ＩＤのうちのいずれか１つ、４つの項目のうちのいずれか２つの合計、４つの項目のうちのいずれか３つの合計、又は、４つの項目の合計であり、ＫＳＢは、帯域幅の範囲が複数のサブキャリアセットに均等に分割されたときの各サブキャリアセットに含まれるサブキャリアの数であり、Ｋは、帯域幅の範囲内に含まれるサブキャリアの総数量である。
【０１３３】
前述の方法では、送信デバイスは、第１ポートのための基準信号の構成情報を決定してよい。１つの基準信号グループが、第１時間シンボルに構成され、１つの基準信号が第１時間シンボルを除く時間シンボルのそれぞれに構成されることが構成情報から理解され得る。少なくとも１つの基準信号が、各サブバンドに対応する各ＯＦＤＭシンボルに構成される従来技術と比較して、本発明の本実施形態に係る方法では、受信デバイスが第１ポートのチャネルパラメータを取得できるという前提に基づいて、通信システムにおいて伝送される基準信号により占有されるリソースのオーバヘッドが低減され得るので、サービスデータ伝送効率が改善される。
【０１３４】
例えば、通信システムにより、受信デバイスに割り当てられた帯域幅の範囲が２つのサブキャリアセットに分割され、各期間（１つのコヒーレンス時間）が７つの時間シンボルを含むとき、通信システムにより、第１ポートに固有の基準信号を構成する方式が図４に示される。第１時間シンボルは、ｕ０であり、基準信号を構成することに用いられ、かつ、ｕ０に対応するサブキャリアグループは、サブキャリアセット１内のサブキャリア２及びサブキャリアセット２内のサブキャリア８を含み、他の６つの時間シンボルのそれぞれは、基準信号を構成することに用いられる１つのサブキャリアに対応する。図に示されるように、基準信号が４２個のＲＥに含まれる８個のＲＥに構成されることが、図に示される１つのポートに固有の基準信号リソースマッピング図から理解され得る。基準信号が少なくとも１４個のＲＥに構成される図１に示される従来技術と比較して、本発明の本実施形態において提供される基準信号伝送方法は、基準信号により占有されるリソースのオーバヘッドを低減できる。
【０１３５】
段階３０２、送信デバイスは、構成情報により示されるリソース上で、第１ポートに対応する基準信号を送信する。
【０１３６】
オプションで、送信デバイスの複数のポートがあるとき、送信デバイスは、段階３０１の方法を用いることにより、各ポートのための基準信号の構成情報を決定してよい。段階３０１に従って、送信デバイスは、時分割方式又は周波数分割方式で複数のポートに固有の基準信号を構成してよい。異なるポートに実行されるチャネル測定の干渉を回避すべく、送信デバイスが複数のポートのうちの１つに対応する基準信号を送信するとき、別のポートに対応する基準信号により占有されるリソースは、アイドルであり、基準信号又はサービスデータを送信することに使用されない。
【０１３７】
例えば、通信システム内の送信デバイスは、ポート１及びポート２の２つのポートを含み、通信システムにより受信デバイスに割り当てられた帯域幅の範囲は２つのサブキャリアセットに分割され、各期間は７つの時間シンボルを含む。
【０１３８】
送信デバイスが、周波数分割方式でポート１及びポート２に固有の基準信号を構成するとき、図５を参照すると、ポート１に対応する第１時間シンボル及びポート２に対応する第１時間シンボルは同じであり、両方とも時間シンボルｕ０である。ポート１に対応する基準信号を送信するとき、送信デバイスは、ポート１に対応する基準信号により占有されるリソース上で、ポート１に対応する基準信号を送信し、ポート２に対応する基準信号により占有されるリソースはアイドルであり、サービスデータは他のリソース上で送信される。同様に、ポート２に対応する基準信号を送信するとき、送信デバイスは、ポート２に対応する基準信号により占有されるリソース上で、ポート２に対応する基準信号を送信し、ポート１に対応する基準信号により占有されるリソースはアイドルであり、サービスデータは他のリソース上で送信される。
【０１３９】
送信デバイスが、時分割方式でポート１及びポート２に固有の基準信号を構成するとき、図６を参照すると、ポート１に対応する第１時間シンボルは、ｕ０であり、ポート２に対応する第１時間シンボルは、ｕ１である。ポート１に対応する基準信号を送信するとき、送信デバイスは、ポート１に対応する基準信号により占有されるリソース上で、ポート１に対応する基準信号を送信し、ポート２に対応する基準信号により占有されるリソースはアイドルであり、サービスデータは他のリソース上で送信される。同様に、ポート２に対応する基準信号を送信するとき、送信デバイスは、ポート２に対応する基準信号により占有されるリソース上で、ポート２に対応する基準信号を送信し、ポート１に対応する基準信号により占有されるリソースはアイドルであり、サービスデータは他のリソース上で送信される。
【０１４０】
本発明の本実施形態において提供される基準信号伝送方法では、送信デバイスは、第１ポートのための基準信号の構成情報により示されるリソース上で、第１ポートに対応する基準信号を送信し、受信デバイスは、送信デバイスにより送信された第１ポートに対応する基準信号をリソース上で受信し、受信した基準信号に基づいて、第１ポートのチャネルパラメータを決定する。構成情報は、時間領域において、第１時間シンボルの位置を含み、周波数領域において、特定の帯域幅の範囲内のサブキャリアグループにあり、かつ、第１時間シンボルに対応する各サブキャリアの位置と、帯域幅の範囲内にあり、かつ、第１時間シンボルを除く、リソースにより占有される期間内の時間シンボルのそれぞれに対応するサブキャリアの位置とを含む。１つの基準信号グループが、第１時間シンボルに構成され、１つの基準信号が第１時間シンボルを除く時間シンボルのそれぞれに構成されることが構成情報から理解され得る。少なくとも１つの基準信号が、各サブバンドに対応する各ＯＦＤＭシンボルに構成される従来技術と比較して、本発明の本実施形態に係る方法では、受信デバイスが第１ポートのチャネルパラメータを取得できるという前提に基づいて、通信システムにおいて伝送される基準信号により占有されるリソースのオーバヘッドが低減され得るので、サービスデータ伝送効率が改善される。
【０１４１】
前述の実施形態に基づいて、本発明の実施形態は、別の基準信号伝送方法をさらに提供し、これは、通信システム内の受信デバイスに適用される。通信システム内の送信デバイスは、図３に示される基準信号伝送方法を実装し、基準信号を受信デバイスに送信できる。図７を参照すると、方法に関する特定のプロシージャは、以下の段階を含む。
【０１４２】
段階７０１、受信デバイスは、送信デバイスのスケジューリング情報を取得し、スケジューリング情報は、第１ポートのポート番号ｌ及び送信デバイスにより構成された帯域幅の範囲を含み、帯域幅の範囲は複数のサブキャリアを含む。
【０１４３】
第１ポートに対応する基準信号を受信デバイスに送信する前に、通信システム内の送信デバイスは、前もって、スケジューリング情報を受信デバイスに送信する必要があり、その結果、受信デバイスは、スケジューリング情報に基づいて、第１ポートに対応する基準信号により占有されるリソースの位置を取得する。
【０１４４】
オプションで、スケジューリング情報は、第１ポートのポート番号及び送信デバイスにより受信デバイスに対して構成された帯域幅の範囲を含み、リソースのタイムスロット番号Ｓｌｏｔ_ＩＤ及び送信デバイスのセル番号Ｃｅｌｌ_ＩＤ等の情報をさらに含んでよい。これは、本発明において限定されるものではない。
【０１４５】
段階７０２、受信デバイスは、スケジューリング情報に基づいて第１ポートのための基準信号の構成情報を取得し、構成情報は、第１ポートに対応する基準信号により占有されるリソースの位置を示すべく用いられ、構成情報は、時間領域において、第１時間シンボルの位置を含み、周波数領域において、帯域幅の範囲内のサブキャリアグループにあり、かつ、第１時間シンボルに対応する各サブキャリアの位置と、帯域幅の範囲内にあり、かつ、第１時間シンボルを除く、リソースにより占有される期間内の時間シンボルのそれぞれに対応するサブキャリアの位置とを含み、各ポートに対応する第１時間シンボルに対応するサブキャリアグループは複数のサブキャリアを含む。
【０１４６】
送信デバイスにより送信された第１ポートに対応する基準信号を受信デバイスが正確に受信できることを保証すべく、通信デバイス内の送信デバイスが、図３に示される基準信号伝送方法を用いて、基準信号を受信デバイスに送信するので、段階７０２において、受信デバイスにより取得される第１ポートのための構成情報は、段階３０１において送信デバイスにより取得される第１ポートのための基準信号の構成情報と同じである。送信デバイス及び受信デバイスは、前もって、第１ポートのための構成情報を決定するための方法に一緒に合意する。第１ポートのための基準信号の構成情報を決定すべく、受信デバイスにより用いられる方法及び原理は、第１ポートのための基準信号の構成情報を決定すべく送信デバイスにより用いられるものと同じであることは明らかである。本発明の本実施形態では、第１ポートのための基準信号の構成情報を決定すべく受信デバイスにより用いられる原理について、前述の実施形態における段階３０１で、第１ポートのための基準信号の構成情報を決定すべく受信デバイスにより用いられた原理を参照する。重複する内容は、ここでは再度説明しない。
【０１４７】
オプションで、受信デバイスは、
受信デバイスにより、格納されたポート番号と時間シンボルの位置との間の対応関係に基づいて、第１ポートのポート番号に対応する第１時間シンボルの位置を決定し、受信デバイス及び送信デバイスは、ポート番号と時間シンボルの位置との間の同じ対応関係を格納する、という第１方式、又は、
スケジューリング情報が、リソースのタイムスロット番号Ｓｌｏｔ_ＩＤ及び送信デバイスのセル番号Ｃｅｌｌ_ＩＤをさらに含むとき、受信デバイスにより、ｌ、Ｓｌｏｔ_ＩＤ、Ｃｅｌｌ_ＩＤ、及び受信デバイス番号ＵＥ_ＩＤのうちの任意の１つ又は組み合わせに基づいて、第１時間シンボルの位置を決定する、という第２方式
の２つの方式で第１時間シンボルの位置を取得してよい。
【０１４８】
第２方式では、送信デバイスが時分割方式で各ポートに固有の基準信号を構成するとき、受信デバイスにより決定される第１時間シンボルの位置は、以下の式４、
ｕｉｎｄｅｘ＝ｍｏｄ（Ｘ，ＵＣｏｈ）    式４
を満たす。ｕｉｎｄｅｘは、第１時間シンボルの位置であり、ＵＣｏｈは、リソースにより占有される期間に含まれる時間シンボルの数であり、Ｘは、ｌ又はｌと、Ｓｌｏｔ_ＩＤ、Ｃｅｌｌ_ＩＤ、及びＵＥ_ＩＤのうちの任意の１つ又は組み合わせとの合計である。送信デバイス及び受信デバイスが、式４を用いることに合意したとき、送信デバイス及び受信デバイスにより用いられる式４のＸは、同一のパラメータ又は同一のパラメータの合計である。
【０１４９】
第２方式では、送信デバイスが周波数分割方式で各ポートに固有の基準信号を構成するとき、受信デバイスにより決定される第１時間シンボルの位置は、以下の式５、
ｕｉｎｄｅｘ＝ｍｏｄ（Ｙ，ＵＣｏｈ）    式５
を満たす。ここで、ｕｉｎｄｅｘは、第１時間シンボルの位置であり、ＵＣｏｈは、リソースにより占有される期間に含まれる時間シンボルの数であり、Ｙは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。送信デバイス及び受信デバイスが、式５を用いることに合意したとき、送信デバイス及び受信デバイスにより用いられる式５のＹは、同一のパラメータ又は同一のパラメータの合計である。
【０１５０】
受信デバイスが、式４を用いることにより、第１時間シンボルの位置を決定するとき、受信デバイスにより、サブキャリアグループにあり、かつ、第１時間シンボルに対応する各サブキャリアの位置を取得する段階は、
受信デバイスにより、ｌ、Ｓｌｏｔ_ＩＤ、Ｃｅｌｌ_ＩＤ、及びＵＥ_ＩＤのうちの任意の１つ又は組み合わせに基づいて、サブキャリアグループにあり、かつ、第１時間シンボルに対応する各サブキャリアの位置を決定する段階を含む。オプションで、帯域幅の範囲が複数のサブキャリアセットに均等に分割されたとき、複数のサブキャリアセットの数は、サブキャリアグループに含まれ、かつ、第１時間シンボルに対応するサブキャリアの数と同じであり、各サブキャリアセットは、サブキャリアグループにあり、かつ、第１時間シンボルに対応する１つのサブキャリアを含み、サブキャリアグループにあり、かつ、第１時間シンボルに対応する各サブキャリアの位置は、以下の式６又は式７、
ｋ１ｉｎｄｅｘ（ｎ）＝ｍｏｄ（Ｐ，ＫＳＢ）＋（ｎ−１）・ＫＳＢ    式６
ｋ１ｉｎｄｅｘ（ｎ）＝ｍｏｄ（Ｑ，ＫＳＢ）＋（ｎ−１）・ＫＳＢ    式７
を満たす。ここで、ｎ＝１、２、...Ｎであり、Ｎは、サブキャリアグループにあり、かつ、第１時間シンボルに対応するサブキャリアの数であり、ｋ１ｉｎｄｅｘ（ｎ）は、サブキャリアグループにあり、かつ、第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数であり、式６のＰは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計であり、式７のＱは、ｌ又はｌと、Ｓｌｏｔ_ＩＤ、Ｃｅｌｌ_ＩＤ、及びＵＥ_ＩＤのうちの任意の１つ又は組み合わせとの合計である。送信デバイス及び受信デバイスが、式６を用いることに合意したとき、送信デバイス及び受信デバイスにより用いられる式６のＰは、同一のパラメータ又は同一のパラメータの合計であり、送信デバイス及び受信デバイスが、式７を用いることに合意したとき、送信デバイス及び受信デバイスにより用いられる式７のＱは、同一のパラメータ又は同一のパラメータの合計である。
【０１５１】
受信デバイスが、式５を用いることにより、第１時間シンボルの位置を決定するとき、受信デバイスにより、サブキャリアグループにあり、かつ、第１時間シンボルに対応する各サブキャリアの位置を取得する段階は、
受信デバイスにより、ｌに基づいて、又は、ｌと、Ｓｌｏｔ_ＩＤ、Ｃｅｌｌ_ＩＤ、及びＵＥ_ＩＤのうちの任意の１つ又は組み合わせに基づいて、サブキャリアグループにあり、かつ、第１時間シンボルに対応する各サブキャリアの位置を決定する段階を含む。オプションで、帯域幅の範囲が複数のサブキャリアセットに均等に分割されたとき、複数のサブキャリアセットの数は、サブキャリアグループに含まれ、かつ、第１時間シンボルに対応するサブキャリアの数と同じであり、各サブキャリアセットは、サブキャリアグループにあり、かつ、第１時間シンボルに対応する１つのサブキャリアを含み、サブキャリアグループにあり、かつ、第１時間シンボルに対応する各サブキャリアの位置は、以下の式８又は式９を満たす。
受信デバイスが、ｌに基づいて、サブキャリアグループにあり、かつ、第１時間シンボルに対応する各サブキャリアの位置を決定するとき、サブキャリアグループにあり、かつ、第１時間シンボルに対応する各サブキャリアの位置は、以下の式８、
ｋ１ｉｎｄｅｘ（ｎ）＝ｍｏｄ（ｌ，ＫＳＢ）＋（ｎ−１）・ＫＳＢ    式８
を満たす。
受信デバイスが、ｌと、Ｓｌｏｔ_ＩＤ、Ｃｅｌｌ_ＩＤ、及びＵＥ_ＩＤのうちの任意の１つ又は組み合わせに基づいて、サブキャリアグループにあり、かつ、第１時間シンボルに対応する各サブキャリアの位置を決定するとき、サブキャリアグループにあり、かつ、第１時間シンボルに対応する各サブキャリアの位置は、以下の式９、
ｋ１ｉｎｄｅｘ（ｎ）＝ｍｏｄ（ｌ＋Ｐ，ＫＳＢ）＋（ｎ−１）・ＫＳＢ    式９
を満たす。
ここで、ｎ＝１、２、...Ｎであり、Ｎは、サブキャリアグループにあり、かつ、第１時間シンボルに対応するサブキャリアの数であり、ｋ１ｉｎｄｅｘ（ｎ）は、サブキャリアグループにあり、かつ、第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数であり、Ｐは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。送信デバイス及び受信デバイスが、式９を用いることに合意したとき、送信デバイス及び受信デバイスにより用いられる式９のＰは、同一のパラメータ又は同一のパラメータの合計である。
【０１５２】
オプションで、受信デバイスにより、帯域幅の範囲内にあり、かつ、第１時間シンボルを除く、期間内の時間シンボルのそれぞれに対応するサブキャリアの位置を取得する段階は、
受信デバイスにより、ｌと、期間内の第２時間シンボルの位置ｕ、Ｓｌｏｔ_ＩＤ、Ｃｅｌｌ_ＩＤ、及びＵＥ_ＩＤのうちの任意の１つ又は組み合わせとに基づいて、帯域幅の範囲内にあり、かつ、第２時間シンボルに対応するサブキャリアの位置を決定する段階であって、第２時間シンボルは、第１時間シンボル以外の期間内の任意の時間シンボルである、段階を含む。具体的には、帯域幅の範囲が複数のサブキャリアセットに均等に分割されたとき、複数のサブキャリアセットの数は、サブキャリアグループに含まれ、かつ、第１時間シンボルに対応するサブキャリアの数と同じであり、各サブキャリアセットは、サブキャリアグループにあり、かつ、第１時間シンボルに対応する１つのサブキャリアを含み、帯域幅の範囲内にあり、かつ、第２時間シンボルに対応するサブキャリアの位置は、以下の式１０、
ｋ２ｉｎｄｅｘ＝ｍｏｄ（ｌ＋Ｒ，Ｋ）    式１０
を満たす。ここで、ｋ２ｉｎｄｅｘは、帯域幅の範囲内にあり、かつ、第２時間シンボルに対応するサブキャリアの位置であり、Ｒは、ｕ、Ｓｌｏｔ_ＩＤ、Ｃｅｌｌ_ＩＤ、及びＵＥ_ＩＤのうちのいずれか１つ、４つの項目のうちのいずれか２つ又は３つの合計、４つの項目の合計、又は、Ｒ＝ｕ×ＫＳＢ＋Ｔであり、Ｔは、ｕ、Ｓｌｏｔ_ＩＤ、Ｃｅｌｌ_ＩＤ、及びＵＥ_ＩＤのうちのいずれか１つ、４つの項目のうちのいずれか２つの合計、４つの項目のうちのいずれか３つの合計、又は、４つの項目の合計であり、ＫＳＢは、帯域幅の範囲が複数のサブキャリアセットに均等に分割されたときの各サブキャリアセットに含まれるサブキャリアの数であり、Ｋは、帯域幅の範囲内に含まれるサブキャリアの総数量である。送信デバイス及び受信デバイスが、式１０を用いることに合意したとき、送信デバイス及び受信デバイスにより用いられる式１０のＲは、同一のパラメータ又は同一のパラメータの合計であり、Ｒ＝ｕ×ＫＳＢ＋Ｔが成り立つとき、Ｔもまた、同一のパラメータ又は同一のパラメータの合計である。
【０１５３】
前述の方法では、受信デバイスは、第１ポートのための基準信号の構成情報を決定してよい。１つの基準信号グループが、第１時間シンボルに構成され、１つの基準信号が第１時間シンボルを除く時間シンボルのそれぞれに構成されることが構成情報から理解され得る。少なくとも１つの基準信号が、各サブバンドに対応する各ＯＦＤＭシンボルに構成される従来技術と比較して、本発明の本実施形態に係る方法では、受信デバイスが第１ポートのチャネルパラメータを取得できるという前提に基づいて、通信システムにおいて伝送される基準信号により占有されるリソースのオーバヘッドが低減され得るので、サービスデータ伝送効率が改善される。
【０１５４】
段階７０３、受信デバイスは、送信デバイスにより送信された第１ポートに対応する基準信号をリソース上で受信する。
【０１５５】
段階７０４、受信デバイスは、サブキャリアグループにあり、かつ、第１時間シンボルに対応する各サブキャリア上で受信された基準信号に基づいて、チャネル推定を実行して、サブキャリアグループにあり、かつ、第１時間シンボルに対応する各サブキャリアのチャネルパラメータを決定し、帯域幅の範囲内にあり、かつ、他の時間シンボルのそれぞれに対応するサブキャリア上で受信された基準信号に基づいてチャネル推定を実行して、他の時間シンボルのそれぞれに対応するサブキャリアのチャネルパラメータを決定する。
【０１５６】
段階７０４、受信デバイスは、任意の時間シンボルに対応する任意のサブキャリア上で受信された基準信号及び受信デバイスと送信デバイスとの間で合意された基準信号（すなわち、送信デバイスにより送信された基準信号）を用いることによる従来技術を通じて、時間シンボルに対応するサブキャリアのチャネルパラメータを取得してよい。具体的な方法は、本発明の本実施形態では再度説明しない。
【０１５７】
この段階で決定される全てのチャネルパラメータが位相ノイズを含むチャネルパラメータであることに注意すべきである。
【０１５８】
段階７０５、受信デバイスは、サブキャリアグループにあり、かつ、第１時間シンボルに対応する各サブキャリアのチャネルパラメータに基づいて、かつ、他の時間シンボルのそれぞれに対応するサブキャリアのチャネルパラメータに基づいて、第１ポートのチャネルパラメータを決定する。
【０１５９】
オプションで、帯域幅の範囲が複数のサブキャリアセットに均等に分割されたとき、複数のサブキャリアセットの数は、サブキャリアグループに含まれ、かつ、第１時間シンボルに対応するサブキャリアの数と同じであり、各サブキャリアセットは、サブキャリアグループにあり、かつ、第１時間シンボルに対応する１つのサブキャリアを含み、
受信デバイスにより、サブキャリアグループにあり、かつ、第１時間シンボルに対応する各サブキャリアのチャネルパラメータに基づいて、かつ、他の時間シンボルのそれぞれに対応するサブキャリアのチャネルパラメータに基づいて、第１ポートのチャネルパラメータを決定する段階は、
受信デバイスにより、サブキャリアグループにあり、かつ、第１時間シンボルに対応する各サブキャリアのチャネルパラメータを、サブキャリアグループにあり、かつ、第１時間シンボルに対応する各サブキャリアが属するサブキャリアセットのチャネルパラメータとして用い、他の時間シンボルのそれぞれに対応するサブキャリアのチャネルパラメータを、他の時間シンボルのそれぞれに対応するサブキャリアが属する第１サブキャリアセットのチャネルパラメータとして用いる段階であって、サブキャリアセットは、帯域幅の範囲内の複数のサブキャリアをグループ分けすることにより取得され、各サブキャリアセットは、サブキャリアグループにあり、かつ、第１時間シンボルに対応する１つのサブキャリアを含む、段階と、
受信デバイスにより、サブキャリアグループにあり、かつ、第１時間シンボルに対応する各サブキャリアが属するサブキャリアセットのチャネルパラメータに基づいて、かつ、他の時間シンボルのそれぞれに対応するサブキャリアが属する第１サブキャリアセットのチャネルパラメータに基づいて、第１サブキャリアセットを除く、時間シンボルに対応するサブキャリアセットのそれぞれのチャネルパラメータを決定する段階と、
受信デバイスにより、期間内の各時間シンボルに対応する各サブキャリアセットのチャネルパラメータに基づいて、第１ポートのチャネルパラメータを決定する段階と
を含む。
【０１６０】
オプションで、受信デバイスにより、第１サブキャリアセットを除く、時間シンボルに対応するサブキャリアセットのそれぞれのチャネルパラメータを決定する段階は、
受信デバイスにより、サブキャリアグループにあり、かつ、第１時間シンボルに対応する各サブキャリアが属するサブキャリアセットのチャネルパラメータに基づいて、かつ、第３時間シンボルに対応するサブキャリアが属する第１サブキャリアセットのチャネルパラメータに基づいて、第３時間シンボルに対応する第２サブキャリアセットのチャネルパラメータを決定する段階であって、第３時間シンボルは、第１時間シンボル以外の期間内の任意の時間シンボルであり、第２サブキャリアセットは、第１サブキャリアセット以外のものであり、かつ、第３時間シンボルに対応する任意のサブキャリアセットである、段階を含み、
受信デバイスにより、第３時間シンボルに対応する第２サブキャリアセットのチャネルパラメータを決定する段階は、
受信デバイスにより、第１時間シンボルに対応する第２サブキャリアセットのチャネルパラメータに、第３時間シンボルに対応する第１サブキャリアセットのチャネルパラメータを乗算し、得られた乗算結果を、第１時間シンボルに対応する第１サブキャリアセットのチャネルパラメータで除算して、第３時間シンボルに対応する第２サブキャリアセットのチャネルパラメータを取得する段階を含む。
【０１６１】
図４に示される１つのポートに固有のリソースマッピングが例としてさらに用いられる。段階７０４を用いることにより、受信デバイスは、ｕ０に対応するサブキャリア２のチャネルパラメータ及びｕ０に対応するサブキャリア８のチャネルパラメータを決定し、ｕ０に対応するサブキャリア２のチャネルパラメータを、ｕ０に対応するサブキャリアセット１のチャネルパラメータ
【数２３】
2019519970.tif 000025
として用い、ｕ０に対応するサブキャリア８のチャネルパラメータを、ｕ０に対応するサブキャリアセット２のチャネルパラメータ
【数２４】
2019519970.tif 000026
として用いてよい。ノイズの影響を考慮して、
【数２５】
2019519970.tif 000027
及び
【数２６】
2019519970.tif 000028
が成り立つ。
【０１６２】
受信デバイスは、ｕ１に対応するサブキャリア０のチャネルパラメータを決定し、ｕ１に対応するサブキャリア０のチャネルパラメータを、ｕ１に対応するサブキャリアセット１のチャネルパラメータ
【数２７】
2019519970.tif 000029
として用いる。ノイズの影響を考慮して、
【数２８】
2019519970.tif 000030
が成り立つ。ｕ１に対応するサブキャリアセット２のチャネルパラメータは、
【数２９】
2019519970.tif 000031
として表されてよい。
【０１６３】
ｕ１に対応するサブキャリアセット２内のサブキャリア上で伝送される基準信号は無く、この場合、
【数３０】
2019519970.tif 000032
は、式１１を用いることにより決定される必要がある。
（式１１）
【数３１】
2019519970.tif 000033
【０１６４】
同様に、受信デバイスは、ｕ２に対応するサブキャリア７のチャネルパラメータを決定し、ｕ２に対応するサブキャリア７のチャネルパラメータを、ｕ２に対応するサブキャリアセット２のチャネルパラメータ
【数３２】
2019519970.tif 000034
として用いる。ノイズの影響を考慮して、
【数３３】
2019519970.tif 000035
が成り立つ。ｕ２に対応するサブキャリアセット１のチャネルパラメータは、
【数３４】
2019519970.tif 000036
として表されてよい。ここで、
【数３５】
2019519970.tif 000037
は、式１２を用いることにより決定されてよい。
（式１２）
【数３６】
2019519970.tif 000038
【０１６５】
前述の方法によれば、受信デバイスは、ｕ０  ｕ６内の各時間シンボルに対応する各サブキャリアセットのチャネルパラメータを決定し、第１ポートのチャネルパラメータを決定してよい。
【０１６６】
本発明の本実施形態において提供される基準信号伝送方法では、送信デバイスは、第１ポートのための基準信号の構成情報により示されるリソース上で、第１ポートに対応する基準信号を送信し、受信デバイスは、送信デバイスにより送信された第１ポートに対応する基準信号をリソース上で受信し、受信した基準信号に基づいて、第１ポートのチャネルパラメータを決定する。構成情報は、時間領域において、第１時間シンボルの位置を含み、周波数領域において、特定の帯域幅の範囲内のサブキャリアグループにあり、かつ、第１時間シンボルに対応する各サブキャリアの位置と、帯域幅の範囲内にあり、かつ、第１時間シンボルを除く、リソースにより占有される期間内の時間シンボルのそれぞれに対応するサブキャリアの位置とを含む。１つの基準信号グループが、第１時間シンボルに構成され、１つの基準信号が第１時間シンボルを除く時間シンボルのそれぞれに構成されることが構成情報から理解され得る。少なくとも１つの基準信号が、各サブバンドに対応する各ＯＦＤＭシンボルに構成される従来技術と比較して、本発明の本実施形態に係る方法では、受信デバイスが第１ポートのチャネルパラメータを取得できるという前提に基づいて、通信システムにおいて伝送される基準信号により占有されるリソースのオーバヘッドが低減され得るので、サービスデータ伝送効率が改善される。
【０１６７】
図３又は図７に示される基準信号伝送方法において、通信システムにより、時分割方式又は周波数分割方式で送信デバイスの各ポートに固有の基準信号を構成するか否かにかかわらず、実際の伝送の間、異なるポートに実行されるチャネル測定の干渉を回避すべく、送信デバイスが複数のポートのうちの１つに対応する基準信号を送信するとき、別のポートに対応する基準信号により占有されるリソースは、アイドルであり、例えば、図５又は図６に示されるように、基準信号又はサービスデータを送信することに使用されないことが前述の説明から理解され得る。送信デバイスが、時間ごとに１つのポートに対応する基準信号のみを送信できるので、受信デバイスは、時間ごとに１つのポートのチャネルパラメータのみを決定できる。この場合、送信デバイスは、複数回分の基準信号を送信すべきであり、受信デバイスは、複数回分のチャネルパラメータを決定すべきことが要求され、その結果、受信デバイスは、複数のポートのチャネルパラメータを決定する。これは、送信デバイス及び受信デバイスの作業効率を低減し、受信デバイスにより、複数のポートのチャネルパラメータを決定するための時間を増加させる。通信システム内の送信デバイス及び受信デバイスの作業効率を向上させ、送信デバイスの複数のポートのチャネルパラメータを受信デバイスにより決定するための時間を低減させるべく、本発明の実施形態は、基準信号伝送方法をさらに提供し、これは、通信システム内の送信デバイスに適用される。図８を参照すると、基準信号伝送方法のプロシージャは、以下の段階を含む。
【０１６８】
段階８０１、送信デバイスは、送信デバイスの複数のポートのための構成情報を取得し、構成情報は、複数のポートに対応する基準信号により占有されるリソースの位置を示すべく用いられ、構成情報は、時間領域において、第１時間シンボルの位置を含み、周波数領域において、特定の帯域幅の範囲内のサブキャリアグループにあり、かつ、各ポートに対応する第１時間シンボルに対応する各サブキャリアの位置と、帯域幅の範囲内にあり、かつ、第１時間シンボルを除く、各ポートに対応しリソースにより占有される期間内の時間シンボルのそれぞれに対応するサブキャリアの位置とを含み、サブキャリアグループは複数のサブキャリアを含み、帯域幅の範囲は送信デバイスにより構成され、帯域幅の範囲は複数のサブキャリアを含む。
【０１６９】
オプションで、複数のポートは、送信デバイスの全てのポートであってよい、又は、送信デバイスの一部のポートであってよい。これは、本発明に限定されるものではない。
【０１７０】
オプションで、送信デバイスは、
送信デバイスにより、複数のポートのそれぞれポート番号を取得し、複数のポートのそれぞれのポート番号を含む第１ポートグループを決定し、格納されたポートグループと時間シンボルの位置との間の対応関係に基づいて、第１ポートグループに対応する第１時間シンボルの位置を決定し、ポートグループと時間シンボルの位置との間の対応関係において、１又は複数のポートグループは、第１時間シンボルの位置に対応する、という第１方式、又は、
送信デバイスにより、リソースのタイムスロット番号Ｓｌｏｔ_ＩＤ、送信デバイスのセル番号Ｃｅｌｌ_ＩＤ、及び受信デバイス番号ＵＥ_ＩＤのうちの任意の１つ又は組み合わせに基づいて、第１時間シンボルの位置を決定する、という第２方式
の２つの方式で、第１時間シンボルの位置を取得してよい。
【０１７１】
第１方式では、通信システムは、送信デバイスの全てのポートを異なるポートグループに分割する。ここで、複数のポートは、送信デバイスの一部のポートであり、送信デバイスは、１つのポートグループに含まれる複数のポートに対応する基準信号を毎回送信する。これは、送信デバイス及び受信デバイスの作業効率を向上させることができる。ポートグループと時間シンボルの位置との間の、送信デバイスに格納された、対応関係において、１つの時間シンボルは、固有のポートグループに対応し得る（すなわち、異なるポートグループに対応する基準信号は、時分割方式で構成される）。代わりに、１つの時間シンボルは、複数のポートグループに対応してよく、干渉を回避すべく、時間シンボルにおいて、複数のポートグループ内の全てのポートに対応する時間シンボルに対応するサブキャリアグループは異なる（すなわち、異なるポートグループに対応する基準信号は、周波数分割方式で構成される）。
【０１７２】
第２方式では、送信デバイスは、複数のパラメータを用いることにより、複数のポートに対応する第１時間シンボルの位置を決定する。複数のポートが１つの第１時間シンボルの位置に対応しているので、複数のパラメータは、変数、すなわち、異なるポートであるときに異なるポート番号を含むことができない。
【０１７３】
オプションで、第１時間シンボルの位置は、以下の式５、
ｕｉｎｄｅｘ＝ｍｏｄ（Ｙ，ＵＣｏｈ）    式５
を満たす。ここで、ｕｉｎｄｅｘは、第１時間シンボルの位置であり、ＵＣｏｈは、リソースにより占有される期間に含まれる時間シンボルの数であり、Ｙは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。
【０１７４】
オプションで、送信デバイスにより、サブキャリアグループにあり、かつ、各ポートに対応する第１時間シンボルに対応する各サブキャリアの位置を取得する段階は、
送信デバイスにより、第１ポートのポート番号ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、サブキャリアグループにあり、かつ、第１ポートに対応する第１時間シンボルに対応する各サブキャリアの位置を決定する段階であって、第１ポートは、複数のポートのうちのいずれかである、段階を含む。オプションで、帯域幅の範囲が複数のサブキャリアセットに均等に分割されたとき、複数のサブキャリアセットの数は、サブキャリアグループに含まれ、かつ、第１時間シンボルに対応するサブキャリアの数と同じであり、各サブキャリアセットは、サブキャリアグループにあり、かつ、各ポートに対応する第１時間シンボルに対応する１つのサブキャリアを含み、サブキャリアグループにあり、かつ、第１ポートに対応する第１時間シンボルに対応する各サブキャリアの位置は、以下の式８又は式９を満たす。
送信デバイスが、ｌに基づいて、サブキャリアグループにあり、かつ、第１ポートに対応する第１時間シンボルに対応する各サブキャリアの位置を決定するとき、サブキャリアグループにあり、かつ、第１ポートに対応する第１時間シンボルに対応する各サブキャリアの位置は、以下の式８、
ｋ１ｉｎｄｅｘ（ｎ）＝ｍｏｄ（ｌ，ＫＳＢ）＋（ｎ−１）・ＫＳＢ    式８
を満たす。
送信デバイスが、ｌと、Ｓｌｏｔ_ＩＤ、Ｃｅｌｌ_ＩＤ、及びＵＥ_ＩＤのうちの任意の１つ又は組み合わせに基づいて、サブキャリアグループにあり、かつ、第１ポートに対応する第１時間シンボルに対応する各サブキャリアの位置を決定するとき、サブキャリアグループにあり、かつ、第１ポートに対応する第１時間シンボルに対応する各サブキャリアの位置は、以下の式９、
ｋ１ｉｎｄｅｘ（ｎ）＝ｍｏｄ（ｌ＋Ｐ，ＫＳＢ）＋（ｎ−１）・ＫＳＢ    式９
を満たす。
ここで、ｎ＝１、２、...Ｎであり、Ｎは、サブキャリアグループにあり、かつ、第１ポートに対応する第１時間シンボルに対応するサブキャリアの数であり、ｋ１ｉｎｄｅｘ（ｎ）は、サブキャリアグループにあり、かつ、第１ポートに対応する第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数であり、式９のＰは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。
【０１７５】
複数のポートが１つの第１時間シンボルの位置に対応するので、複数のポートのうちの異なるポートが同一の第１時間シンボルに対応する。故に、異なるポート間の干渉を回避するべく、異なるポートに対応する基準信号が異なるリソースを占有することが保証されるために必要である。前述の結論に基づいて、サブキャリアグループにあり、かつ、各ポートに対応する第１時間シンボルに対応するサブキャリアの位置を算出するとき、送信デバイスは、式８に示されるようにポート番号等の変数を用いる、又は、式９に示されるようにポート番号を含む複数のパラメータを用いる必要がある。
【０１７６】
オプションで、送信デバイスにより、帯域幅の範囲内にあり、かつ、第１時間シンボルを除く、期間内の各ポートに対応する時間シンボルのそれぞれに対応するサブキャリアの位置を取得する段階は、
送信デバイスにより、第１ポートのポート番号ｌと、期間内の第２時間シンボルの位置ｕ、Ｓｌｏｔ_ＩＤ、Ｃｅｌｌ_ＩＤ、及びＵＥ_ＩＤのうちの任意の１つ又は組み合わせとに基づいて、帯域幅の範囲内にあり、かつ、第１ポートに対応する第２時間シンボルに対応するサブキャリアの位置を決定する段階であって、第１ポートは、複数のポートのうちのいずれかであり、第２時間シンボルは、第１時間シンボル以外の期間内の任意の時間シンボルである、段階を含む。具体的には、帯域幅の範囲が複数のサブキャリアセットに均等に分割されたとき、複数のサブキャリアセットの数は、サブキャリアグループに含まれ、かつ、第１時間シンボルに対応するサブキャリアの数と同じであり、各サブキャリアセットは、サブキャリアグループにあり、かつ、各ポートに対応する第１時間シンボルに対応する１つのサブキャリアを含み、帯域幅の範囲内にあり、かつ、第１ポートに対応する第２時間シンボルに対応するサブキャリアの位置は、以下の式１０、
ｋ２ｉｎｄｅｘ＝ｍｏｄ（ｌ＋Ｒ，Ｋ）    式１０
を満たす。ここで、ｋ２ｉｎｄｅｘは、帯域幅の範囲内にあり、かつ、第１ポートに対応する第２時間シンボルに対応するサブキャリアの位置であり、Ｒは、ｕ、Ｓｌｏｔ_ＩＤ、Ｃｅｌｌ_ＩＤ、及びＵＥ_ＩＤのうちのいずれか１つ、４つの項目のうちのいずれか２つ又は３つの合計、４つの項目の合計、又は、Ｒ＝ｕ×ＫＳＢ＋Ｔであり、Ｔは、ｕ、Ｓｌｏｔ_ＩＤ、Ｃｅｌｌ_ＩＤ、及びＵＥ_ＩＤのうちのいずれか１つ、４つの項目のうちのいずれか２つの合計、４つの項目のうちのいずれか３つの合計、又は、４つの項目の合計であり、ＫＳＢは、帯域幅の範囲が複数のサブキャリアセットに均等に分割されたときの各サブキャリアセットに含まれるサブキャリアの数であり、Ｋは、帯域幅の範囲内に含まれるサブキャリアの総数量である。
【０１７７】
前述の方法では、送信デバイスは、複数のポートのための基準信号の構成情報を決定してよい。１つの基準信号グループが、各ポートに対応する第１時間シンボルに構成され、１つの基準信号が、第１時間シンボルを除く、各ポートに対応する時間シンボルのそれぞれに構成されることが構成情報から理解され得る。少なくとも１つの基準信号が、各ポートに対応する各サブバンドに対応する各ＯＦＤＭシンボルに構成される従来技術と比較して、本発明の本実施形態に係る方法では、受信デバイスが複数のポートのチャネルパラメータを取得できるという前提に基づいて、通信システムにおいて伝送される基準信号により占有されるリソースのオーバヘッドが低減され得るので、サービスデータ伝送効率が改善される。
【０１７８】
例えば、通信システムにより、受信デバイスに割り当てられた帯域幅の範囲が２つのサブキャリアセットに分割され、各期間（１つのコヒーレンス時間）が７つの時間シンボルを含むとき、通信システムにより、送信デバイスのポート１及びポート２に固有の基準信号を構成する方式が図９に示される。第１時間シンボルは、ｕ０であり、基準信号を構成することに用いられ、かつ、ポート１に対応するｕ０に対応するサブキャリアグループは、サブキャリアセット１内のサブキャリア２及びサブキャリアセット２内のサブキャリア８を含み、基準信号を構成することに用いられ、かつ、ポート２に対応するｕ０に対応するサブキャリアグループは、サブキャリアセット１内のサブキャリア３及びサブキャリアセット２内のサブキャリア９を含み、ポート１及びポート２に対応する他の６つの時間シンボルのそれぞれは、基準信号を構成することに用いられる１つのサブキャリアに対応する。図に示されるように、基準信号が４２個のＲＥに含まれる１６個のＲＥに構成されることが、図に示される１つのポートに固有の基準信号リソースマッピング図から理解され得る。ポート１及びポート２に対応する基準信号が少なくとも２８個のＲＥに構成される図１に示される従来技術と比較して、本発明の本実施形態において提供される基準信号伝送方法は、基準信号により占有されるリソースのオーバヘッドを低減できる。
【０１７９】
段階８０２、送信デバイスは、構成情報により示され、かつ、複数のポートに対応する基準信号により占有されるリソース上で、複数のポートに対応する基準信号を送信する。
【０１８０】
オプションで、送信デバイスが複数のポートに対応する基準信号を一斉に送信し、受信デバイスが複数のポートにチャネル測定を実行するときに引き起こされる複数のポート間の相互干渉を回避すべく、送信デバイスが段階８０２を実行するときに、送信デバイスが複数のポートに固有の基準信号を構成することは、具体的には、
送信デバイスにより、複数のポートに対応する基準信号に予め設定された直交カバーコードを乗算して、複数のポートに対応する処理済み基準信号を取得することであって、直交カバーコードは、複数のポートに固有に構成される、取得することと、
送信デバイスにより、複数のポートに対応する処理済み基準信号をリソース上で送信することと
を含む。
【０１８１】
直交カバーコードは、複数のポートの数に基づいて構成される。図９に示されるポート１及びポート２に固有のリソースマッピングが例としてさらに用いられる。この場合、直交カバーコードの行列は、
【数３７】
2019519970.tif 000039
である。ポート１に対応する基準信号がＳ１であり、ポート２に対応する基準信号がＳ２であり、Ｕ０に対応するサブキャリアセット１のチャネルパラメータが
【数３８】
2019519970.tif 000040
であり、Ｕ０に対応するサブキャリアセット１のチャネルパラメータが
【数３９】
2019519970.tif 000041
であると仮定する。送信デバイスが、ポート１及びポート２に対応する基準信号のそれぞれに直交カバーコードを乗算した後、Ｕ０に対応するサブキャリアセット１内のサブキャリア２上の、２つのポートに対応する処理済み基準信号は、Ｓ１及びＳ２であり、Ｕ０に対応するサブキャリアセット１内のサブキャリア３上の、２つのポートに対応する処理済み基準信号は、Ｓ１及び−Ｓ２であり、Ｕ０に対応するサブキャリアセット１内のサブキャリア２上の、受信デバイスにより受信された、２つのポートに対応する処理済み基準信号は、
【数４０】
2019519970.tif 000042
であり、Ｕ０に対応するサブキャリアセット１内のサブキャリア３上の、受信デバイスにより受信された、２つのポートに対応する処理済み基準信号は、
【数４１】
2019519970.tif 000043
である。このように、受信デバイスは、受信した基準信号Ｓ１及びＳ２に基づいて、
【数４２】
2019519970.tif 000044
及び
【数４３】
2019519970.tif 000045
を取得できる。例えば、
【数４４】
2019519970.tif 000046
及び
【数４５】
2019519970.tif 000047
である。
【０１８２】
図９に示されるポート１及びポート２に固有のリソースマッピングが例としてさらに用いられる。ポート１及びポート２に対応する基準信号を送信するとき、図１０に示されるように、送信デバイスは、ポート１及びポート２に対応する基準信号により占有されるリソース上で、ポート１及びポート２に対応する基準信号を送信する。
【０１８３】
オプションで、比較的少ない数の送信デバイスのポートがあるとき、送信デバイスは、段階３０１の方法を用いることにより、全てポートのための基準信号の構成情報を決定し、構成情報により示されるリソース上で、複数のポートに対応する基準信号を送信してよい、又は、
比較的多くの送信デバイスのポートがあるとき、送信デバイスは、全てポートを複数のポートグループに分割してよく、各ポートグループは複数のポートを含む。この場合、段階８０１に従って、送信デバイスは、時分割方式又は周波数分割方式で異なるポートグループに固有の基準信号を構成してよい。異なるポートに実行されるチャネル測定の干渉を回避すべく、送信デバイスが１つのポートグループに対応する基準信号を送信するとき、別のポートグループに対応する基準信号により占有されるリソースは、アイドルであり、基準信号又はサービスデータを送信することに使用されない。
【０１８４】
例えば、通信システム内の送信デバイスは、ポート１、ポート２、ポート３、及びポート４の４つのポートを含み、ポート１及びポート２はポートグループ１であり、ポート３及びポート４はポートグループ２であり、通信システムにより受信デバイスに割り当てられた帯域幅の範囲は２つのサブキャリアセットに分割され、各期間は７つの時間シンボルを含む。
【０１８５】
送信デバイスが、周波数分割方式で、ポートグループ１及びポートグループ２に固有の基準信号を構成するとき、図１１を参照すると、ポートグループ１に対応する第１時間シンボル及びポートグループ２に対応する第１時間シンボルは同じであり、両方とも時間シンボルｕ０である。ポートグループ１に対応する基準信号を送信するとき、送信デバイスは、ポートグループ１に対応する基準信号により占有されるリソース上で、ポートグループ１に対応する基準信号を送信し、ポートグループ２に対応する基準信号により占有されるリソースはアイドルであり、サービスデータは他のリソース上で送信される。同様に、ポートグループ２に対応する基準信号を送信するとき、送信デバイスは、ポートグループ２に対応する基準信号により占有されるリソース上で、ポートグループ２に対応する基準信号を送信し、ポートグループ１に対応する基準信号により占有されるリソースはアイドルであり、サービスデータは他のリソース上で送信される。
【０１８６】
送信デバイスが、時分割方式でポートグループ１及びポートグループ２に固有の基準信号を構成するとき、図１２を参照すると、ポートグループ１に対応する第１時間シンボルは、ｕ０であり、ポートグループ２に対応する第１時間シンボルは、ｕ１である。ポートグループ１に対応する基準信号を送信するとき、送信デバイスは、ポートグループ１に対応する基準信号により占有されるリソース上で、ポートグループ１に対応する基準信号を送信し、ポートグループ２に対応する基準信号により占有されるリソースはアイドルであり、サービスデータは他のリソース上で送信される。同様に、ポートグループ２に対応する基準信号を送信するとき、送信デバイスは、ポートグループ２に対応する基準信号におり占有されるリソース上で、ポートグループ２に対応する基準信号を送信し、ポートグループ１に対応する基準信号により占有されるリソースはアイドルであり、サービスデータは他のリソース上で送信される。
【０１８７】
任意のポートグループに対応する基準信号を送信するとき、送信デバイスは、ポートグループに含まれる複数のポートに対応する基準信号を符号分割方式で構成する。具体的にいうと、送信デバイスは、複数のポートに対応する基準信号に、予め設定された直交カバーコードを乗算し、複数のポートに対応する処理済み基準信号を送信する。
【０１８８】
本発明の本実施形態において提供される基準信号伝送方法では、送信デバイスは、複数のポートのための基準信号の構成情報により示されるリソース上で、複数のポートに対応する基準信号を送信し、受信デバイスは、送信デバイスにより送信された複数のポートに対応する基準信号をリソース上で受信し、受信した基準信号に基づいて、複数のポートのそれぞれのチャネルパラメータを決定する。構成情報は、時間領域において、第１時間シンボルの位置を含み、周波数領域において、特定の帯域幅の範囲内のサブキャリアグループにあり、かつ、各ポートに対応する第１時間シンボルに対応する各サブキャリアの位置と、帯域幅の範囲内にあり、かつ、第１時間シンボルを除く、各ポートに対応するリソースにより占有される期間内の時間シンボルのそれぞれに対応するサブキャリアの位置とを含む。１つの基準信号グループが、各ポートに対応する第１時間シンボルに構成され、１つの基準信号が、第１時間シンボルを除く、各ポートに対応する時間シンボルのそれぞれに構成されることが構成情報から理解され得る。少なくとも１つの基準信号が、各ポートに対応する各サブバンドに対応する各ＯＦＤＭシンボルに構成される従来技術と比較して、本発明の本実施形態に係る方法では、受信デバイスが複数のポートのそれぞれのチャネルパラメータを取得できるという前提に基づいて、通信システムにおいて伝送される基準信号により占有されるリソースのオーバヘッドが低減され得るので、サービスデータ伝送効率が改善される。
【０１８９】
前述の実施形態に基づいて、本発明の実施形態は、別の基準信号伝送方法をさらに提供し、これは、通信システム内の受信デバイスに適用される。通信システム内の送信デバイスは、図８に示される基準信号伝送方法を実装し、基準信号を受信デバイスに送信できる。図１３を参照すると、方法に関する特定のプロシージャは、以下の段階を含む。
【０１９０】
段階１３０１、受信デバイスは、送信デバイスのスケジューリング情報を取得し、スケジューリング情報は、複数のポートのそれぞれのポート番号及び送信デバイスにより構成された帯域幅の範囲を含み、帯域幅の範囲は複数のサブキャリアを含む。
【０１９１】
複数のポートに対応する基準信号を受信デバイスに送信する前に、通信システム内の送信デバイスは、前もって、スケジューリング情報を受信デバイスに送信する必要があり、その結果、受信デバイスは、スケジューリング情報に基づいて、複数のポートに対応する基準信号により占有されるリソースの位置を取得する。
【０１９２】
オプションで、スケジューリング情報は、複数のポートのそれぞれのポート番号及び受信デバイスに対して送信デバイスにより構成された帯域幅の範囲を含み、リソースのタイムスロット番号Ｓｌｏｔ_ＩＤ及び送信デバイスのセル番号Ｃｅｌｌ_ＩＤ等の情報をさらに含んでよい。これは、本発明において限定されるものではない。
【０１９３】
段階１３０２、受信デバイスは、スケジューリング情報に基づいて、複数のポートのための基準信号の構成情報を取得し、構成情報は、複数のポートに対応する基準信号により占有されるリソースの位置を示すべく用いられ、構成情報は、時間領域において、第１時間シンボルの位置を含み、周波数領域において、帯域幅の範囲内のサブキャリアグループにあり、かつ、各ポートに対応する第１時間シンボルに対応する各サブキャリアの位置と、帯域幅の範囲内にあり、かつ、第１時間シンボルを除く、各ポートに対応するリソースにより占有される期間内の時間シンボルのそれぞれに対応するサブキャリアの位置とを含み、各ポートに対応する第１時間シンボルに対応するサブキャリアグループは複数のサブキャリアを含む。
【０１９４】
送信デバイスにより送信された複数のポートに対応する基準信号を受信デバイスが正確に受信することを保証すべく、通信デバイス内の送信デバイスが、図８に示される基準信号伝送方法を用いて、基準信号を受信デバイスに送信するので、段階１３０２において受信デバイスにより取得される複数のポートのための構成情報は、段階８０１において送信デバイスにより取得される複数のポートのための基準信号の構成情報と同じである。送信デバイス及び受信デバイスは、前もって、複数のポートのための構成情報を決定するための方法に一緒に合意する。複数のポートのための基準信号の構成情報を決定すべく、受信デバイスにより用いられる方法及び原理は、複数のポートのための基準信号の構成情報を決定すべく、送信デバイスにより用いられるものと同じであることは明らかである。本発明の本実施形態では、複数のポートのための基準信号の構成情報を決定すべく受信デバイスにより用いられる原理について、前述の実施形態における段階８０１で、複数のポートのための基準信号の構成情報を決定すべく受信デバイスにより用いられた原理を参照する。重複する内容は、ここでは再度説明しない。
【０１９５】
オプションで、受信デバイスは、
受信デバイスにより、複数のポートのそれぞれのポート番号を含む第１ポートグループを決定し、格納されたポートグループと時間シンボルの位置との間の対応関係に基づいて、第１ポートグループに対応する第１時間シンボルの位置を決定し、ポートグループと時間シンボルの位置との間の対応関係において、１又は複数のポートグループは、第１時間シンボルの位置に対応する、という第１方式、又は、
スケジューリング情報がリソースのタイムスロット番号Ｓｌｏｔ_ＩＤ及び送信デバイスのセル番号Ｃｅｌｌ_ＩＤをさらに含み、受信デバイスにより、第１時間シンボルの位置を取得する段階は、受信デバイスにより、Ｓｌｏｔ_ＩＤ、Ｃｅｌｌ_ＩＤ、及び受信デバイス番号ＵＥ_ＩＤのうちの任意の１つ又は組み合わせに基づいて、第１時間シンボルの位置を決定する段階を含むという第２方式
の２つの方式で第１時間シンボルの位置を取得してよい。
【０１９６】
第２方式において、第１時間シンボルの位置は、以下の式５、
ｕｉｎｄｅｘ＝ｍｏｄ（Ｙ，ＵＣｏｈ）    式５
を満たす。ここで、ｕｉｎｄｅｘは、第１時間シンボルの位置であり、ＵＣｏｈは、リソースにより占有される期間に含まれる時間シンボルの数であり、Ｙは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。送信デバイス及び受信デバイスが、式５を用いることに合意したとき、送信デバイス及び受信デバイスにより用いられる式５のＹは、同一のパラメータ又は同一のパラメータの合計である。
【０１９７】
オプションで、受信デバイスにより、サブキャリアグループにあり、かつ、各ポートに対応する第１時間シンボルに対応する各サブキャリアの位置を取得する段階は、
受信デバイスにより、第１ポートのポート番号ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、サブキャリアグループにあり、かつ、第１ポートに対応する第１時間シンボルに対応する各サブキャリアの位置を決定する段階であって、第１ポートは、複数のポートのうちのいずれかである、段階を含む。オプションで、帯域幅の範囲が複数のサブキャリアセットに均等に分割されたとき、複数のサブキャリアセットの数は、サブキャリアグループに含まれ、かつ、第１時間シンボルに対応するサブキャリアの数と同じであり、各サブキャリアセットは、サブキャリアグループにあり、かつ、各ポートに対応する第１時間シンボルに対応する１つのサブキャリアを含み、サブキャリアグループにあり、かつ、第１ポートに対応する第１時間シンボルに対応する各サブキャリアの位置は、以下の式８又は式９を満たす。
受信デバイスが、ｌに基づいて、サブキャリアグループにあり、かつ、第１ポートに対応する第１時間シンボルに対応する各サブキャリアの位置を決定するとき、サブキャリアグループにあり、かつ、第１ポートに対応する第１時間シンボルに対応する各サブキャリアの位置は、以下の式８、
ｋ１ｉｎｄｅｘ（ｎ）＝ｍｏｄ（ｌ，ＫＳＢ）＋（ｎ−１）・ＫＳＢ    式８
を満たす。
受信デバイスが、ｌと、Ｓｌｏｔ_ＩＤ、Ｃｅｌｌ_ＩＤ、及びＵＥ_ＩＤのうちの任意の１つ又は組み合わせとに基づいて、サブキャリアグループにあり、かつ、第１ポートに対応する第１時間シンボルに対応する各サブキャリアの位置を決定するとき、サブキャリアグループにあり、かつ、第１ポートに対応する第１時間シンボルに対応する各サブキャリアの位置は、以下の式９、
ｋ１ｉｎｄｅｘ（ｎ）＝ｍｏｄ（ｌ＋Ｐ，ＫＳＢ）＋（ｎ−１）・ＫＳＢ    式９
を満たす。
ここで、ｎ＝１、２、...Ｎであり、Ｎは、サブキャリアグループにあり、かつ、第１ポートに対応する第１時間シンボルに対応するサブキャリアの数であり、ｋ１ｉｎｄｅｘ（ｎ）は、サブキャリアグループにあり、かつ、第１ポートに対応する第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数であり、式９のＰは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。送信デバイス及び受信デバイスが、式９を用いることに合意したとき、送信デバイス及び受信デバイスにより用いられる式９のＰは、同一のパラメータ又は同一のパラメータの合計である。
【０１９８】
オプションで、受信デバイスにより、帯域幅の範囲内にあり、かつ、第１時間シンボルを除く、期間内の各ポートに対応する時間シンボルのそれぞれに対応するサブキャリアの位置を取得する段階は、
受信デバイスにより、第１ポートのポート番号ｌと、ｕ、Ｓｌｏｔ_ＩＤ、Ｃｅｌｌ_ＩＤ、及びＵＥ_ＩＤのうちの任意の１つ又は組み合わせとに基づいて、帯域幅の範囲内にあり、かつ、第１ポートに対応する第２時間シンボルに対応するサブキャリアの位置を決定する段階であって、第１ポートは、複数のポートのうちのいずれかであり、第２時間シンボルは、第１時間シンボル以外の期間内の任意の時間シンボルである、段階を含む。具体的には、帯域幅の範囲が複数のサブキャリアセットに均等に分割されたとき、複数のサブキャリアセットの数は、サブキャリアグループに含まれ、かつ、第１時間シンボルに対応するサブキャリアの数と同じであり、各サブキャリアセットは、サブキャリアグループにあり、かつ、各ポートに対応する第１時間シンボルに対応する１つのサブキャリアを含み、帯域幅の範囲内にあり、かつ、第１ポートに対応する第２時間シンボルに対応するサブキャリアの位置は、以下の式１０、
ｋ２ｉｎｄｅｘ＝ｍｏｄ（ｌ＋Ｒ，Ｋ）    式１０
を満たす。ここで、ｋ２ｉｎｄｅｘは、帯域幅の範囲内にあり、かつ、第１ポートに対応する第２時間シンボルに対応するサブキャリアの位置であり、Ｒは、ｕ、Ｓｌｏｔ_ＩＤ、Ｃｅｌｌ_ＩＤ、及びＵＥ_ＩＤのうちのいずれか１つ、４つの項目のうちのいずれか２つ又は３つの合計、４つの項目の合計、又は、Ｒ＝ｕ×ＫＳＢ＋Ｔであり、Ｔは、ｕ、Ｓｌｏｔ_ＩＤ、Ｃｅｌｌ_ＩＤ、及びＵＥ_ＩＤのうちのいずれか１つ、４つの項目のうちのいずれか２つの合計、４つの項目のうちのいずれか３つの合計、又は、４つの項目の合計であり、ＫＳＢは、帯域幅の範囲が複数のサブキャリアセットに均等に分割されたときの各サブキャリアセットに含まれるサブキャリアの数であり、Ｋは、帯域幅の範囲内に含まれるサブキャリアの総数量である。送信デバイス及び受信デバイスが、式１０を用いることに合意したとき、送信デバイス及び受信デバイスに用いられる式１０のＲは、同一のパラメータ又は同一のパラメータの合計であり、Ｒ＝ｕ×ＫＳＢ＋Ｔが成り立つとき、Ｔもまた、同一のパラメータ又は同一のパラメータの合計である。
【０１９９】
前述の方法では、送信デバイスは、複数のポートのための基準信号の構成情報を決定してよい。１つの基準信号グループが、各ポートに対応する第１時間シンボルに構成され、１つの基準信号が、第１時間シンボルを除く、各ポートに対応する時間シンボルのそれぞれに構成されることが構成情報から理解され得る。少なくとも１つの基準信号が、各ポートに対応する各サブバンドに対応する各ＯＦＤＭシンボルに構成される従来技術と比較して、本発明の本実施形態に係る方法では、受信デバイスが複数のポートのチャネルパラメータを取得できるという前提に基づいて、通信システムにおいて伝送される基準信号により占有されるリソースのオーバヘッドが低減され得るので、サービスデータ伝送効率が改善される。
【０２００】
段階１３０３、受信デバイスは、送信デバイスにより送信された複数のポートに対応する基準信号をリソース上で受信する。
【０２０１】
段階１３０４、受信デバイスは、サブキャリアグループにあり、かつ、各ポートに対応する第１時間シンボルに対応する各サブキャリア上で受信された基準信号に基づいてチャネル推定を実行して、サブキャリアグループにあり、かつ、各ポートに対応する第１時間シンボルに対応する各サブキャリアのチャネルパラメータを決定し、帯域幅の範囲内にあり、かつ、各ポートに対応する他の時間シンボルのそれぞれに対応するサブキャリア上で受信された基準信号に基づいてチャネル推定を実行して、各ポートに対応する他の時間シンボルのそれぞれに対応するサブキャリアのチャネルパラメータを決定する。
【０２０２】
段階１３０４において、受信デバイスは、任意の時間シンボルに対応する１つのサブキャリアセット内のいずれか２つのサブキャリア上で受信された基準信号、及び、受信デバイスと送信デバイスとの間に合意された基準信号（すなわち、送信デバイスにより送信された基準信号）を用いることによる従来技術を通じて、時間シンボルに対応するサブキャリアのチャネルパラメータを取得してよい。具体的な方法は、例えば、前述の実施形態における段階８０２において説明しており、本発明の本実施形態では再度説明しない。
【０２０３】
この段階で決定される全てチャネルパラメータが位相ノイズを含むチャネルパラメータであることに注意すべきである。
【０２０４】
段階１３０５、受信デバイスは、サブキャリアグループにあり、かつ、各ポートに対応する第１時間シンボルに対応する各サブキャリアのチャネルパラメータに基づいて、かつ、各ポートに対応する他の時間シンボルのそれぞれに対応するサブキャリアのチャネルパラメータに基づいて、複数のポートのそれぞれのチャネルパラメータを決定する。
【０２０５】
オプションで、帯域幅の範囲が複数のサブキャリアセットに均等に分割されたとき、複数のサブキャリアセットの数は、サブキャリアグループに含まれ、かつ、各ポートに対応する第１時間シンボルに対応するサブキャリアの数と同じであり、各サブキャリアセットは、サブキャリアグループにあり、かつ、各ポートに対応する第１時間シンボルに対応する１つのサブキャリアを含み、
受信デバイスにより、各ポートに対応する他の時間シンボルのそれぞれに対応するサブキャリアのチャネルパラメータに基づいて、サブキャリアグループにあり、かつ、各ポートに対応する第１時間シンボルに対応する各サブキャリアのチャネルパラメータに基づいて、複数のポートのそれぞれのチャネルパラメータを決定する段階は、
受信デバイスにより、サブキャリアグループにあり、かつ、第１ポートに対応する第１時間シンボルに対応する各サブキャリアのチャネルパラメータを、サブキャリアグループにあり、かつ、第１ポートに対応する第１時間シンボルに対応する各サブキャリアが属するサブキャリアセットのチャネルパラメータとして用い、第１ポートに対応する他の時間シンボルのそれぞれに対応するサブキャリアのチャネルパラメータを、第１ポートに対応する他の時間シンボルのそれぞれに対応するサブキャリアが属する第１サブキャリアセットのチャネルパラメータとして用いる段階であって、第１ポートは、複数のポートのうちのいずれかであり、サブキャリアセットは、帯域幅の範囲内の複数のサブキャリアをグループ分けすることにより取得され、各サブキャリアセットは、サブキャリアグループにあり、かつ、第１ポートに対応する第１時間シンボルに対応する１つのサブキャリアを含む、段階と、
受信デバイスにより、サブキャリアグループにあり、かつ、第１ポートに対応する第１時間シンボルに対応する各サブキャリアが属するサブキャリアセットのチャネルパラメータに基づいて、かつ、第１ポートに対応する他の時間シンボルのそれぞれに対応するサブキャリアが属する第１サブキャリアセットのチャネルパラメータに基づいて、第１サブキャリアセットを除く、第１ポートに対応する時間シンボルに対応するサブキャリアセットのそれぞれのチャネルパラメータを決定する段階と、
受信デバイスにより、第１ポートに対応する期間内の各時間シンボルに対応する各サブキャリアセットのチャネルパラメータに基づいて、第１ポートのチャネルパラメータを決定する段階と
を含む。
【０２０６】
オプションで、受信デバイスにより、第１サブキャリアセットを除く、第１ポートに対応する時間シンボルに対応するサブキャリアセットのそれぞれのチャネルパラメータを決定する段階は、
受信デバイスにより、サブキャリアグループにあり、かつ、第１ポートに対応する第１時間シンボルに対応する各サブキャリアが属するサブキャリアセットのチャネルパラメータに基づいて、かつ、第１ポートに対応する第３時間シンボルに対応するサブキャリアが属する第１サブキャリアセットのチャネルパラメータに基づいて、第１ポートに対応する第３時間シンボルに対応する第２サブキャリアセットのチャネルパラメータを決定する段階であって、第３時間シンボルは、第１時間シンボル以外の期間内の任意の時間シンボルであり、第２サブキャリアセットは、第１サブキャリアセット以外のものであり、かつ、第３時間シンボルに対応する任意のサブキャリアセットである、段階を含み、
受信デバイスにより、第１ポートに対応する第３時間シンボルに対応する第２サブキャリアセットのチャネルパラメータを決定する段階は、
受信デバイスにより、第１ポートに対応する第１時間シンボルに対応する第２サブキャリアセットのチャネルパラメータに、第１ポートに対応する第３時間シンボルに対応する第１サブキャリアセットのチャネルパラメータを乗算し、得られた乗算結果を、第１ポートに対応する第１時間シンボルに対応する第１サブキャリアセットのチャネルパラメータで除算して、第１ポートに対応する第３時間シンボルに対応する第２サブキャリアセットのチャネルパラメータを取得する段階を含む。
【０２０７】
受信デバイスにより、各ポートのチャネルパラメータを決定する処理の間に用いられる原理及び式は、図７に示される実施形態における段階７０５の説明を参照する。本発明の本実施形態において詳細を再度説明しない。
【０２０８】
本発明の本実施形態において提供される基準信号伝送方法では、送信デバイスは、複数のポートのための基準信号の構成情報により示されるリソース上で、複数のポートに対応する基準信号を送信し、受信デバイスは、送信デバイスにより送信された複数のポートに対応する基準信号をリソース上で受信し、受信した基準信号に基づいて、複数のポートのそれぞれのチャネルパラメータを決定する。構成情報は、時間領域において、第１時間シンボルの位置を含み、周波数領域において、特定の帯域幅の範囲内のサブキャリアグループにあり、かつ、第１時間シンボルに対応する各サブキャリアの位置と、帯域幅の範囲内にあり、かつ、各ポートに対応する第１時間シンボルを除く、各ポートに対応するリソースにより占有される期間内の時間シンボルのそれぞれに対応するサブキャリアの位置とを含む。１つの基準信号グループが、各ポートに対応する第１時間シンボルに構成され、１つの基準信号が、第１時間シンボルを除く、各ポートに対応する時間シンボルのそれぞれに構成されることが構成情報から理解され得る。少なくとも１つの基準信号が、各ポートに対応する各サブバンドに対応する各ＯＦＤＭシンボルに構成される従来技術と比較して、本発明の本実施形態に係る方法では、受信デバイスが複数のポートのそれぞれのチャネルパラメータを取得できるという前提に基づいて、通信システムにおいて伝送される基準信号により占有されるリソースのオーバヘッドが低減され得るので、サービスデータ伝送効率が改善される。
【０２０９】
前述の実施形態に基づいて、本発明の実施形態は、送信デバイスをさらに提供し、送信デバイスは、通信システムに適用され、図３に示される基準信号伝送方法を実施する機能を有する。図１４を参照すると、送信デバイス１４００は、取得ユニット１４０１及び送信ユニット１４０２を含み、
取得ユニット１４０１は、送信デバイスの第１ポートのための基準信号の構成情報を取得するように構成され、構成情報は、第１ポートに対応ｓる基準信号により占有されるリソースの位置を示すべく用いられ、構成情報は、時間領域において、第１時間シンボルの位置を含み、周波数領域において、特定の帯域幅の範囲内のサブキャリアグループにあり、かつ、第１時間シンボルに対応する各サブキャリアの位置と、帯域幅の範囲内にあり、かつ、第１時間シンボルを除く、リソースにより占有される期間内の時間シンボルのそれぞれに対応するサブキャリアの位置とを含み、サブキャリアグループは複数のサブキャリアを含み、帯域幅の範囲は送信デバイスにより構成され、帯域幅の範囲は複数のサブキャリアを含み、
送信ユニット１４０２は、構成情報により示されるリソース上で、第１ポートに対応する基準信号を送信するように構成される。
【０２１０】
オプションで、第１時間シンボルの位置を取得するとき、取得ユニット１４０１は、具体的には、
第１ポートのポート番号を取得し、格納されたポート番号と時間シンボルの位置との間の対応関係に基づいて、第１ポートのポート番号に対応する第１時間シンボルの位置を決定する、又は、
第１ポートのポート番号ｌ、リソースのタイムスロット番号Ｓｌｏｔ_ＩＤ、送信デバイスのセル番号Ｃｅｌｌ_ＩＤ、及び受信デバイス番号ＵＥ_ＩＤのうちの任意の１つ又は組み合わせに基づいて、第１時間シンボルの位置を決定する
ように構成される。
【０２１１】
オプションで、第１時間シンボルの位置は、以下の式、
ｕｉｎｄｅｘ＝ｍｏｄ（Ｘ，ＵＣｏｈ）
を満たす。ここで、ｕｉｎｄｅｘは、第１時間シンボルの位置であり、ＵＣｏｈは、リソースにより占有される期間に含まれる時間シンボルの数であり、Ｘは、ｌ又はｌと、Ｓｌｏｔ_ＩＤ、Ｃｅｌｌ_ＩＤ、及びＵＥ_ＩＤのうちの任意の１つ又は組み合わせとの合計である。
【０２１２】
オプションで、第１時間シンボルの位置は、以下の式、
ｕｉｎｄｅｘ＝ｍｏｄ（Ｙ，ＵＣｏｈ）
を満たす。ここで、ｕｉｎｄｅｘは、第１時間シンボルの位置であり、ＵＣｏｈは、リソースにより占有される期間に含まれる時間シンボルの数であり、Ｙは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。
【０２１３】
オプションで、サブキャリアグループにあり、かつ、第１時間シンボルに対応する各サブキャリアの位置を取得するとき、取得ユニット１４０１は、具体的には、
ｌ、Ｓｌｏｔ_ＩＤ、Ｃｅｌｌ_ＩＤ、及びＵＥ_ＩＤのうちの任意の１つ又は組み合わせに基づいて、サブキャリアグループにあり、かつ、第１時間シンボルに対応する各サブキャリアの位置を決定するように構成される。
【０２１４】
オプションで、サブキャリアグループにあり、かつ、第１時間シンボルに対応する各サブキャリアの位置は、以下の式、
ｋ１ｉｎｄｅｘ（ｎ）＝ｍｏｄ（Ｐ，ＫＳＢ）＋（ｎ−１）・ＫＳＢ
を満たす。ここで、ｎ＝１、２、...Ｎであり、Ｎは、サブキャリアグループにあり、かつ、第１時間シンボルに対応するサブキャリアの数であり、ｋ１ｉｎｄｅｘ（ｎ）は、サブキャリアグループにあり、かつ、第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数であり、Ｐは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。
【０２１５】
オプションで、サブキャリアグループにあり、かつ、第１時間シンボルに対応する各サブキャリアの位置は、以下の式、
ｋ１ｉｎｄｅｘ（ｎ）＝ｍｏｄ（Ｑ，ＫＳＢ）＋（ｎ−１）・ＫＳＢ
を満たす。ここで、ｎ＝１、２、...Ｎであり、Ｎは、サブキャリアグループにあり、かつ、第１時間シンボルに対応するサブキャリアの数であり、ｋ１ｉｎｄｅｘ（ｎ）は、サブキャリアグループにあり、かつ、第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数であり、Ｑは、ｌ又はｌと、Ｓｌｏｔ_ＩＤ、Ｃｅｌｌ_ＩＤ、及びＵＥ_ＩＤのうちの任意の１つ又は組み合わせとの合計である。
【０２１６】
オプションで、サブキャリアグループにあり、かつ、第１時間シンボルに対応する各サブキャリアの位置を取得するとき、取得ユニット１４０１は、具体的には、
ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、サブキャリアグループにあり、かつ、第１時間シンボルに対応する各サブキャリアの位置を決定するように構成される。
【０２１７】
オプションで、取得ユニット１４０１は、ｌに基づいて、サブキャリアグループにあり、かつ、第１時間シンボルに対応する各サブキャリアの位置を決定するとき、サブキャリアグループにあり、かつ、第１時間シンボルに対応する各サブキャリアの位置は、以下の式、
ｋ１ｉｎｄｅｘ（ｎ）＝ｍｏｄ（ｌ，ＫＳＢ）＋（ｎ−１）・ＫＳＢ
を満たす。ここで、ｎ＝１、２、...Ｎであり、Ｎは、サブキャリアグループにあり、かつ、第１時間シンボルに対応するサブキャリアの数であり、ｋ１ｉｎｄｅｘ（ｎ）は、サブキャリアグループにあり、かつ、第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数である。
【０２１８】
オプションで、取得ユニット１４０１は、ｌと、Ｓｌｏｔ_ＩＤ、Ｃｅｌｌ_ＩＤ、及びＵＥ_ＩＤのうちの任意の１つ又は組み合わせとに基づいて、サブキャリアグループにあり、かつ、第１時間シンボルに対応する各サブキャリアの位置を決定するとき、サブキャリアグループにあり、かつ、第１時間シンボルに対応する各サブキャリアの位置は、以下の式、
ｋ１ｉｎｄｅｘ（ｎ）＝ｍｏｄ（ｌ＋Ｐ，ＫＳＢ）＋（ｎ−１）・ＫＳＢ
を満たす。ここで、ｎ＝１、２、...Ｎであり、Ｎは、サブキャリアグループにあり、かつ、第１時間シンボルに対応するサブキャリアの数であり、ｋ１ｉｎｄｅｘ（ｎ）は、サブキャリアグループにあり、かつ、第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数であり、Ｐは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。
【０２１９】
オプションで、帯域幅の範囲内にあり、かつ、第１時間シンボルを除く、期間内の時間シンボルのそれぞれに対応するサブキャリアの位置を取得するとき、取得ユニット１４０１は、具体的には、
ｌと、期間内の第２時間シンボルの位置ｕ、Ｓｌｏｔ_ＩＤ、Ｃｅｌｌ_ＩＤ、及びＵＥ_ＩＤのうちの任意の１つ又は組み合わせとに基づいて、帯域幅の範囲内にあり、かつ、第２時間シンボルに対応するサブキャリアの位置を決定するように構成され、第２時間シンボルは、第１時間シンボル以外の期間内の任意の時間シンボルである。
【０２２０】
オプションで、帯域幅の範囲内にあり、かつ、第２時間シンボルに対応するサブキャリアの位置は、以下の式、
ｋ２ｉｎｄｅｘ＝ｍｏｄ（ｌ＋Ｒ，Ｋ）
を満たす。ここで、ｋ２ｉｎｄｅｘは、帯域幅の範囲内にあり、かつ、第２時間シンボルに対応するサブキャリアの位置であり、Ｒは、ｕ、Ｓｌｏｔ_ＩＤ、Ｃｅｌｌ_ＩＤ、及びＵＥ_ＩＤのうちのいずれか１つ、４つの項目のうちのいずれか２つ又は３つの合計、４つの項目の合計、又は、Ｒ＝ｕ×ＫＳＢ＋Ｔであり、Ｔは、ｕ、Ｓｌｏｔ_ＩＤ、Ｃｅｌｌ_ＩＤ、及びＵＥ_ＩＤのうちのいずれか１つ、４つの項目のうちのいずれか２つの合計、４つの項目のうちのいずれか３つの合計、又は、４つの項目の合計であり、ＫＳＢは、帯域幅の範囲が複数のサブキャリアセットに均等に分割されたときの各サブキャリアセットに含まれるサブキャリアの数であり、Ｋは、帯域幅の範囲内に含まれるサブキャリアの総数量である。
【０２２１】
本発明の本実施形態において提供される送信デバイスによれば、送信デバイスは、第１ポートのための基準信号の構成情報により示されるリソース上で、第１ポートに対応する基準信号を送信し、受信デバイスは、送信デバイスにより送信された第１ポートに対応する基準信号をリソース上で受信し、受信した基準信号に基づいて、第１ポートのチャネルパラメータを決定する。構成情報は、時間領域において、第１時間シンボルの位置を含み、周波数領域において、特定の帯域幅の範囲内のサブキャリアグループにあり、かつ、第１時間シンボルに対応する各サブキャリアの位置と、帯域幅の範囲内にあり、かつ、第１時間シンボルを除く、リソースにより占有される期間内の時間シンボルのそれぞれに対応するサブキャリアの位置とを含む。１つの基準信号グループが、第１時間シンボルに構成され、１つの基準信号が、第１時間シンボルを除く時間シンボルのそれぞれに構成されることが構成情報から理解され得る。少なくとも１つの基準信号が、各サブバンドに対応する各ＯＦＤＭシンボルに構成される従来技術と比較して、本発明の本実施形態に係る方法では、受信デバイスが第１ポートのチャネルパラメータを取得できるという前提に基づいて、通信システムにおいて伝送される基準信号により占有されるリソースのオーバヘッドが低減され得るので、サービスデータ伝送効率が改善される。
【０２２２】
前述の実施形態に基づいて、本発明の実施形態は、受信デバイスをさらに提供し、受信デバイスは、通信システムに適用され、図７に示される基準信号伝送方法を実施する機能を有する。通信システムは、図１４に示される送信デバイスをさらに含む。図１５を参照すると、受信デバイス１５００は、取得ユニット１５０１、受信ユニット１５０２、及び処理ユニット１５０３を含み、
取得ユニット１５０１は、送信デバイスのスケジューリング情報を取得し、スケジューリング情報は、第１ポートのポート番号ｌ及び送信デバイスにより構成された帯域幅の範囲を含み、帯域幅の範囲は複数のサブキャリアを含み、
スケジューリング情報に基づいて第１ポートのための基準信号の構成情報を取得し、構成情報は、第１ポートに対応する基準信号により占有さあれるリソースの位置を示すべく用いられ、構成情報は、時間領域において、第１時間シンボルの位置を含み、周波数領域において、帯域幅の範囲内のサブキャリアグループにあり、かつ、第１時間シンボルに対応する各サブキャリアの位置と、帯域幅の範囲内にあり、かつ、第１時間シンボルを除く、リソースにより占有される期間内の時間シンボルのそれぞれに対応するサブキャリアの位置とを含み、各ポートに対応する第１時間シンボルに対応するサブキャリアグループは複数のサブキャリアを含む
ように構成され、
受信ユニット１５０２は、送信デバイスにより送信された第１ポートに対応する基準信号をリソース上で受信するように構成され、
処理ユニット１５０３は、サブキャリアグループ内にあり、かつ、第１時間シンボルに対応する各サブキャリア上で受信された基準信号に基づいてチャネル推定を実行し、サブキャリアグループにあり、かつ、第１時間シンボルに対応する各サブキャリアのチャネルパラメータを決定し、帯域幅の範囲内にあり、かつ、他の時間シンボルのそれぞれに対応するサブキャリア上で受信された基準信号に基づいてチャネル推定を実行し、他の時間シンボルのそれぞれに対応するサブキャリアのチャネルパラメータを決定し
サブキャリアグループにあり、かつ、第１時間シンボルに対応する各サブキャリアのチャネルパラメータに基づいて、かつ、他の時間シンボルのそれぞれに対応するサブキャリアのチャネルパラメータに基づいて、第１ポートのチャネルパラメータを決定する
ように構成される。
【０２２３】
オプションで、第１時間シンボルの位置を取得するとき、取得ユニット１５０１は、具体的には、
格納されたポート番号と時間シンボルの位置との間の対応関係に基づいて、第１ポートのポート番号に対応する第１時間シンボルの位置を決定するように構成される、又は、
スケジューリング情報がリソースのタイムスロット番号Ｓｌｏｔ_ＩＤ及び送信デバイスのセル番号Ｃｅｌｌ_ＩＤをさらに含み、第１時間シンボルの位置を取得するとき、取得ユニット１５０１は、具体的には、ｌ、Ｓｌｏｔ_ＩＤ、Ｃｅｌｌ_ＩＤ、及び受信デバイス番号ＵＥ_ＩＤのうちの任意の１つ又は組み合わせに基づいて、第１時間シンボルの位置を決定するように構成される。
【０２２４】
オプションで、第１時間シンボルの位置は、以下の式、
ｕｉｎｄｅｘ＝ｍｏｄ（Ｘ，ＵＣｏｈ）
を満たす。ここで、ｕｉｎｄｅｘは、第１時間シンボルの位置であり、ＵＣｏｈは、リソースにより占有される期間に含まれる時間シンボルの数であり、Ｘは、ｌ又はｌと、Ｓｌｏｔ_ＩＤ、Ｃｅｌｌ_ＩＤ、及びＵＥ_ＩＤのうちの任意の１つ又は組み合わせとの合計である。
【０２２５】
オプションで、第１時間シンボルの位置は、以下の式、
ｕｉｎｄｅｘ＝ｍｏｄ（Ｙ，ＵＣｏｈ）
を満たす。ここで、ｕｉｎｄｅｘは、第１時間シンボルの位置であり、ＵＣｏｈは、リソースにより占有される期間に含まれる時間シンボルの数であり、Ｙは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。
【０２２６】
オプションで、サブキャリアグループにあり、かつ、第１時間シンボルに対応する各サブキャリアの位置を取得するとき、取得ユニット１５０１は、具体的には、
ｌ、Ｓｌｏｔ_ＩＤ、Ｃｅｌｌ_ＩＤ、及びＵＥ_ＩＤのうちの任意の１つ又は組み合わせに基づいて、サブキャリアグループにあり、かつ、第１時間シンボルに対応する各サブキャリアの位置を決定するように構成される。
【０２２７】
オプションで、サブキャリアグループにあり、かつ、第１時間シンボルに対応する各サブキャリアの位置は、以下の式、
ｋ１ｉｎｄｅｘ（ｎ）＝ｍｏｄ（Ｐ，ＫＳＢ）＋（ｎ−１）・ＫＳＢ
を満たす。ここで、ｎ＝１、２、...Ｎであり、Ｎは、サブキャリアグループにあり、かつ、第１時間シンボルに対応するサブキャリアの数であり、ｋ１ｉｎｄｅｘ（ｎ）は、サブキャリアグループにあり、かつ、第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数であり、Ｐは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。
【０２２８】
オプションで、サブキャリアグループにあり、かつ、第１時間シンボルに対応する各サブキャリアの位置は、以下の式、
ｋ１ｉｎｄｅｘ（ｎ）＝ｍｏｄ（Ｑ，ＫＳＢ）＋（ｎ−１）・ＫＳＢ
を満たす。ここで、ｎ＝１、２、...Ｎであり、Ｎは、サブキャリアグループにあり、かつ、第１時間シンボルに対応するサブキャリアの数であり、ｋ１ｉｎｄｅｘ（ｎ）は、サブキャリアグループにあり、かつ、第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数であり、Ｑは、ｌ又はｌと、Ｓｌｏｔ_ＩＤ、Ｃｅｌｌ_ＩＤ、及びＵＥ_ＩＤのうちの任意の１つ又は組み合わせとの合計である。
【０２２９】
オプションで、サブキャリアグループにあり、かつ、第１時間シンボルに対応する各サブキャリアの位置を取得するとき、取得ユニット１５０１は、具体的には、
ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、サブキャリアグループにあり、かつ、第１時間シンボルに対応する各サブキャリアの位置を決定するように構成される。
【０２３０】
オプションで、取得ユニット１５０１が、ｌに基づいて、サブキャリアグループにあり、かつ、第１時間シンボルに対応する各サブキャリアの位置を決定するとき、サブキャリアグループにあり、かつ、第１時間シンボルに対応する各サブキャリアの位置は、以下の式、
ｋ１ｉｎｄｅｘ（ｎ）＝ｍｏｄ（ｌ，ＫＳＢ）＋（ｎ−１）・ＫＳＢ
を満たす。ここで、ｎ＝１、２、...Ｎであり、Ｎは、サブキャリアグループにあり、かつ、第１時間シンボルに対応するサブキャリアの数であり、ｋ１ｉｎｄｅｘ（ｎ）は、サブキャリアグループにあり、かつ、第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数である。
【０２３１】
オプションで、取得ユニット１５０１が、ｌと、Ｓｌｏｔ_ＩＤ、Ｃｅｌｌ_ＩＤ、及びＵＥ_ＩＤのうちの任意の１つ又は組み合わせとに基づいて、サブキャリアグループにあり、かつ、第１時間シンボルに対応する各サブキャリアの位置を決定するとき、サブキャリアグループにあり、かつ、第１時間シンボルに対応する各サブキャリアの位置は、以下の式、
ｋ１ｉｎｄｅｘ（ｎ）＝ｍｏｄ（ｌ＋Ｐ，ＫＳＢ）＋（ｎ−１）・ＫＳＢ
を満たす。ここで、ｎ＝１、２、...Ｎであり、Ｎは、サブキャリアグループにあり、かつ、第１時間シンボルに対応するサブキャリアの数であり、ｋ１ｉｎｄｅｘ（ｎ）は、サブキャリアグループにあり、かつ、第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数であり、Ｐは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。
【０２３２】
オプションで、帯域幅の範囲内にあり、かつ、第１時間シンボルを除く、期間内の時間シンボルのそれぞれに対応するサブキャリアの位置を取得するとき、取得ユニット１５０１は、具体的には、
ｌと、期間内の第２時間シンボルの位置ｕ、Ｓｌｏｔ_ＩＤ、Ｃｅｌｌ_ＩＤ、及びＵＥ_ＩＤのうちの任意の１つ又は組み合わせとに基づいて、帯域幅の範囲内にあり、かつ、第２時間シンボルに対応するサブキャリアの位置を決定するように構成され、第２時間シンボルは、第１時間シンボル以外の期間内の任意の時間シンボルである。
【０２３３】
オプションで、帯域幅の範囲内にあり、かつ、第２時間シンボルに対応するサブキャリアの位置は、以下の式、
ｋ２ｉｎｄｅｘ＝ｍｏｄ（ｌ＋Ｒ，Ｋ）
を満たす。ここで、ｋ２ｉｎｄｅｘは、帯域幅の範囲内にあり、かつ、第２時間シンボルに対応するサブキャリアの位置であり、Ｒは、ｕ、Ｓｌｏｔ_ＩＤ、Ｃｅｌｌ_ＩＤ、及びＵＥ_ＩＤのうちのいずれか１つ、４つの項目のうちのいずれか２つ又は３つの合計、４つの項目の合計、又は、Ｒ＝ｕ×ＫＳＢ＋Ｔであり、Ｔは、ｕ、Ｓｌｏｔ_ＩＤ、Ｃｅｌｌ_ＩＤ、及びＵＥ_ＩＤのうちのいずれか１つ、４つの項目のうちのいずれか２つの合計、４つの項目のうちのいずれか３つの合計、又は、４つの項目の合計であり、ＫＳＢは、帯域幅の範囲が複数のサブキャリアセットに均等に分割されたときの各サブキャリアセットに含まれるサブキャリアの数であり、Ｋは、帯域幅の範囲内に含まれるサブキャリアの総数量である。
【０２３４】
オプションで、帯域幅の範囲を分割することにより取得される複数のサブキャリアセットの数は、サブキャリアグループに含まれ、かつ、第１時間シンボルに対応するサブキャリアの数と同じであり、各サブキャリアセットは、サブキャリアグループにあり、かつ、第１時間シンボルに対応する１つのサブキャリアを含み、
サブキャリアグループにあり、かつ、第１時間シンボルに対応する各サブキャリアのチャネルパラメータに基づいて、かつ、他の時間シンボルのそれぞれに対応するサブキャリアのチャネルパラメータに基づいて、第１ポートのチャネルパラメータを決定するとき、処理ユニット１５０３は、具体的には、
サブキャリアグループあり、かつ、第１時間シンボルに対応する各サブキャリアのチャネルパラメータを、サブキャリアグループにあり、かつ、第１時間シンボルに対応する各サブキャリアが属するサブキャリアセットのチャネルパラメータとして用い、他の時間シンボルのそれぞれに対応するサブキャリアのチャネルパラメータを、他の時間シンボルのそれぞれに対応するサブキャリアが属する第１サブキャリアセットのチャネルパラメータとして用い、サブキャリアセットは、帯域幅の範囲内の複数のサブキャリアをグループ分けすることにより取得され、各サブキャリアセットは、サブキャリアグループにあり、かつ、第１時間シンボルに対応する１つのサブキャリアを含み、
サブキャリアグループにあり、かつ、第１時間シンボルに対応する各サブキャリアが属するサブキャリアセットのチャネルパラメータに基づいて、かつ、他の時間シンボルのそれぞれに対応するサブキャリアが属する第１サブキャリアセットのチャネルパラメータに基づいて、第１サブキャリアセットを除く、時間シンボルに対応するサブキャリアセットのそれぞれのチャネルパラメータを決定し、
期間内の各時間シンボルに対応する各サブキャリアセットのチャネルパラメータに基づいて、第１ポートのチャネルパラメータを決定する
ように構成される。
【０２３５】
オプションで、第１サブキャリアセットを除く、時間シンボルに対応するサブキャリアセットのそれぞれのチャネルパラメータを決定するとき、処理ユニット１５０３は、具体的には、
サブキャリアグループにあり、かつ、第１時間シンボルに対応する各サブキャリアが属するサブキャリアセットのチャネルパラメータに基づいて、かつ、第３時間シンボルに対応するサブキャリアが属する第１サブキャリアセットのチャネルパラメータに基づいて、第３時間シンボルに対応する第２サブキャリアセットのチャネルパラメータを決定するように構成され、第３時間シンボルは、第１時間シンボル以外の期間内の任意の時間シンボルであり、第２サブキャリアセットは、第１サブキャリアセット以外のものであり、かつ、第３時間シンボルに対応する任意のサブキャリアセットであり、
第３時間シンボルに対応する第２サブキャリアセットのチャネルパラメータを決定するとき、処理ユニット１５０３は、具体的には、
第１時間シンボルに対応する第２サブキャリアセットのチャネルパラメータに、第３時間シンボルに対応する第１サブキャリアセットのチャネルパラメータを乗算し、得られた乗算結果を、第１時間シンボルに対応する第１サブキャリアセットのチャネルパラメータで除算して、第３時間シンボルに対応する第２サブキャリアセットのチャネルパラメータを取得するように構成される。
【０２３６】
本発明の本実施形態において提供される受信デバイスによれば、送信デバイスは、第１ポートのための基準信号の構成情報により示されるリソース上で、第１ポートに対応する基準信号を送信し、受信デバイスは、送信デバイスにより送信された第１ポートに対応する基準信号をリソース上で受信し、受信した基準信号に基づいて、第１ポートのチャネルパラメータを決定する。構成情報は、時間領域において、第１時間シンボルの位置を含み、周波数領域において、特定の帯域幅の範囲内のサブキャリアグループにあり、かつ、第１時間シンボルに対応する各サブキャリアの位置と、帯域幅の範囲内にあり、かつ、第１時間シンボルを除く、リソースにより占有される期間内の時間シンボルのそれぞれに対応するサブキャリアの位置とを含む。１つの基準信号グループが、第１時間シンボルに構成され、１つの基準信号が、第１時間シンボルを除く時間シンボルのそれぞれに構成されることが構成情報から理解され得る。少なくとも１つの基準信号が、各サブバンドに対応する各ＯＦＤＭシンボルに構成される従来技術と比較して、本発明の本実施形態に係る方法では、受信デバイスが第１ポートのチャネルパラメータを取得できるという前提に基づいて、通信システムにおいて伝送される基準信号により占有されるリソースのオーバヘッドが低減され得るので、サービスデータ伝送効率が改善される。
【０２３７】
前述の実施形態に基づいて、本発明の実施形態は、別の送信デバイスをさらに提供し、送信デバイスは、通信システムに適用され、図８に示される基準信号伝送方法を実施する機能を有する。図１６を参照すると、送信デバイス１６００は、取得ユニット１６０１及び送信ユニット１６０２を含み、
取得ユニット１６０１は、送信デバイスの複数のポートのための構成情報を取得するように構成され、構成情報は、複数のポートに対応する基準信号により占有されるリソースの位置を示すべく用いられ、構成情報は、時間領域において、第１時間シンボルの位置を含み、周波数領域において、特定の帯域幅の範囲内のサブキャリアグループにあり、かつ、各ポートに対応する第１時間シンボルに対応する各サブキャリアの位置と、帯域幅の範囲内にあり、かつ、第１時間シンボルを除く、各ポートに対応するリソースにより占有される期間内の時間シンボルのそれぞれに対応するサブキャリアの位置とを含み、サブキャリアグループは複数のサブキャリアを含み、帯域幅の範囲は送信デバイスにより構成され、帯域幅の範囲は複数のサブキャリアを含み、
送信ユニット１６０２は、構成情報により示され、かつ、複数のポートに対応する基準信号により占有されるリソース上で、複数のポートに対応する基準信号を送信するように構成される。
【０２３８】
オプションで、第１時間シンボルの位置を取得するとき、取得ユニット１６０１は、具体的には、
複数のポートのそれぞれのポート番号を取得し、複数のポートのそれぞれのポート番号を含む第１ポートグループを決定し、格納されたポートグループと時間シンボルの位置との間の対応関係に基づいて、第１ポートグループに対応する第１時間シンボルの位置を決定するように構成され、ポートグループと時間シンボルの位置との間の対応関係において、１又は複数のポートグループは、第１時間シンボルの位置に対応する、又は、
リソースのタイムスロット番号Ｓｌｏｔ_ＩＤ、送信デバイスのセル番号Ｃｅｌｌ_ＩＤ、及び受信デバイス番号ＵＥ_ＩＤのうちの任意の１つ又は組み合わせに基づいて、第１時間シンボルの位置を決定するように構成される。
【０２３９】
オプションで、第１時間シンボルの位置は、以下の式、
ｕｉｎｄｅｘ＝ｍｏｄ（Ｙ，ＵＣｏｈ）
を満たす。ここで、ｕｉｎｄｅｘは、第１時間シンボルの位置であり、ＵＣｏｈは、リソースにより占有される期間に含まれる時間シンボルの数であり、Ｙは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。
【０２４０】
オプションで、サブキャリアグループにあり、かつ、各ポートに対応する第１時間シンボルに対応する各サブキャリアの位置を取得するとき、取得ユニット１６０１は、具体的には、
第１ポートのポート番号ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、サブキャリアグループにあり、かつ、第１ポートに対応する第１時間シンボルに対応する各サブキャリアの位置を決定するように構成され、第１ポートは、複数のポートのうちのいずれかである。
【０２４１】
オプションで、取得ユニット１６０１が、ｌに基づいて、サブキャリアグループにあり、かつ、第１ポートに対応する第１時間シンボルに対応する各サブキャリアの位置を決定するとき、サブキャリアグループにあり、かつ、第１ポートに対応する第１時間シンボルに対応する各サブキャリアの位置は、以下の式、
ｋ１ｉｎｄｅｘ（ｎ）＝ｍｏｄ（ｌ，ＫＳＢ）＋（ｎ−１）・ＫＳＢ
を満たす。ここで、ｎ＝１、２、...Ｎであり、Ｎは、サブキャリアグループにあり、かつ、第１ポートに対応する第１時間シンボルに対応するサブキャリアの数であり、ｋ１ｉｎｄｅｘ（ｎ）は、サブキャリアグループにあり、かつ、第１ポートに対応する第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数である。
【０２４２】
オプションで、取得ユニット１６０１が、ｌと、Ｓｌｏｔ_ＩＤ、Ｃｅｌｌ_ＩＤ、及びＵＥ_ＩＤのうちの任意の１つ又は組み合わせとに基づいて、サブキャリアグループにあり、かつ、第１ポートに対応する第１時間シンボルに対応する各サブキャリアの位置を決定するとき、サブキャリアグループにあり、かつ、第１ポートに対応する第１時間シンボルに対応する各サブキャリアの位置は、以下の式、
ｋ１ｉｎｄｅｘ（ｎ）＝ｍｏｄ（ｌ＋Ｐ，ＫＳＢ）＋（ｎ−１）・ＫＳＢ
を満たす。ここで、ｎ＝１、２、...Ｎであり、Ｎは、サブキャリアグループにあり、かつ、第１ポートに対応する第１時間シンボルに対応するサブキャリアの数であり、ｋ１ｉｎｄｅｘ（ｎ）は、サブキャリアグループにあり、かつ、第１ポートに対応する第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数であり、Ｐは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。
【０２４３】
オプションで、帯域幅の範囲内にあり、かつ、第１時間シンボルを除く、期間内の各ポートに対応する時間シンボルのそれぞれに対応するサブキャリアの位置を取得するとき、取得ユニット１６０１は、具体的には、
第１ポートのポート番号ｌと、ｕ、Ｓｌｏｔ_ＩＤ、Ｃｅｌｌ_ＩＤ、及びＵＥ_ＩＤのうちの任意の１つ又は組み合わせとに基づいて、帯域幅の範囲内にあり、かつ、第１ポートに対応する第２時間シンボルに対応するサブキャリアの位置を決定するように構成され、第１ポートは、複数のポートのうちのいずれかであり、第２時間シンボルは、第１時間シンボル以外の期間内の任意の時間シンボルである。
【０２４４】
オプションで、帯域幅の範囲内にあり、かつ、第１ポートに対応する第２時間シンボルに対応するサブキャリアの位置は、以下の式、
ｋ２ｉｎｄｅｘ＝ｍｏｄ（ｌ＋Ｒ，Ｋ）
を満たす。ここで、ｋ２ｉｎｄｅｘは、帯域幅の範囲内にあり、かつ、第１ポートに対応する第２時間シンボルに対応するサブキャリアの位置であり、Ｒは、ｕ、Ｓｌｏｔ_ＩＤ、Ｃｅｌｌ_ＩＤ、及びＵＥ_ＩＤのうちのいずれか１つ、４つの項目のうちのいずれか２つ又は３つの合計、４つの項目の合計、又は、Ｒ＝ｕ×ＫＳＢ＋Ｔであり、Ｔは、ｕ、Ｓｌｏｔ_ＩＤ、Ｃｅｌｌ_ＩＤ、及びＵＥ_ＩＤのうちのいずれか１つ、４つの項目のうちのいずれか２つの合計、４つの項目のうちのいずれか３つの合計、又は、４つの項目の合計であり、ＫＳＢは、帯域幅の範囲が複数のサブキャリアセットに均等に分割されたときの各サブキャリアセットに含まれるサブキャリアの数であり、Ｋは、帯域幅の範囲内に含まれるサブキャリアの総数量である。
【０２４５】
オプションで、送信ユニット１６０２は、具体的には、
複数のポートに対応する基準信号に、予め設定された直交カバーコードを乗算して、複数のポートに対応する処理済み基準信号を取得し、直交カバーコードは複数のポートに固有に構成され、
複数のポートに対応する処理済み基準信号をリソース上で送信する
ように構成される。
【０２４６】
本発明の本実施形態において提供される送信デバイスによれば、送信デバイスは、複数のポートのための基準信号の構成情報により示されるリソース上で、複数のポートに対応する基準信号を送信し、受信デバイスは、送信デバイスにより送信された複数のポートに対応する基準信号をリソース上で受信し、受信した基準信号に基づいて、複数のポートのそれぞれのチャネルパラメータを決定する。構成情報は、時間領域において、第１時間シンボルの位置を含み、周波数領域において、特定の帯域幅の範囲内のサブキャリアグループにあり、かつ、各ポートに対応する第１時間シンボルに対応する各サブキャリアの位置と、帯域幅の範囲内にあり、かつ、第１時間シンボルを除く、各ポートに対応する、リソースにより占有される期間内の時間シンボルのそれぞれに対応するサブキャリアの位置とを含む。１つの基準信号グループが、各ポートに対応する第１時間シンボルに構成され、１つの基準信号が、第１時間シンボルを除く、各ポートに対応する時間シンボルのそれぞれに構成されることが構成情報から理解され得る。少なくとも１つの基準信号が、各ポートに対応する各サブバンドに対応する各ＯＦＤＭシンボルに構成される従来技術と比較して、本発明の本実施形態に係る方法では、受信デバイスが複数のポートのそれぞれのチャネルパラメータを取得できるという前提に基づいて、通信システムにおいて伝送される基準信号により占有されるリソースのオーバヘッドが低減され得るので、サービスデータ伝送効率が改善される。
【０２４７】
前述の実施形態に基づいて、本発明の実施形態は、受信デバイスをさらに提供し、受信デバイスは、通信システムに適用され、図１３に示される基準信号伝送方法を実施する機能を有する。通信システムは、図１６に示される送信デバイスをさらに含む。図１７を参照すると、受信デバイス１７００は、取得ユニット１７０１、受信ユニット１７０２、及び処理ユニット１７０３を含み、
取得ユニット１７０１は、送信デバイスのスケジューリング情報を取得し、スケジューリング情報は、複数のポートのそれぞれのポート番号及び送信デバイスにより構成された帯域幅の範囲を含み、帯域幅の範囲は複数のサブキャリアを含み、
スケジューリング情報に基づいて、複数のポートのための基準信号の構成情報を取得し、構成情報は、複数のポートに対応する基準信号におｙり占有されるリソースの位置を示すべく用いられ、構成情報は、時間領域において、第１時間シンボルの位置を含み、周波数領域において、帯域幅の範囲内のサブキャリアグループにあり、かつ、各ポートに対応する第１時間シンボルに対応する各サブキャリアの位置と、帯域幅の範囲内にあり、かつ、第１時間シンボルを除く、各ポートに対応するリソースにより占有される期間内の時間シンボルのそれぞれに対応するサブキャリアの位置とを含み、各ポートに対応する第１時間シンボルに対応するサブキャリアグループは複数のサブキャリアを含む
ように構成され、
受信ユニット１７０２は、送信デバイスにより送信された複数のポートに対応する基準信号をリソース上で受信するように構成され、
処理ユニット１７０３は、サブキャリアグループにあり、かつ、各ポートに対応する第１時間シンボルに対応する各サブキャリア上で受信された基準信号に基づいてチャネル推定を実行し、サブキャリアグループにあり、かつ、各ポートに対応する第１時間シンボルに対応する各サブキャリアのチャネルパラメータを決定し、帯域幅の範囲内にあり、かつ、各ポートに対応する他の時間シンボルのそれぞれに対応するサブキャリア上で受信された基準信号に基づいてチャネル推定を実行し、各ポートに対応する他の時間シンボルのそれぞれに対応するサブキャリアのチャネルパラメータを決定し、
サブキャリアグループにあり、かつ、各ポートに対応する第１時間シンボルに対応する各サブキャリアのチャネルパラメータに基づいて、かつ、各ポートに対応する他の時間シンボルのそれぞれに対応するサブキャリアのチャネルパラメータに基づいて、複数のポートのそれぞれのチャネルパラメータを決定する
ように構成される。
【０２４８】
オプションで、第１時間シンボルの位置を取得するとき、取得ユニット１７０１は、具体的には、
複数のポートのそれぞれのポート番号を含む第１ポートグループを決定し、格納されたポートグループと時間シンボルの位置との間の対応関係に基づいて、第１ポートグループに対応する第１時間シンボルの位置を決定するように構成され、ポートグループと時間シンボルの位置との間の対応関係において、１又は複数のポートグループは、第１時間シンボルの位置に対応する、又は、
スケジューリング情報は、リソースのタイムスロット番号Ｓｌｏｔ_ＩＤ及び送信デバイスのセル番号Ｃｅｌｌ_ＩＤをさらに含み、第１時間シンボルの位置を取得するとき、取得ユニット１７０１は、具体的には、Ｓｌｏｔ_ＩＤ、Ｃｅｌｌ_ＩＤ、及び受信デバイス番号ＵＥ_ＩＤのうちの任意の１つ又は組み合わせに基づいて、第１時間シンボルの位置を決定するように構成される。
【０２４９】
オプションで、第１時間シンボルの位置は、以下の式、
ｕｉｎｄｅｘ＝ｍｏｄ（Ｙ，ＵＣｏｈ）
を満たす。ここで、ｕｉｎｄｅｘは、第１時間シンボルの位置であり、ＵＣｏｈは、リソースにより占有される期間に含まれる時間シンボルの数であり、Ｙは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。
【０２５０】
オプションで、サブキャリアグループにあり、かつ、各ポートに対応する第１時間シンボルに対応する各サブキャリアの位置を取得するとき、取得ユニット１７０１は、具体的には、
第１ポートのポート番号ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、サブキャリアグループにあり、かつ、第１ポートに対応する第１時間シンボルに対応する各サブキャリアの位置を決定するように構成され、第１ポートは、複数のポートのうちのいずれかである。
【０２５１】
オプションで、取得ユニット１７０１が、ｌに基づいて、サブキャリアグループにあり、かつ、第１ポートに対応する第１時間シンボルに対応する各サブキャリアの位置を決定するとき、サブキャリアグループにあり、かつ、第１ポートに対応する第１時間シンボルに対応する各サブキャリアの位置は、以下の式、
ｋ１ｉｎｄｅｘ（ｎ）＝ｍｏｄ（ｌ，ＫＳＢ）＋（ｎ−１）・ＫＳＢ
を満たす。ここで、ｎ＝１、２、...Ｎであり、Ｎは、サブキャリアグループにあり、かつ、第１ポートに対応する第１時間シンボルに対応するサブキャリアの数であり、ｋ１ｉｎｄｅｘ（ｎ）は、サブキャリアグループにあり、かつ、第１ポートに対応する第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数である。
【０２５２】
オプションで、取得ユニット１７０１が、ｌと、Ｓｌｏｔ_ＩＤ、Ｃｅｌｌ_ＩＤ、及びＵＥ_ＩＤのうちの任意の１つ又は組み合わせとに基づいて、サブキャリアグループにあり、かつ、第１ポートに対応する第１時間シンボルに対応する各サブキャリアの位置を決定するとき、サブキャリアグループにあり、かつ、第１ポートに対応する第１時間シンボルに対応する各サブキャリアの位置は、以下の式、
ｋ１ｉｎｄｅｘ（ｎ）＝ｍｏｄ（ｌ＋Ｐ，ＫＳＢ）＋（ｎ−１）・ＫＳＢ
を満たす。ここで、ｎ＝１、２、...Ｎであり、Ｎは、サブキャリアグループにあり、かつ、第１ポートに対応する第１時間シンボルに対応するサブキャリアの数であり、ｋ１ｉｎｄｅｘ（ｎ）は、サブキャリアグループにあり、かつ、第１ポートに対応する第１時間シンボルに対応するｎ番目のサブキャリアの位置であり、ＫＳＢは、帯域幅の範囲が複数のサブキャリアセットに均等に分割されたときの各サブキャリアセットに含まれるサブキャリアの数であり、Ｐは、Ｓｌｏｔ_ＩＤ、Ｃｅｌｌ_ＩＤ、及びＵＥ_ＩＤのうちのいずれか１つ、３つの項目のうちのいずれか２つの合計、又は３つの項目の合計である。
【０２５３】
オプションで、帯域幅の範囲内にあり、かつ、第１時間シンボルを除く、期間内の各ポートに対応する時間シンボルのそれぞれに対応するサブキャリアの位置を取得するとき、取得ユニット１７０１は、具体的には、
第１ポートおポート番号ｌと、ｕ、Ｓｌｏｔ_ＩＤ、Ｃｅｌｌ_ＩＤ、及びＵＥ_ＩＤのうちの任意の１つ又は組み合わせとに基づいて、帯域幅の範囲内にあり、かつ、第１ポートに対応する第２時間シンボルに対応するサブキャリアの位置を決定するように構成され、第１ポートは、複数のポートのうちのいずれかであり、第２時間シンボルは、第１時間シンボル以外の期間内の任意の時間シンボルである。
【０２５４】
オプションで、帯域幅の範囲内にあり、かつ、第１ポートに対応する第２時間シンボルに対応するサブキャリアの位置は、以下の式、
ｋ２ｉｎｄｅｘ＝ｍｏｄ（ｌ＋Ｒ，Ｋ）
を満たす。ここで、ｋ２ｉｎｄｅｘは、帯域幅の範囲内にあり、かつ、第１ポートに対応する第２時間シンボルに対応するサブキャリアの位置であり、Ｒは、ｕ、Ｓｌｏｔ_ＩＤ、Ｃｅｌｌ_ＩＤ、及びＵＥ_ＩＤのうちのいずれか１つ、４つの項目のうちのいずれか２つ又は３つの合計、４つの項目の合計、又は、Ｒ＝ｕ×ＫＳＢ＋Ｔであり、Ｔは、ｕ、Ｓｌｏｔ_ＩＤ、Ｃｅｌｌ_ＩＤ、及びＵＥ_ＩＤのうちのいずれか１つ、４つの項目のうちのいずれか２つの合計、４つの項目のうちのいずれか３つの合計、又は、４つの項目の合計であり、ＫＳＢは、帯域幅の範囲が複数のサブキャリアセットに均等に分割されたときの各サブキャリアセットに含まれるサブキャリアの数であり、Ｋは、帯域幅の範囲内に含まれるサブキャリアの総数量である。
【０２５５】
オプションで、帯域幅の範囲を分割することにより取得される複数のサブキャリアセットの数は、サブキャリアグループに含まれ、かつ、各ポートに対応する第１時間シンボルに対応するサブキャリアの数と同じであり、各サブキャリアセットは、サブキャリアグループにあり、かつ、各ポートに対応する第１時間シンボルに対応する１つのサブキャリアを含み、
サブキャリアグループにあり、かつ、各ポートに対応する第１時間シンボルに対応する各サブキャリアのチャネルパラメータに基づいて、かつ、各ポートに対応する他の時間シンボルのそれぞれに対応するサブキャリアのチャネルパラメータに基づいて、複数のポートのそれぞれのチャネルパラメータ決定するとき、処理ユニット１７０３は、具体的には、
サブキャリアグループにあり、かつ、第１ポートに対応する第１時間シンボルに対応する各サブキャリアのチャネルパラメータを、サブキャリアグループにあり、かつ、第１ポートに対応する第１時間シンボルに対応する各サブキャリアが属するサブキャリアセットのチャネルパラメータとして用い、第１ポートに対応する他の時間シンボルのそれぞれに対応するサブキャリアのチャネルパラメータを、第１ポートに対応する他の時間シンボルのそれぞれに対応するサブキャリアが属する第１サブキャリアセットのチャネルパラメータとして用い、第１ポートは、複数のポートのうちのいずれかであり、サブキャリアセットは、帯域幅の範囲内の複数のサブキャリアをグループ分けすることにより取得され、各サブキャリアセットは、サブキャリアグループにあり、かつ、第１ポートに対応する第１時間シンボルに対応する１つのサブキャリアを含み、
サブキャリアグループにあり、かつ、第１ポートに対応する第１時間シンボルに対応する各サブキャリアが属するサブキャリアセットのチャネルパラメータに基づいて、かつ、第１ポートに対応する他の時間シンボルのそれぞれに対応するサブキャリアが属する第１サブキャリアセットのチャネルパラメータに基づいて、第１サブキャリアセットを除く、第１ポートに対応する時間シンボルに対応するサブキャリアセットのそれぞれのチャネルパラメータを決定し、
第１ポートに対応する期間内の各時間シンボルに対応する各サブキャリアセットのチャネルパラメータに基づいて、第１ポートのチャネルパラメータを決定する、
ように構成される。
【０２５６】
オプションで、第１サブキャリアセットを除く、第１ポートに対応する時間シンボルに対応するサブキャリアセットのそれぞれのチャネルパラメータを決定するとき、処理ユニット１７０３は、具体的には、
サブキャリアグループにあり、かつ、第１ポートに対応する第１時間シンボルに対応する各サブキャリアが属するサブキャリアセットのチャネルパラメータに基づいて、かつ、第１ポートに対応する第３時間シンボルに対応するサブキャリアが属する第１サブキャリアセットのチャネルパラメータに基づいて、第１ポートに対応する第３時間シンボルに対応する第２サブキャリアセットのチャネルパラメータを決定するように構成され、第３時間シンボルは、第１時間シンボル以外の期間内の任意の時間シンボルであり、第２サブキャリアセットは、第１サブキャリアセット以外のものであり、かつ、第３時間シンボルに対応する任意のサブキャリアセットであり、
第１ポートに対応する第３時間シンボルに対応する第２サブキャリアセットのチャネルパラメータを決定するとき、処理ユニット１７０３は、具体的には、
第１ポートに対応する第１時間シンボルに対応する第２サブキャリアセットのチャネルパラメータに、第１ポートに対応する第３時間シンボルに対応する第１サブキャリアセットのチャネルパラメータを乗算し、得られた乗算結果を、第１ポートに対応する第１時間シンボルに対応する第１サブキャリアセットのチャネルパラメータで除算して、第１ポートに対応する第３時間シンボルに対応する第２サブキャリアセットのチャネルパラメータを取得するように構成される。
【０２５７】
本発明の本実施形態において提供される受信デバイスによれば、送信デバイスは、複数のポートのための基準信号の構成情報により示されるリソース上で、複数のポートに対応する基準信号を送信し、受信デバイスは、送信デバイスにより送信された複数のポートに対応する基準信号をリソース上で受信し、受信した基準信号に基づいて、複数のポートのそれぞれのチャネルパラメータを決定する。構成情報は、時間領域において、第１時間シンボルの位置を含み、周波数領域において、特定の帯域幅の範囲内のサブキャリアグループにあり、かつ、各ポートに対応する第１時間シンボルに対応する各サブキャリアの位置と、帯域幅の範囲内にあり、かつ、第１時間シンボルを除く、各ポートに対応する、リソースにより占有される期間内の時間シンボルのそれぞれに対応するサブキャリアの位置とを含む。１つの基準信号グループが、各ポートに対応する第１時間シンボルに構成され、１つの基準信号が、第１時間シンボルを除く、各ポートに対応する時間シンボルのそれぞれに構成されることが構成情報から理解され得る。少なくとも１つの基準信号が、各ポートに対応する各サブバンドに対応する各ＯＦＤＭシンボルに構成される従来技術と比較して、本発明の本実施形態に係る方法では、受信デバイスが複数のポートのそれぞれのチャネルパラメータを取得できるという前提に基づいて、通信システムにおいて伝送される基準信号により占有されるリソースのオーバヘッドが低減され得るので、サービスデータ伝送効率が改善される。
【０２５８】
本発明の実施形態におけるユニットの区分は、例であり、論理的な機能区分にすぎず、実際の実装では他の区分であってよいことに注意すべきである。本願の実施形態における機能的なユニットは１つの処理ユニットに統合されてよく、ユニットのそれぞれは物理的に単独で存在してよい、又は、少なくとも２つのユニットが、１つのユニットに統合される。統合されたユニットは、ハードウェアの形態で実装されてよく、又は、ソフトウェア機能ユニットの形態で実装されてよい。
【０２５９】
統合されたユニットがソフトウェア機能ユニットの形態で実装され、独立した製品として販売又は用いられるとき、統合されたユニットは、コンピュータ可読記憶媒体に格納されてよい。そのような理解に基づいて、従来技術に対して基本的に又は一部寄与する本願の技術的解決法は、又は、技術的解決法の全て若しくは一部は、ソフトウェア製品の形態で実装されてよい。コンピュータソフトウェア製品は、記憶媒体に格納され、（パーソナルコンピュータ、サーバ、ネットワークデバイス等）コンピュータデバイス、又は、プロセッサ（ｐｒｏｃｅｓｓｏｒ）に、本願の実施形態において説明した方法の段階の全て又はいくつかのを実行するように命令するためのいくつか命令を含む。前述の記憶媒体は、ＵＳＢフラッシュドライブ、リムーバブルハードディスク、リードオンリメモリ（Ｒｅａｄ‐Ｏｎｌｙ  Ｍｅｍｏｒｙ、略して、ＲＯＭ）、ランダムアクセスメモリ（Ｒａｎｄｏｍ  Ａｃｃｅｓｓ  Ｍｅｍｏｒｙ、略して、ＲＡＭ）、磁気ディスク又は光ディスク等の、プログラムコードを格納できる任意の媒体を含む。
【０２６０】
前述の実施形態に基づいて、本発明の実施形態は、送信デバイスをさらに提供し、送信デバイスは通信システムに適用され、送信デバイスは、図３に示される基準信号伝送方法を実装でき、図１４に示される送信デバイス１４００の機能を有する。図１８を参照すると、送信デバイス１８００は、トランシーバ１８０１、プロセッサ１８０２、バス１８０３、及びメモリ１８０４を含み、トランシーバ１８０１、プロセッサ１８０２、及びメモリ１８０４は、バス１８０３を用いることにより互いに接続される。バス１８０３は、ペリフェラルコンポーネントインターコネクト（ｐｅｒｉｐｈｅｒａｌ  ｃｏｍｐｏｎｅｎｔ  ｉｎｔｅｒｃｏｎｎｅｃｔ、略して、ＰＣＩ）バス、拡張型業界標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ、略して、ＥＩＳＡ）バス等であってよい。バスは、アドレスバス、データバス、コントロールバス等に分割されてよい。表現を簡単にするために、バスは、図１８において、１つの太線のみを用いることで表され、しかしながら、それは１つのバス又は１つのタイプのバスのみがあることを意味するものではない。
【０２６１】
トランシーバ１８０１は、通信システム内の別のデバイスとの通信インタラクションを実行するように構成される。
【０２６２】
プロセッサ１８０２は、図３に示される基準信号伝送方法を実装するように構成され、
送信デバイスの第１ポートのための基準信号の構成情報を取得する段階であって、構成情報は、第１ポートに対応する基準信号により占有されるリソースの位置を示すべく用いられ、構成情報は、時間領域において、第１時間シンボルの位置を含み、周波数領域において、特定の帯域幅の範囲内のサブキャリアグループにあり、かつ、第１時間シンボルに対応する各サブキャリアの位置と、帯域幅の範囲内にあり、かつ、第１時間シンボルを除く、リソースにより占有される期間内の時間シンボルのそれぞれに対応するサブキャリアの位置とを含み、サブキャリアグループは複数のサブキャリアを含み、帯域幅の範囲は送信デバイスにより構成され、帯域幅の範囲は複数のサブキャリアを含む、段階と、
第１ポートに対応する基準信号を、構成情報により示されるリソース上で送信する段階と
を含む。
【０２６３】
メモリ１８０４は、プログラム等を格納するように構成される。具体的には、プログラムはプログラムコードを含んでよく、プログラムコードはコンピュータ演算命令を含む。メモリ１８０４は、ランダムアクセスメモリ（Ｒａｎｄｏｍ  Ａｃｃｅｓｓ  Ｍｅｍｏｒｙ、略して、ＲＡＭ）を含んでよく、不揮発性メモリ（ｎｏｎ−ｖｏｌａｔｉｌｅ  ｍｅｍｏｒｙ）、例えば少なくとも１つの磁気ディスクメモリをさらに含んでよい。プロセッサ１８０２は、メモリ１８０４に格納されたアプリケーションプログラムを実行して、前述の機能を実施し、それにより、図３に示される基準信号伝送方法を実施する。
【０２６４】
本発明の本実施形態において提供される送信デバイスによれば、送信デバイスは、第１ポートのための基準信号の構成情報により示されるリソース上で、第１ポートに対応する基準信号を送信し、受信デバイスは、送信デバイスにより送信された第１ポートに対応する基準信号をリソース上で受信し、受信した基準信号に基づいて、第１ポートのチャネルパラメータを決定する。構成情報は、時間領域において、第１時間シンボルの位置を含み、周波数領域において、特定の帯域幅の範囲内のサブキャリアグループにあり、かつ、第１時間シンボルに対応する各サブキャリアの位置と、帯域幅の範囲内にあり、かつ、第１時間シンボルを除く、リソースにより占有される期間内の時間シンボルのそれぞれに対応するサブキャリアの位置とを含む。１つの基準信号グループが、第１時間シンボルに構成され、１つの基準信号が、第１時間シンボルを除く時間シンボルのそれぞれに構成されることが構成情報から理解され得る。少なくとも１つの基準信号が、各サブバンドに対応する各ＯＦＤＭシンボルに構成される従来技術と比較して、本発明の本実施形態に係る方法では、受信デバイスが第１ポートのチャネルパラメータを取得できるという前提に基づいて、通信システムにおいて伝送される基準信号により占有されるリソースのオーバヘッドが低減され得るので、サービスデータ伝送効率が改善される。
【０２６５】
前述の実施形態に基づいて、本発明の実施形態は、受信デバイスをさらに提供し、受信デバイスは、通信システムに適用され、通信システムは、図１８に示される送信デバイスをさらに含む。受信デバイスは、図７に示される基準信号伝送方法を実装でき、図１５に示される受信デバイス１５００の機能を有する。図１９を参照すると、受信デバイス１９００は、トランシーバ１９０１、プロセッサ１９０２、バス１９０３、及びメモリ１９０４を含み、トランシーバ１９０１、プロセッサ１９０２、及びメモリ１９０４は、バス１９０３を用いることにより互いに接続される。バス１９０３は、ペリフェラルコンポーネントインターコネクト（ｐｅｒｉｐｈｅｒａｌ  ｃｏｍｐｏｎｅｎｔ  ｉｎｔｅｒｃｏｎｎｅｃｔ、略して、ＰＣＩ）バス、拡張型業界標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ、略して、ＥＩＳＡ）バス等であってよい。バスは、アドレスバス、データバス、コントロールバス等に分割されてよい。表現を簡単にするために、バスは、図１９において、１つの太線のみを用いることで表され、しかしながら、それは１つのバス又は１つのタイプのバスのみがあることを意味するものではない。
【０２６６】
トランシーバ１９０１は、通信システム内の別のデバイスとの通信インタラクションを実行するように構成される。
【０２６７】
プロセッサ１９０２は、
送信デバイスのスケジューリング情報を取得する手順であって、スケジューリング情報は、第１ポートのポート番号ｌ及び送信デバイスにより構成された帯域幅の範囲を含み、帯域幅の範囲は複数のサブキャリアを含む、手順と、
スケジューリング情報に基づいて第１ポートのための基準信号の構成情報を取得する段階であって構成情報は、第１ポートに対応する基準信号により占有されるリソースの位置を示すべく用いられ、構成情報は、時間領域において、第１時間シンボルの位置を含み、周波数領域において、帯域幅の範囲内のサブキャリアグループにあり、かつ、第１時間シンボルに対応する各サブキャリアの位置と、帯域幅の範囲内にあり、かつ、第１時間シンボルを除く、リソースにより占有される期間内の時間シンボルのそれぞれに対応するサブキャリアの位置とを含み、各ポートに対応する第１時間シンボルに対応するサブキャリアグループは複数のサブキャリアを含む、手順と、
送信デバイスにより送信された第１ポートに対応する基準信号をリソース上で受信する手順と、
サブキャリアグループにあり、かつ、第１時間シンボルに対応する各サブキャリア上で受信された基準信号に基づいてチャネル推定を実行し、サブキャリアグループにあり、かつ、第１時間シンボルに対応する各サブキャリアのチャネルパラメータを決定し、帯域幅の範囲内にあり、かつ、他の時間シンボルのそれぞれに対応するサブキャリア上で受信された基準信号に基づいてチャネル推定を実行し、他の時間シンボルのそれぞれに対応するサブキャリアのチャネルパラメータを決定する手順と、
サブキャリアグループにあり、かつ、第１時間シンボルに対応する各サブキャリアのチャネルパラメータに基づいて、かつ、他の時間シンボルのそれぞれに対応するサブキャリアのチャネルパラメータに基づいて、第１ポートのチャネルパラメータを決定する手順と
を含む、図７に示される基準信号伝送方法を実装するように構成される。
【０２６８】
メモリ１９０４は、プログラム等を格納するように構成される。具体的には、プログラムはプログラムコードを含んでよく、プログラムコードはコンピュータ演算命令を含む。メモリ１９０４は、ランダムアクセスメモリ（Ｒａｎｄｏｍ  Ａｃｃｅｓｓ  Ｍｅｍｏｒｙ、略して、ＲＡＭ）を含んでよく、不揮発性メモリ（ｎｏｎ−ｖｏｌａｔｉｌｅ  ｍｅｍｏｒｙ）、例えば少なくとも１つの磁気ディスクメモリをさらに含んでよい。プロセッサ１９０２は、メモリ１９０４に格納されたアプリケーションプログラムを実行して、前述の機能を実施し、それにより、図７に示される基準信号伝送方法を実施する。
【０２６９】
本発明の本実施形態において提供される受信デバイスによれば、送信デバイスは、第１ポートのための基準信号の構成情報により示されるリソース上で、第１ポートに対応する基準信号を送信し、受信デバイスは、送信デバイスにより送信された第１ポートに対応する基準信号をリソース上で受信し、受信した基準信号に基づいて、第１ポートのチャネルパラメータを決定する。構成情報は、時間領域において、第１時間シンボルの位置を含み、周波数領域において、特定の帯域幅の範囲内のサブキャリアグループにあり、かつ、第１時間シンボルに対応する各サブキャリアの位置と、帯域幅の範囲内にあり、かつ、第１時間シンボルを除く、リソースにより占有される期間内の時間シンボルのそれぞれに対応するサブキャリアの位置とを含む。１つの基準信号グループが、第１時間シンボルに構成され、１つの基準信号が、第１時間シンボルを除く時間シンボルのそれぞれに構成されることが構成情報から理解され得る。少なくとも１つの基準信号が、各サブバンドに対応する各ＯＦＤＭシンボルに構成される従来技術と比較して、本発明の本実施形態に係る方法では、受信デバイスが第１ポートのチャネルパラメータを取得できるという前提に基づいて、通信システムにおいて伝送される基準信号により占有されるリソースのオーバヘッドが低減され得るので、サービスデータ伝送効率が改善される。
【０２７０】
前述の実施形態に基づいて、本発明の実施形態は、送信デバイスをさらに提供し、送信デバイスは、通信システムに適用され、送信デバイスは、図８に示される基準信号伝送方法を実装でき、図１６に示される送信デバイス１６００の機能を有する。図２０を参照すると、送信デバイス２０００は、トランシーバ２００１、プロセッサ２００２、バス２００３、及びメモリ２００４を含み、トランシーバ２００１、プロセッサ２００２、及びメモリ２００４は、バス２００３を用いることにより相互に接続される。バス２００３は、ペリフェラルコンポーネントインターコネクト（ｐｅｒｉｐｈｅｒａｌ  ｃｏｍｐｏｎｅｎｔ  ｉｎｔｅｒｃｏｎｎｅｃｔ、略して、ＰＣＩ）バス、拡張型業界標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ、略して、ＥＩＳＡ）バス等であってよい。バスは、アドレスバス、データバス、コントロールバス等に分割されてよい。表現を簡単にするために、バスは、図２０において、１つの太線のみを用いることで表され、しかしながら、それは１つのバス又は１つのタイプのバスのみがあることを意味するものではない。
【０２７１】
トランシーバ２００１は、通信システム内の別のデバイスとの通信インタラクションを実行するように構成される。
【０２７２】
プロセッサ２００２は、図８に示される基準信号伝送方法を実装するように構成され、
送信デバイスの複数のポートのための構成情報を取得する段階であって、構成情報は、複数のポートに対応する基準信号により占有されるリソースの位置を示すべく用いられ、構成情報は、時間領域において、第１時間シンボルの位置を含み、周波数領域において、特定の帯域幅の範囲内のサブキャリアグループにあり、かつ、各ポートに対応する第１時間シンボルに対応する各サブキャリアの位置と、帯域幅の範囲内にあり、かつ、第１時間シンボルを除く、各ポートに対応するリソースにより占有される期間内の時間シンボルのそれぞれに対応するサブキャリアの位置とを含み、サブキャリアグループは複数のサブキャリアを含み、帯域幅の範囲は送信デバイスにより構成され、帯域幅の範囲は複数のサブキャリアを含む、段階と、
構成情報により示され、かつ、複数のポートに対応する基準信号により占有されるリソース上で、複数のポートに対応する基準信号を送信する段階と
を含む。
【０２７３】
メモリ２００４は、プログラム等を格納するように構成される。具体的には、プログラムはプログラムコードを含んでよく、プログラムコードはコンピュータ演算命令を含む。メモリ２００４は、ランダムアクセスメモリ（Ｒａｎｄｏｍ  Ａｃｃｅｓｓ  Ｍｅｍｏｒｙ、略して、ＲＡＭ）を含んでよく、不揮発性メモリ（ｎｏｎ−ｖｏｌａｔｉｌｅ  ｍｅｍｏｒｙ）、例えば少なくとも１つの磁気ディスクメモリをさらに含んでよい。プロセッサ２００２は、メモリ２００４に格納されたアプリケーションプログラムを実行して、前述の機能を実施し、それにより、図８に示される基準信号伝送方法を実施する。
【０２７４】
本発明の本実施形態において提供される送信デバイスによれば、送信デバイスは、複数のポートのための基準信号の構成情報により示されるリソース上で、複数のポートに対応する基準信号を送信し、受信デバイスは、送信デバイスにより送信された複数のポートに対応する基準信号をリソース上で受信し、受信した基準信号に基づいて、複数のポートのそれぞれのチャネルパラメータを決定する。構成情報は、時間領域において、第１時間シンボルの位置を含み、周波数領域において、特定の帯域幅の範囲内のサブキャリアグループにあり、かつ、各ポートに対応する第１時間シンボルに対応する各サブキャリアの位置と、帯域幅の範囲内にあり、かつ、第１時間シンボルを除く、各ポートに対応する、リソースにより占有される期間内の時間シンボルのそれぞれに対応するサブキャリアの位置とを含む。１つの基準信号グループが、各ポートに対応する第１時間シンボルに構成され、１つの基準信号が、第１時間シンボルを除く、各ポートに対応する時間シンボルのそれぞれに構成されることが構成情報から理解され得る。少なくとも１つの基準信号が、各ポートに対応する各サブバンドに対応する各ＯＦＤＭシンボルに構成される従来技術と比較して、本発明の本実施形態に係る方法では、受信デバイスが複数のポートのそれぞれのチャネルパラメータを取得できるという前提に基づいて、通信システムにおいて伝送される基準信号により占有されるリソースのオーバヘッドが低減され得るので、サービスデータ伝送効率が改善される。
【０２７５】
前述の実施形態に基づいて、本発明の実施形態は、受信デバイスをさらに提供し、受信デバイスは、通信システムに適用され、通信システムは、図２０に示される送信デバイス２０００をさらに含み、受信デバイスは、図１３に示される基準信号伝送方法を実装でき、図１７に示される受信デバイス１７００の機能を有する。図２１を参照すると、受信デバイス２１００は、トランシーバ２１０１、プロセッサ２１０２、バス２１０３、及びメモリ２１０４を含み、トランシーバ２１０１、プロセッサ２１０２、及びメモリ２１０４は、バス２１０３を用いることにより相互に接続される。バス２１０３は、ペリフェラルコンポーネントインターコネクト（ｐｅｒｉｐｈｅｒａｌ  ｃｏｍｐｏｎｅｎｔ  ｉｎｔｅｒｃｏｎｎｅｃｔ、略して、ＰＣＩ）バス、拡張型業界標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ、略して、ＥＩＳＡ）バス等であってよい。バスは、アドレスバス、データバス、コントロールバス等に分割されてよい。表現を簡単にするために、バスは、図２１において、１つの太線のみを用いることで表され、しかしながら、それは１つのバス又は１つのタイプのバスのみがあることを意味するものではない。
【０２７６】
トランシーバ２１０１は、通信システム内の別のデバイスとの通信インタラクションを実行するように構成される。
【０２７７】
プロセッサ２１０２は、図１３に示される基準信号伝送方法を実装するように構成され、
送信デバイスのスケジューリング情報を取得する段階であって、スケジューリング情報は、複数のポートのそれぞれのポート番号及び送信デバイスにより構成された帯域幅の範囲を含み、帯域幅の範囲は複数のサブキャリアを含む、段階と、
スケジューリング情報に基づいて、複数のポートのための基準信号の構成情報を取得する段階であって、構成情報は、複数のポートに対応する基準信号により占有されるリソースの位置を示すべく用いられ、構成情報は、時間領域において、第１時間シンボルの位置を含み、周波数領域において、帯域幅の範囲内のサブキャリアグループにあり、かつ、各ポートに対応する第１時間シンボルに対応する各サブキャリアの位置と、帯域幅の範囲内にあり、かつ、第１時間シンボルを除く、各ポートに対応するリソースにより占有される期間内の時間シンボルのそれぞれに対応するサブキャリアの位置とを含み、各ポートに対応する第１時間シンボルに対応するサブキャリアグループは複数のサブキャリアを含む、段階と、
送信デバイスにより送信された複数のポートに対応する基準信号をリソース上で受信する段階と、
サブキャリアグループにあり、かつ、各ポートに対応する第１時間シンボルに対応する各サブキャリア上で受信された基準信号に基づいてチャネル推定を実行し、サブキャリアグループにあり、かつ、各ポートに対応する第１時間シンボルに対応する各サブキャリアのチャネルパラメータを決定する段階と、帯域幅の範囲内にあり、各ポートに対応する他の時間シンボルのそれぞれに対応するサブキャリア上で受信された基準信号に基づいてチャネル推定を実行し、各ポートに対応する他の時間シンボルのそれぞれに対応するサブキャリアのチャネルパラメータを決定する段階と、
サブキャリアグループにあり、かつ、各ポートに対応する第１時間シンボルに対応する各サブキャリアのチャネルパラメータに基づいて、かつ、各ポートに対応する他の時間シンボルのそれぞれに対応するサブキャリアのチャネルパラメータに基づいて、複数のポートのそれぞれのチャネルパラメータを決定する段階と
を含む。
【０２７８】
メモリ２１０４は、プログラム等を格納するように構成される。具体的には、プログラムはプログラムコードを含んでよく、プログラムコードはコンピュータ演算命令を含む。メモリ２１０４は、ランダムアクセスメモリ（Ｒａｎｄｏｍ  Ａｃｃｅｓｓ  Ｍｅｍｏｒｙ、略して、ＲＡＭ）を含んでよく、不揮発性メモリ（ｎｏｎ−ｖｏｌａｔｉｌｅ  ｍｅｍｏｒｙ）、例えば少なくとも１つの磁気ディスクメモリをさらに含んでよい。プロセッサ２１０２は、メモリ２１０４に格納されたアプリケーションプログラムを実行して、前述の機能を実施し、それにより、図１３に示される基準信号伝送方法を実施する。
【０２７９】
本発明の本実施形態において提供される受信デバイスによれば、送信デバイスは、複数のポートのための基準信号の構成情報により示されるリソース上で、複数のポートに対応する基準信号を送信し、受信デバイスは、送信デバイスにより送信された複数のポートに対応する基準信号をリソース上で受信し、受信した基準信号に基づいて、複数のポートのそれぞれのチャネルパラメータを決定する。構成情報は、時間領域において、第１時間シンボルの位置を含み、周波数領域において、特定の帯域幅の範囲内のサブキャリアグループにあり、かつ、各ポートに対応する第１時間シンボルに対応する各サブキャリアの位置と、帯域幅の範囲内にあり、かつ、第１時間シンボルを除く、各ポートに対応する、リソースにより占有される期間内の時間シンボルのそれぞれに対応するサブキャリアの位置とを含む。１つの基準信号グループが、各ポートに対応する第１時間シンボルに構成され、１つの基準信号が、第１時間シンボルを除く、各ポートに対応する時間シンボルのそれぞれに構成されることが構成情報から理解され得る。少なくとも１つの基準信号が、各ポートに対応する各サブバンドに対応する各ＯＦＤＭシンボルに構成される従来技術と比較して、本発明の本実施形態に係る方法では、受信デバイスが複数のポートのそれぞれのチャネルパラメータを取得できるという前提に基づいて、通信システムにおいて伝送される基準信号により占有されるリソースのオーバヘッドが低減され得るので、サービスデータ伝送効率が改善される。
【０２８０】
前述の実施形態に基づいて、本発明の実施形態は、通信システムをさらに提供し、通信システムは、送信デバイス及び受信デバイスを含む。送信デバイスは、図３に示される方法例における送信デバイスの操作を行う機能を有し、受信デバイスは、図７に示される方法例における受信デバイスの操作を行う機能を有する。
【０２８１】
本発明の本実施形態において提供される通信システムによれば、送信デバイスは、第１ポートのための基準信号の構成情報により示されるリソース上で、第１ポートに対応する基準信号を送信し、受信デバイスは、送信デバイスにより送信された第１ポートに対応する基準信号をリソース上で受信し、受信した基準信号に基づいて、第１ポートのチャネルパラメータを決定する。構成情報は、時間領域において、第１時間シンボルの位置を含み、周波数領域において、特定の帯域幅の範囲内のサブキャリアグループにあり、かつ、第１時間シンボルに対応する各サブキャリアの位置と、帯域幅の範囲内にあり、かつ、第１時間シンボルを除く、リソースにより占有される期間内の時間シンボルのそれぞれに対応するサブキャリアの位置とを含む。１つの基準信号グループが、第１時間シンボルに構成され、１つの基準信号が、第１時間シンボルを除く時間シンボルのそれぞれに構成されることが構成情報から理解され得る。少なくとも１つの基準信号が、各サブバンドに対応する各ＯＦＤＭシンボルに構成される従来技術と比較して、本発明の本実施形態に係る方法では、受信デバイスが第１ポートのチャネルパラメータを取得できるという前提に基づいて、通信システムにおいて伝送される基準信号により占有されるリソースのオーバヘッドが低減され得るので、サービスデータ伝送効率が改善される。
【０２８２】
前述の実施形態に基づいて、本発明の実施形態は、別の通信システムをさらに提供し、通信システムは、送信デバイス及び受信デバイスを含む。送信デバイスは、図８に示される方法例における送信デバイスの操作を行う機能を有し、受信デバイスは、図１３に示される方法例における受信デバイスの操作を行う機能を有する。
【０２８３】
本発明の本実施形態において提供される通信システムによれば、送信デバイスは、複数のポートのための基準信号の構成情報により示されるリソース上で、複数のポートに対応する基準信号を送信し、受信デバイスは、送信デバイスにより送信された複数のポートに対応する基準信号をリソース上で受信し、受信した基準信号に基づいて、複数のポートのそれぞれのチャネルパラメータを決定する。構成情報は、時間領域において、第１時間シンボルの位置を含み、周波数領域において、特定の帯域幅の範囲内のサブキャリアグループにあり、かつ、各ポートに対応する第１時間シンボルに対応する各サブキャリアの位置と、帯域幅の範囲内にあり、かつ、第１時間シンボルを除く、各ポートに対応する、リソースにより占有される期間内の時間シンボルのそれぞれに対応するサブキャリアの位置とを含む。１つの基準信号グループが、各ポートに対応する第１時間シンボルに構成され、１つの基準信号が、第１時間シンボルを除く、各ポートに対応する時間シンボルのそれぞれに構成されることが構成情報から理解され得る。少なくとも１つの基準信号が、各ポートに対応する各サブバンドに対応する各ＯＦＤＭシンボルに構成される従来技術と比較して、本発明の本実施形態に係る方法では、受信デバイスが複数のポートのそれぞれのチャネルパラメータを取得できるという前提に基づいて、通信システムにおいて伝送される基準信号により占有されるリソースのオーバヘッドが低減され得るので、サービスデータ伝送効率が改善される。
【０２８４】
結論として本発明の実施形態において提供される基準信号伝送方法及び装置によれば、送信デバイスは、第１ポートのための基準信号の構成情報により示されるリソース上で、第１ポートに対応する基準信号を送信し、受信デバイスは、送信デバイスにより送信された第１ポートに対応する基準信号をリソース上で受信し、受信した基準信号に基づいて、第１ポートのチャネルパラメータを決定する。構成情報は、時間領域において、第１時間シンボルの位置を含み、周波数領域において、特定の帯域幅の範囲内のサブキャリアグループにあり、かつ、第１時間シンボルに対応する各サブキャリアの位置と、帯域幅の範囲内にあり、かつ、第１時間シンボルを除く、リソースにより占有される期間内の時間シンボルのそれぞれに対応するサブキャリアの位置とを含む。１つの基準信号グループが、第１時間シンボルに構成され、１つの基準信号が、第１時間シンボルを除く時間シンボルのそれぞれに構成されることが構成情報から理解され得る。少なくとも１つの基準信号が、各サブバンドに対応する各ＯＦＤＭシンボルに構成される従来技術と比較して、本発明の実施形態に係る方法では、受信デバイスが第１ポートのチャネルパラメータを取得できるという前提に基づいて、通信システムにおいて伝送される基準信号により占有されるリソースのオーバヘッドが低減され得るので、サービスデータ伝送効率が改善される。
【０２８５】
当業者であれば、本発明の実施形態が方法、システム、又はコンピュータプログラム製品として提供され得ることを理解するはずである。故に、本発明は、ハードウェアのみの実施形態、ソフトウェアのみ実施形態、又はソフトウェア及びハードウェアの組み合わせを用いた実施形態の形式を用いてよい。さらに、本発明は、コンピュータ利用可能プログラムコードを含む１又は複数のコンピュータ利用可能記憶媒体（磁気ディスクメモリ、ＣＤ−ＲＯＭ及び光メモリを含むが、限定されるものではない）に実装されるコンピュータプログラム製品の形態を用いてよい。
【０２８６】
本発明は、本発明の実施形態に係る方法、デバイス（システム）、及びコンピュータプログラム製品のフローチャート及び／又はブロック図を参照して説明される。コンピュータプログラム命令は、フローチャート及び／又はブロック図における各処理及び／又は各ブロック、並びに、フローチャート及び／又はブロック図における処理及び／又はブロックの組み合わせを実装すべく用いられてよいことが理解されるべきである。これらコンピュータプログラム命令は、汎用コンピュータ、専用コンピュータ、組み込みプロセッサ、又は、別のプログラマブルデータ処理デバイスのプロセッサに提供されて、マシンをジェネレートしてよく、その結果、別のプログラマブルデータ処理デバイスのコンピュータ又はプロセッサにより実行される命令は、フローチャートの１又は複数の処理、及び／又は、ブロック図の１又は複数のブロックにおえる特定の機能を実施するために装置をジェネレートする。
【０２８７】
これらコンピュータプログラム命令は、コンピュータ又は別のプログラマブルデータ処理デバイスに、具体的な方式で働かせることができるコンピュータ可読メモリに格納されてよく、その結果、コンピュータ可読メモリに格納された命令は、命令装置を含むアーチファクトをジェネレートする。命令装置は、フローチャート内の１又は複数の処理及び／又はブロック図内の１又は複数のブロックにおける特定の機能を実装する。
【０２８８】
これらコンピュータプログラム命令は、コンピュータ又は別のプログラマブルデータ処理デバイスにロードされてよく、その結果、一連のオペレーション及び段階がコンピュータ又は別のプログラム可能デバイス上で実行され、それにより、コンピュータ実装処理をジェネレートする。故に、コンピュータ又は別のプログラム可能デバイス上で実行される命令は、フローチャート内の１又は複数の処理、及び／又は、ブロック図内の１又は複数のブロックにおける特定の機能を実施するための段階を提供する。
【０２８９】
好ましい本発明の実施形態が説明されてきたが、当業者であれば、一旦基本的な発明のコンセプトを習得すると、これらの実施形態に対する変更及び修正を行うことができる。故に、以下の特許請求の範囲は、好ましい実施形態及び本発明の範囲に含まれる全ての変更及び修正をカバーするものとして解釈されることが意図される。
【０２９０】
当業者であれば、本発明の実施形態の主旨及び範囲から逸脱することなく、本発明の実施形態に対して様々な修正及び変化を行うことができることが明らかである。本発明は、以下の特許請求の範囲及び本発明の同等の技術により規定される範囲内に含まれることが提供されるこれらの修正及び変化をカバーすることが意図される。
【図１】
2019519970.tif 000048
【図２】
2019519970.tif 000049
【図３】
2019519970.tif 000050
【図４】
2019519970.tif 000051
【図５】
2019519970.tif 000052
【図６】
2019519970.tif 000053
【図７】
2019519970.tif 000054
【図８】
2019519970.tif 000055
【図９】
2019519970.tif 000056
【図１０】
2019519970.tif 000057
【図１１】
2019519970.tif 000058
【図１２】
2019519970.tif 000059
【図１３】
2019519970.tif 000060
【図１４】
2019519970.tif 000061
【図１５】
2019519970.tif 000062
【図１６】
2019519970.tif 000063
【図１７】
2019519970.tif 000064
【図１８】
2019519970.tif 000065
【図１９】
2019519970.tif 000066
【図２０】
2019519970.tif 000067
【図２１】
2019519970.tif 000068
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
基準信号伝送方法であって、
送信デバイスにより、前記送信デバイスの第１ポートのための基準信号の構成情報を取得する段階であって、前記構成情報は、前記第１ポートに対応する前記基準信号により占有されるリソースの位置を示すべく用いられ、前記構成情報は、時間領域において、第１時間シンボルの位置を有し、周波数領域において、特定の帯域幅の範囲内のサブキャリアグループにあり、かつ、前記第１時間シンボルに対応する各サブキャリアの位置と、前記帯域幅の範囲内にあり、かつ、前記第１時間シンボルを除く、前記リソースにより占有される期間内の時間シンボルのそれぞれに対応するサブキャリアの位置とを有し、前記サブキャリアグループは複数のサブキャリアを有し、前記帯域幅の範囲は前記送信デバイスにより構成され、前記帯域幅の範囲は複数のサブキャリアを有する、段階と、
前記送信デバイスにより、前記第１ポートに対応する前記基準信号を、前記構成情報により示される前記リソース上で送信する段階と
を備える方法。
【請求項２】
送信デバイスにより第１時間シンボルの位置を前記取得する段階は、
前記送信デバイスにより、前記第１ポートのポート番号を取得し、格納されたポート番号と時間シンボルの位置との間の対応関係に基づいて、前記第１ポートの前記ポート番号に対応する前記第１時間シンボルの前記位置を決定する段階、又は、
前記送信デバイスにより、前記第１ポートの前記ポート番号ｌ、前記リソースのタイムスロット番号Ｓｌｏｔ_ＩＤ、前記送信デバイスのセル番号Ｃｅｌｌ_ＩＤ、及び受信デバイス番号ＵＥ_ＩＤのうちの任意の１つ又は組み合わせに基づいて、前記第１時間シンボルの前記位置を決定する段階
を有する、請求項１に記載の方法。
【請求項３】
送信デバイスにより、サブキャリアグループにあり、かつ、前記第１時間シンボルに対応する各サブキャリアの位置を前記取得する段階は、
前記送信デバイスにより、ｌ、Ｓｌｏｔ_ＩＤ、Ｃｅｌｌ_ＩＤ、及びＵＥ_ＩＤのうちの任意の１つ又は組み合わせに基づいて、前記サブキャリアグループにあり、かつ、前記第１時間シンボルに対応する各サブキャリアの前記位置を決定する段階、又は、
前記送信デバイスにより、ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、前記サブキャリアグループにあり、かつ、前記第１時間シンボルに対応する各サブキャリアの前記位置を決定する段階
を有する、請求項２に記載の方法。
【請求項４】
送信デバイスにより、前記帯域幅の範囲内にあり、かつ、前記第１時間シンボルを除く、期間内の時間シンボルのそれぞれに対応するサブキャリアの位置を前記取得する段階は、
前記送信デバイスにより、ｌと、前記期間内の第２時間シンボルの位置ｕ、Ｓｌｏｔ_ＩＤ、Ｃｅｌｌ_ＩＤ、及びＵＥ_ＩＤのうちの任意の１つ又は組み合わせとに基づいて、前記帯域幅の範囲内にあり、かつ、前記第２時間シンボルに対応するサブキャリアの位置を決定する段階であって、前記第２時間シンボルは、前記第１時間シンボル以外の前記期間内の任意の時間シンボルである、段階を有する、請求項１から３のいずれか一項に記載の方法。
【請求項５】
送信デバイスの第１ポートのための基準信号の構成情報を取得するように構成される取得ユニットであって、前記構成情報は、前記第１ポートに対応する前記基準信号により占有されるリソースの位置を示すべく用いられ、前記構成情報は、時間領域において、第１時間シンボルの位置を有し、周波数領域において、特定の帯域幅の範囲内のサブキャリアグループにあり、かつ、前記第１時間シンボルに対応する各サブキャリアの位置と、前記帯域幅の範囲内にあり、かつ、前記第１時間シンボルを除く、前記リソースにより占有される期間内の時間シンボルのそれぞれに対応するサブキャリアの位置とを有し、前記サブキャリアグループは複数のサブキャリアを有し、前記帯域幅の範囲は前記送信デバイスにより構成され、前記帯域幅の範囲は複数のサブキャリアを有する、取得ユニットと、
前記第１ポートに対応する前記基準信号を、前記構成情報により示される前記リソース上で送信するように構成される送信ユニットと
を備える送信デバイス。
【請求項６】
前記第１時間シンボルの前記位置を取得するとき、前記取得ユニットは、具体的には、
前記第１ポートのポート番号を取得し、格納されたポート番号と時間シンボルの位置との間の対応関係に基づいて、前記第１ポートの前記ポート番号に対応する前記第１時間シンボルの前記位置を決定する、又は、
前記第１ポートの前記ポート番号ｌ、前記リソースのタイムスロット番号Ｓｌｏｔ_ＩＤ、前記送信デバイスのセル番号Ｃｅｌｌ_ＩＤ、及び受信デバイス番号ＵＥ_ＩＤのうちの任意の１つ又は組み合わせに基づいて、前記第１時間シンボルの前記位置を決定する
ように構成される、請求項５に記載の送信デバイス。
【請求項７】
前記サブキャリアグループにあり、かつ、前記第１時間シンボルに対応する各サブキャリアの前記位置を取得するとき、前記取得ユニットは、具体的には、
ｌ、Ｓｌｏｔ_ＩＤ、Ｃｅｌｌ_ＩＤ、及びＵＥ_ＩＤのうちの任意の１つ又は組み合わせに基づいて、前記サブキャリアグループにあり、かつ、前記第１時間シンボルに対応する各サブキャリアの前記位置を決定する、又は、
ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、前記サブキャリアグループにあり、かつ、前記第１時間シンボルに対応する各サブキャリアの前記位置を決定する
ように構成される、請求項６に記載の送信デバイス。
【請求項８】
前記帯域幅の範囲内にあり、かつ、前記第１時間シンボルを除く、前記期間内の前記時間シンボルのそれぞれに対応する前記サブキャリアの前記位置を取得するとき、前記取得ユニットは、具体的には、
ｌと、前記期間内の第２時間シンボルの位置ｕ、Ｓｌｏｔ_ＩＤ、Ｃｅｌｌ_ＩＤ、及びＵＥ_ＩＤのうちの任意の１つ又は組み合わせとに基づいて、前記帯域幅の範囲内にあり、かつ、前記第２時間シンボルに対応するサブキャリアの位置を決定するように構成され、前記第２時間シンボルは、前記第１時間シンボル以外の前記期間内の任意の時間シンボルである、請求項５から７のいずれか一項に記載の送信デバイス。
【請求項９】
取得ユニットであって、送信デバイスのスケジューリング情報を取得し、前記スケジューリング情報は、第１ポートのポート番号ｌ及び前記送信デバイスにより構成された帯域幅の範囲を有し、前記帯域幅の範囲は複数のサブキャリアを有し、
前記スケジューリング情報に基づいて、前記第１ポートのための基準信号の構成情報を取得し、前記構成情報は、前記第１ポートに対応する前記基準信号により占有されるリソースの位置を示すべく用いられ、前記構成情報は、時間領域において、第１時間シンボルの位置を有し、周波数領域において、前記帯域幅の範囲内のサブキャリアグループにあり、かつ、前記第１時間シンボルに対応する各サブキャリアの位置と、前記帯域幅の範囲内にあり、かつ、前記第１時間シンボルを除く、前記リソースにより占有される期間内の時間シンボルのそれぞれに対応するサブキャリアの位置とを有し、各ポートに対応する前記第１時間シンボルに対応するサブキャリアグループは複数のサブキャリアを有する、ように構成される取得ユニットと、
前記送信デバイスにより送信された前記第１ポートに対応する前記基準信号を、前記リソース上で受信するように構成される受信ユニットと、
処理ユニットであって、前記サブキャリアグループにあり、かつ、前記第１時間シンボルに対応する各サブキャリア上で受信された基準信号に基づいてチャネル推定を実行し、前記サブキャリアグループにあり、かつ、前記第１時間シンボルに対応する各サブキャリアのチャネルパラメータを決定し、前記帯域幅の範囲内にあり、かつ、他の時間シンボルのそれぞれに対応する前記サブキャリア上で受信された基準信号に基づいてチャネル推定を実行し、前記他の時間シンボルのそれぞれに対応する前記サブキャリアのチャネルパラメータを決定し、
前記サブキャリアグループにあり、かつ、前記第１時間シンボルに対応する各サブキャリアの前記チャネルパラメータに基づいて、かつ、前記他の時間シンボルのそれぞれに対応する前記サブキャリアの前記チャネルパラメータに基づいて、前記第１ポートのチャネルパラメータを決定する
ように構成される処理ユニットと
を備える受信デバイス。
【請求項１０】
前記第１時間シンボルの前記位置を取得するとき、前記取得ユニットは、具体的には、
格納されたポート番号と時間シンボルの位置との間の対応関係に基づいて、前記第１ポートの前記ポート番号に対応する前記第１時間シンボルの前記位置を決定するように構成される、又は、
前記スケジューリング情報は、前記リソースのタイムスロット番号Ｓｌｏｔ_ＩＤ及び前記送信デバイスのセル番号Ｃｅｌｌ_ＩＤをさらに有し、前記第１時間シンボルの前記位置を取得するとき、前記取得ユニットは、具体的には、ｌ、Ｓｌｏｔ_ＩＤ、Ｃｅｌｌ_ＩＤ、及び受信デバイス番号ＵＥ_ＩＤのうちの任意の１つ又は組み合わせに基づいて、前記第１時間シンボルの前記位置を決定するように構成される、請求項９に記載の受信デバイス。
【請求項１１】
前記サブキャリアグループにあり、かつ、前記第１時間シンボルに対応する各サブキャリアの前記位置を取得するとき、前記取得ユニットは、具体的には、
ｌ、Ｓｌｏｔ_ＩＤ、Ｃｅｌｌ_ＩＤ、及びＵＥ_ＩＤのうちの任意の１つ又は組み合わせに基づいて、前記サブキャリアグループにあり、かつ、前記第１時間シンボルに対応する各サブキャリアの前記位置を決定する、又は、
ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、前記サブキャリアグループにあり、かつ、前記第１時間シンボルに対応する各サブキャリアの前記位置を決定する
ように構成される、請求項１０に記載の受信デバイス。
【請求項１２】
前記帯域幅の範囲内にあり、かつ、前記第１時間シンボルを除く、前記期間内の前記時間シンボルのそれぞれに対応する前記サブキャリアの前記位置を取得するとき、前記取得ユニットは、具体的には、
ｌと、前記期間内の第２時間シンボルの位置ｕ、Ｓｌｏｔ_ＩＤ、Ｃｅｌｌ_ＩＤ、及びＵＥ_ＩＤのうちの任意の１つ又は組み合わせとに基づいて、前記帯域幅の範囲内にあり、かつ、前記第２時間シンボルに対応するサブキャリアの位置を決定するように構成され、前記第２時間シンボルは、前記第１時間シンボル以外の前記期間内の任意の時間シンボルである、請求項９から１１のいずれか一項に記載の受信デバイス。
【請求項１３】
前記帯域幅の範囲が、複数のサブキャリアセットに均等に分割されたとき、前記帯域幅の範囲を分割することにより取得される前記複数のサブキャリアセットの数は、前記サブキャリアグループに含まれ、かつ、前記第１時間シンボルに対応するサブキャリアの数と同じであり、各サブキャリアセットは、前記サブキャリアグループにあり、かつ、前記第１時間シンボルに対応する１つのサブキャリアを有し、
前記サブキャリアグループにあり、かつ、前記第１時間シンボルに対応する各サブキャリアの前記チャネルパラメータに基づいて、かつ、前記他の時間シンボルのそれぞれに対応する前記サブキャリアの前記チャネルパラメータに基づいて、前記第１ポートの前記チャネルパラメータを決定するとき、前記処理ユニットは、具体的には、
前記サブキャリアグループにあり、かつ、前記第１時間シンボルに対応する各サブキャリアの前記チャネルパラメータを、前記サブキャリアグループにあり、かつ、前記第１時間シンボルに対応する各サブキャリアが属するサブキャリアセットのチャネルパラメータとして用い、前記他の時間シンボルのそれぞれに対応する前記サブキャリアの前記チャネルパラメータを、前記他の時間シンボルのそれぞれに対応する前記サブキャリアが属する第１サブキャリアセットのチャネルパラメータとして用いるように構成され、前記サブキャリアセットは、前記帯域幅の範囲内の前記複数のサブキャリアをグループ分けすることにより取得され、各サブキャリアセットは、前記サブキャリアグループにあり、かつ、前記第１時間シンボルに対応する１つのサブキャリアを有し、
前記サブキャリアグループにあり、かつ、前記第１時間シンボルに対応する各サブキャリアが属する前記サブキャリアセットの前記チャネルパラメータに基づいて、かつ、前記他の時間シンボルのそれぞれに対応する前記サブキャリアが属する前記第１サブキャリアセットの前記チャネルパラメータに基づいて、前記第１サブキャリアセットを除く、時間シンボルに対応するサブキャリアセットのそれぞれのチャネルパラメータを決定するように構成され、
前記期間内の各時間シンボルに対応する各サブキャリアセットのチャネルパラメータに基づいて、前記第１ポートの前記チャネルパラメータを決定するように構成される、請求項９から１２のいずれか一項に記載の受信デバイス。
【請求項１４】
前記第１サブキャリアセットを除く、前記時間シンボルに対応する前記サブキャリアセットのそれぞれの前記チャネルパラメータを決定するとき、前記処理ユニットは、具体的には、
前記サブキャリアグループにあり、かつ、前記第１時間シンボルに対応する各サブキャリアが属する前記サブキャリアセットの前記チャネルパラメータに基づいて、かつ、第３時間シンボルに対応するサブキャリアが属する前記第１サブキャリアセットのチャネルパラメータに基づいて、前記第３時間シンボルに対応する第２サブキャリアセットのチャネルパラメータを決定するように構成され、前記第３時間シンボルは、前記第１時間シンボル以外の前記期間内の任意の時間シンボルであり、前記第２サブキャリアセットは、前記第１サブキャリアセット以外のものであり、かつ、前記第３時間シンボルに対応する任意のサブキャリアセットであり、
前記第３時間シンボルに対応する前記第２サブキャリアセットの前記チャネルパラメータを決定するとき、前記処理ユニットは、具体的には、
前記第１時間シンボルに対応する前記第２サブキャリアセットのチャネルパラメータに、前記第３時間シンボルに対応する前記第１サブキャリアセットの前記チャネルパラメータを乗算し、得られた乗算結果を、前記第１時間シンボルに対応する前記第１サブキャリアセットのチャネルパラメータで除算して、前記第３時間シンボルに対応する前記第２サブキャリアセットの前記チャネルパラメータを取得するように構成される、請求項１３に記載の受信デバイス。
【手続補正２】
【補正対象書類名】明細書
【補正対象項目名】００９９
【補正方法】変更
【補正の内容】
【００９９】
（４）本発明における帯域幅の範囲は、受信デバイスに対して送信デバイスにより構成され、帯域幅の範囲は複数のサブキャリアを含む。
【手続補正３】
【補正対象書類名】明細書
【補正対象項目名】０１００
【補正方法】変更
【補正の内容】
【０１００】
（５）本発明におけるサブキャリアセットはまた、サブバンドと称されてよく、送信デバイスにより構成された帯域幅の範囲を均等に分割することにより、通信システムにより取得される。帯域幅の範囲は、複数のサブキャリアセットに分割され、複数のサブキャリアセットはそれぞれ、同じ数の複数のサブキャリアを含む。概して、各サブキャリアセットに含まれる複数のサブキャリアの帯域幅は、コヒーレンス帯域幅より小さい又はコヒーレンス帯域幅と等しい。
【手続補正４】
【補正対象書類名】明細書
【補正対象項目名】０１０１
【補正方法】変更
【補正の内容】
【０１０１】
（６）「複数の」は、少なくとも２つに言及する。
【手続補正５】
【補正対象書類名】明細書
【補正対象項目名】０２９０
【補正方法】変更
【補正の内容】
【０２９０】
当業者であれば、本発明の実施形態の主旨及び範囲から逸脱することなく、本発明の実施形態に対して様々な修正及び変化を行うことができることが明らかである。本発明は、以下の特許請求の範囲及び本発明の同等の技術により規定される範囲内に含まれることが提供されるこれらの修正及び変化をカバーすることが意図される。
［項目１］
基準信号伝送方法であって、
送信デバイスにより、上記送信デバイスの第１ポートのための基準信号の構成情報を取得する段階であって、上記構成情報は、上記第１ポートに対応する上記基準信号により占有されるリソースの位置を示すべく用いられ、上記構成情報は、時間領域において、第１時間シンボルの位置を有し、周波数領域において、特定の帯域幅の範囲内のサブキャリアグループにあり、かつ、上記第１時間シンボルに対応する各サブキャリアの位置と、上記帯域幅の範囲内にあり、かつ、上記第１時間シンボルを除く、上記リソースにより占有される期間内の時間シンボルのそれぞれに対応するサブキャリアの位置とを有し、上記サブキャリアグループは複数のサブキャリアを有し、上記帯域幅の範囲は上記送信デバイスにより構成され、上記帯域幅の範囲は複数のサブキャリアを有する、段階と、
上記送信デバイスにより、上記第１ポートに対応する上記基準信号を、上記構成情報により示される上記リソース上で送信する段階と
を備える方法。
［項目２］
送信デバイスにより第１時間シンボルの位置を上記取得する段階は、
上記送信デバイスにより、上記第１ポートのポート番号を取得し、格納されたポート番号と時間シンボルの位置との間の対応関係に基づいて、上記第１ポートの上記ポート番号に対応する上記第１時間シンボルの上記位置を決定する段階、又は、
上記送信デバイスにより、上記第１ポートの上記ポート番号ｌ、上記リソースのタイムスロット番号Ｓｌｏｔ_ＩＤ、上記送信デバイスのセル番号Ｃｅｌｌ_ＩＤ、及び受信デバイス番号ＵＥ_ＩＤのうちの任意の１つ又は組み合わせに基づいて、上記第１時間シンボルの上記位置を決定する段階
を有する、項目１に記載の方法。
［項目３］
送信デバイスにより、サブキャリアグループにあり、かつ、上記第１時間シンボルに対応する各サブキャリアの位置を上記取得する段階は、
上記送信デバイスにより、ｌ、Ｓｌｏｔ_ＩＤ、Ｃｅｌｌ_ＩＤ、及びＵＥ_ＩＤのうちの任意の１つ又は組み合わせに基づいて、上記サブキャリアグループにあり、かつ、上記第１時間シンボルに対応する各サブキャリアの上記位置を決定する段階、又は、
上記送信デバイスにより、ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、上記サブキャリアグループにあり、かつ、上記第１時間シンボルに対応する各サブキャリアの上記位置を決定する段階
を有する、項目２に記載の方法。
［項目４］
送信デバイスにより、上記帯域幅の範囲内にあり、かつ、上記第１時間シンボルを除く、期間内の時間シンボルのそれぞれに対応するサブキャリアの位置を上記取得する段階は、
上記送信デバイスにより、ｌと、上記期間内の第２時間シンボルの位置ｕ、Ｓｌｏｔ_ＩＤ、Ｃｅｌｌ_ＩＤ、及びＵＥ_ＩＤのうちの任意の１つ又は組み合わせとに基づいて、上記帯域幅の範囲内にあり、かつ、上記第２時間シンボルに対応するサブキャリアの位置を決定する段階であって、上記第２時間シンボルは、上記第１時間シンボル以外の上記期間内の任意の時間シンボルである、段階を有する、項目１から３のいずれか一項に記載の方法。
［項目５］
基準信号伝送方法であって、
受信デバイスにより、送信デバイスのスケジューリング情報を取得する段階であって、上記スケジューリング情報は、第１ポートのポート番号ｌ及び上記送信デバイスにより構成された帯域幅の範囲を有し、上記帯域幅の範囲は複数のサブキャリアを有する、段階と、
上記受信デバイスにより、上記スケジューリング情報に基づいて上記第１ポートのための基準信号の構成情報を取得する段階であって、上記構成情報は、上記第１ポートに対応する上記基準信号により占有されるリソースの位置を示すべく用いられ、上記構成情報は、時間領域において、第１時間シンボルの位置を有し、周波数領域において、上記帯域幅の範囲内のサブキャリアグループにあり、かつ、上記第１時間シンボルに対応する各サブキャリアの位置と、上記帯域幅の範囲内にあり、かつ、上記第１時間シンボルを除く、上記リソースにより占有される期間内の時間シンボルのそれぞれに対応するサブキャリアの位置とを有し、各ポートに対応する上記第１時間シンボルに対応するサブキャリアグループは複数のサブキャリアを含む、段階と、
上記受信デバイスにより、上記送信デバイスにより送信された上記第１ポートに対応する上記基準信号を上記リソース上で受信する段階と、
上記受信デバイスにより、上記サブキャリアグループにあり、かつ、上記第１時間シンボルに対応する各サブキャリア上で受信された基準信号に基づいてチャネル推定を実行し、上記サブキャリアグループにあり、かつ、上記第１時間シンボルに対応する各サブキャリアのチャネルパラメータを決定する段階と、
上記帯域幅の範囲内にあり、他の時間シンボルのそれぞれに対応する上記サブキャリア上で受信された基準信号に基づいてチャネル推定を実行し、上記他の時間シンボルのそれぞれに対応する上記サブキャリアのチャネルパラメータを決定する段階と、
上記受信デバイスにより、上記サブキャリアグループにあり、かつ、上記第１時間シンボルに対応する各サブキャリアの上記チャネルパラメータに基づいて、かつ、上記他の時間シンボルのそれぞれに対応する上記サブキャリアの上記チャネルパラメータに基づいて、上記第１ポートのチャネルパラメータを決定する段階と
を備える方法。
［項目６］
上記受信デバイスにより、第１時間シンボルの位置を上記取得する段階は、
上記受信デバイスにより、格納されたポート番号と時間シンボルの位置との間の対応関係に基づいて、上記第１ポートの上記ポート番号に対応する上記第１時間シンボルの上記位置を決定する段階を有する、又は、
上記スケジューリング情報は、上記リソースのタイムスロット番号Ｓｌｏｔ_ＩＤ及び上記送信デバイスのセル番号Ｃｅｌｌ_ＩＤをさらに有し、上記受信デバイスにより、第１時間シンボルの位置を上記取得する段階は、上記受信デバイスにより、ｌ、Ｓｌｏｔ_ＩＤ、Ｃｅｌｌ_ＩＤ、及び受信デバイス番号ＵＥ_ＩＤのうちの任意の１つ又は組み合わせに基づいて、上記第１時間シンボルの上記位置を決定する段階を有する、項目５に記載の方法。
［項目７］
上記受信デバイスにより、サブキャリアグループにあり、かつ、上記第１時間シンボルに対応する各サブキャリアの位置を上記取得する段階は、
上記受信デバイスにより、ｌ、Ｓｌｏｔ_ＩＤ、Ｃｅｌｌ_ＩＤ、及びＵＥ_ＩＤのうちの任意の１つ又は組み合わせに基づいて、上記サブキャリアグループにあり、かつ、上記第１時間シンボルに対応する各サブキャリアの上記位置を決定する段階、又は、
上記受信デバイスにより、ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、上記サブキャリアグループにあり、かつ、上記第１時間シンボルに対応する各サブキャリアの上記位置を決定する段階
を有する、項目６に記載の方法。
［項目８］
上記受信デバイスにより、上記帯域幅の範囲内にあり、かつ、上記第１時間シンボルを除く、期間内の時間シンボルのそれぞれに対応するサブキャリアの位置を上記取得する段階は、
上記受信デバイスにより、ｌと、上記期間内の第２時間シンボルの位置ｕ、Ｓｌｏｔ_ＩＤ、Ｃｅｌｌ_ＩＤ、及びＵＥ_ＩＤのうちの任意の１つ又は組み合わせとに基づいて、上記帯域幅の範囲内にあり、かつ、上記第２時間シンボルに対応するサブキャリアの位置を決定する段階であって、上記第２時間シンボルは、上記第１時間シンボル以外の上記期間内の任意の時間シンボルである、段階を有する、項目５から７のいずれか一項に記載の方法。
［項目９］
上記帯域幅の範囲が複数のサブキャリアセットに均等に分割されたとき、上記帯域幅の範囲を分割することにより取得される上記複数のサブキャリアセットの数は、上記サブキャリアグループに含まれ、かつ、上記第１時間シンボルに対応するサブキャリアの数と同じであり、各サブキャリアセットは、上記サブキャリアグループにあり、かつ、上記第１時間シンボルに対応する１つのサブキャリアを有し、
上記受信デバイスにより、上記サブキャリアグループにあり、かつ、上記第１時間シンボルに対応する各サブキャリアの上記チャネルパラメータに基づいて、かつ、上記他の時間シンボルのそれぞれに対応する上記サブキャリアの上記チャネルパラメータに基づいて、上記第１ポートのチャネルパラメータを上記決定する段階は、
上記受信デバイスにより、上記サブキャリアグループにあり、かつ、上記第１時間シンボルに対応する各サブキャリアの上記チャネルパラメータを、上記サブキャリアグループにあり、かつ、上記第１時間シンボルに対応する各サブキャリアが属するサブキャリアセットのチャネルパラメータとして用い、上記他の時間シンボルのそれぞれに対応する上記サブキャリアの上記チャネルパラメータを、上記他の時間シンボルのそれぞれに対応する上記サブキャリアが属する第１サブキャリアセットのチャネルパラメータとして用いる段階であって、上記サブキャリアセットは、上記帯域幅の範囲内の上記複数のサブキャリアをグループ分けすることにより取得され、各サブキャリアセットは、上記サブキャリアグループにあり、かつ、上記第１時間シンボルに対応する１つのサブキャリアを有する、段階と、
上記受信デバイスにより、上記サブキャリアグループにあり、かつ、上記第１時間シンボルに対応する各サブキャリアが属する上記サブキャリアセットの上記チャネルパラメータに基づいて、かつ、上記他の時間シンボルのそれぞれに対応する上記サブキャリアが属する上記第１サブキャリアセットの上記チャネルパラメータに基づいて、上記第１サブキャリアセットを除く、時間シンボルに対応するサブキャリアセットのそれぞれのチャネルパラメータを決定する段階と、
上記受信デバイスにより、上記期間内の各時間シンボルに対応する各サブキャリアセットのチャネルパラメータに基づいて上記第１ポートの上記チャネルパラメータを決定する段階と
を有する、項目５から８のいずれか一項に記載の方法。
［項目１０］
上記受信デバイスにより、上記第１サブキャリアセットを除く、時間シンボルに対応するサブキャリアセットのそれぞれのチャネルパラメータを上記決定する段階は、
上記受信デバイスにより、上記サブキャリアグループにあり、かつ、上記第１時間シンボルに対応する各サブキャリアが属する上記サブキャリアセットの上記チャネルパラメータに基づいて、かつ、第３時間シンボルに対応するサブキャリアが属する上記第１サブキャリアセットのチャネルパラメータに基づいて、上記第３時間シンボルに対応する第２サブキャリアセットのチャネルパラメータを決定する段階であって、上記第３時間シンボルは、上記第１時間シンボル以外の上記期間内の任意の時間シンボルであり、上記第２サブキャリアセットは、上記第１サブキャリアセット以外のものであり、かつ、上記第３時間シンボルに対応する任意のサブキャリアセットである、段階を有し、
上記受信デバイスにより、上記第３時間シンボルに対応する第２サブキャリアセットのチャネルパラメータを上記決定する段階は、
上記受信デバイスにより、上記第１時間シンボルに対応する上記第２サブキャリアセットのチャネルパラメータに、上記第３時間シンボルに対応する上記第１サブキャリアセットの上記チャネルパラメータを乗算し、得られた乗算結果を、上記第１時間シンボルに対応する上記第１サブキャリアセットのチャネルパラメータで除算して、上記第３時間シンボルに対応する上記第２サブキャリアセットの上記チャネルパラメータを取得する段階と
を有する、項目９に記載の方法。
［項目１１］
基準信号伝送方法であって、
送信デバイスにより、上記送信デバイスの複数のポートのための構成情報を取得する段階であって、上記構成情報は、上記複数のポートに対応する基準信号により占有されるリソースの位置を示すべく用いられ、上記構成情報は、時間領域において、第１時間シンボルの位置を有し、周波数領域において、特定の帯域幅の範囲内のサブキャリアグループにあり、かつ、各ポートに対応する上記第１時間シンボルに対応する各サブキャリアの位置と、上記帯域幅の範囲内にあり、かつ、上記第１時間シンボルを除く、各ポートに対応する、上記リソースにより占有される期間にある時間シンボルのそれぞれに対応するサブキャリアの位置とを有し、上記サブキャリアグループは複数のサブキャリアを有し、上記帯域幅の範囲は上記送信デバイスにより構成され、上記帯域幅の範囲は複数のサブキャリアを含む、段階と、
上記送信デバイスにより、上記構成情報により示され、かつ、上記複数のポートに対応する上記基準信号により占有される上記リソース上で、上記複数のポートに対応する上記基準信号を送信する段階と
を備える方法。
［項目１２］
送信デバイスにより、第１時間シンボルの位置を上記取得する段階は、
上記送信デバイスにより、上記複数のポートのそれぞれのポート番号を取得する段階と、上記複数のポートのそれぞれの上記ポート番号を有する第１ポートグループを決定する段階と、格納されたポートグループと時間シンボルの位置との間の対応関係に基づいて、上記第１ポートグループに対応する上記第１時間シンボルの上記位置を決定する段階であって、ポートグループと時間シンボルの位置との間の上記対応関係において、１又は複数のポートグループは上記第１時間シンボルの上記位置に対応する、段階とを有する、又は、
上記送信デバイスにより、上記リソースのタイムスロット番号Ｓｌｏｔ_ＩＤ、上記送信デバイスのセル番号Ｃｅｌｌ_ＩＤ、及び受信デバイス番号ＵＥ_ＩＤのうちの任意の１つ又は組み合わせに基づいて、上記第１時間シンボルの上記位置を決定する段階を有する、項目１１に記載の方法。
［項目１３］
送信デバイスにより、サブキャリアグループにあり、かつ、各ポートに対応する上記第１時間シンボルに対応する各サブキャリアの位置を上記取得する段階は、
上記送信デバイスにより、第１ポートのポート番号ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、上記サブキャリアグループにあり、かつ、上記第１ポートに対応する上記第１時間シンボルに対応する各サブキャリアの位置を決定する段階であって、上記第１ポートは、上記複数のポートのうちのいずれかである、段階を有する、項目１１又は１２に記載の方法。
［項目１４］
送信デバイスにより、上記帯域幅の範囲内にあり、かつ、上記第１時間シンボルを除く、期間内の各ポートに対応する時間シンボルのそれぞれに対応するサブキャリアの位置を上記取得する段階は、
上記送信デバイスにより、上記第１ポートの上記ポート番号ｌと、ｕ、Ｓｌｏｔ_ＩＤ、Ｃｅｌｌ_ＩＤ、及びＵＥ_ＩＤのうちの任意の１つ又は組み合わせとに基づいて、上記帯域幅の範囲内にあり、かつ、上記第１ポートに対応する上記第２時間シンボルに対応するサブキャリアの位置を決定する段階であって、上記第１ポートは、上記複数のポートのうちのいずれかであり、上記第２時間シンボルは、上記第１時間シンボル以外の上記期間内の任意の時間シンボルである、段階を有する、項目１１から１３のいずれか一項に記載の方法。
［項目１５］
上記送信デバイスにより、上記構成情報により示され、かつ、上記複数のポートに対応する上記基準信号により占有される上記リソース上で、上記複数のポートに対応する上記基準信号を上記送信する段階は、
上記送信デバイスにより、上記複数のポートに対応する上記基準信号に、予め設定された直交カバーコードを乗算して、上記複数のポートに対応する処理済み基準信号を取得する段階であって、上記直交カバーコードは、上記複数のポートに固有に構成される、段階と、
上記送信デバイスにより、上記複数のポートに対応する上記処理済み基準信号を上記リソース上で送信する段階と
を有する、項目１１から１４のいずれか一項に記載の方法。
［項目１６］
基準信号伝送方法であって、
受信デバイスにより、送信デバイスのスケジューリング情報を取得する段階であって、上記スケジューリング情報は、複数のポートのそれぞれのポート番号及び上記送信デバイスにより構成された帯域幅の範囲を有し、上記帯域幅の範囲は複数のサブキャリアを有する、段階と、
上記受信デバイスにより、上記スケジューリング情報に基づいて、上記複数のポートのための基準信号の構成情報を取得する段階であって、上記構成情報は、上記複数のポートに対応する上記基準信号により占有されるリソースの位置を示すべく用いられ、上記構成情報は、時間領域において、第１時間シンボルの位置を有し、周波数領域において、上記帯域幅の範囲内のサブキャリアグループにあり、かつ、各ポートに対応する上記第１時間シンボルに対応する各サブキャリアの位置と、上記帯域幅の範囲内にあり、かつ、上記第１時間シンボルを除く、各ポートに対応する、上記リソースにより占有される期間内の時間シンボルのそれぞれに対応するサブキャリアの位置とを有し、各ポートに対応する上記第１時間シンボルに対応する上記サブキャリアグループは複数のサブキャリアを含む、段階と、
上記受信デバイスにより、上記送信デバイスにより送信された上記複数のポートに対応する上記基準信号を上記リソース上で受信する段階と、
上記受信デバイスにより、上記サブキャリアグループにあり、かつ、各ポートに対応する上記第１時間シンボルに対応する各サブキャリア上で受信された基準信号に基づいてチャネル推定を実行し、上記サブキャリアグループにあり、かつ、各ポートに対応する上記第１時間シンボルに対応する各サブキャリアのチャネルパラメータを決定する段階、及び、上記帯域幅の範囲内にあり、かつ、各ポートに対応する他の時間シンボルのそれぞれに対応する上記サブキャリア上で受信された基準信号に基づいてチャネル推定を実行し、各ポートに対応する上記他の時間シンボルのそれぞれに対応する上記サブキャリアのチャネルパラメータを決定する段階と、
上記受信デバイスにより、上記サブキャリアグループにあり、かつ、各ポートに対応する上記第１時間シンボルに対応する各サブキャリアの上記チャネルパラメータに基づいて、かつ、各ポートに対応する上記他の時間シンボルのそれぞれに対応する上記サブキャリアの上記チャネルパラメータに基づいて、上記複数のポートのそれぞれのチャネルパラメータを決定する段階と
を備える方法。
［項目１７］
上記受信デバイスにより、第１時間シンボルの位置を上記取得する段階は、
上記受信デバイスにより、上記複数のポートのそれぞれの上記ポート番号を有する第１ポートグループを決定する段階と、格納されたポートグループと時間シンボルの位置との間の対応関係に基づいて、上記第１ポートグループに対応する上記第１時間シンボルの上記位置を決定する段階であって、ポートグループと時間シンボルの位置との間の上記対応関係において、１又は複数のポートグループは、上記第１時間シンボルの上記位置に対応する、段階とを有する、又は、
上記スケジューリング情報は、上記リソースのタイムスロット番号Ｓｌｏｔ_ＩＤ及び上記送信デバイスのセル番号Ｃｅｌｌ_ＩＤをさらに有し、上記受信デバイスにより、第１時間シンボルの位置を上記取得する段階は、上記受信デバイスにより、Ｓｌｏｔ_ＩＤ、Ｃｅｌｌ_ＩＤ、及び受信デバイス番号ＵＥ_ＩＤのうちの任意の１つ又は組み合わせに基づいて、上記第１時間シンボルの上記位置を決定する段階を有する、項目１６に記載の方法。
［項目１８］
上記受信デバイスにより、サブキャリアグループにあり、かつ、各ポートに対応する上記第１時間シンボルに対応する各サブキャリアの位置を上記取得する段階は、
上記受信デバイスにより、第１ポートのポート番号ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、上記サブキャリアグループにあり、かつ、上記第１ポートに対応する上記第１時間シンボルに対応する各サブキャリアの位置を決定する段階であって、上記第１ポートは、上記複数のポートのうちのいずれかである、段階を有する、項目１６又は１７に記載の方法。
［項目１９］
上記受信デバイスにより、上記帯域幅の範囲内にあり、かつ、各ポートに対応する、上記第１時間シンボルを除く、期間内の時間シンボルのそれぞれに対応するサブキャリアの位置を上記取得する段階は、
上記受信デバイスにより、上記第１ポートの上記ポート番号ｌと、ｕ、Ｓｌｏｔ_ＩＤ、Ｃｅｌｌ_ＩＤ、及びＵＥ_ＩＤのうちの任意の１つ又は組み合わせとに基づいて、上記帯域幅の範囲内にあり、かつ、上記第１ポートに対応する上記第２時間シンボルに対応するサブキャリアの位置を決定する段階であって、上記第１ポートは、上記複数のポートのうちのいずれかであり、上記第２時間シンボルは、上記第１時間シンボル以外の上記期間内の任意の時間シンボルである、段階を有する、項目１６から１８のいずれか一項に記載の方法。
［項目２０］
上記帯域幅の範囲が複数のサブキャリアセットに均等に分割されたとき、上記帯域幅の範囲を分割することにより取得される上記複数のサブキャリアセットの数は、上記サブキャリアグループに含まれ、かつ、各ポートに対応する上記第１時間シンボルに対応するサブキャリアの数と同じであり、各サブキャリアセットは、上記サブキャリアグループにあり、かつ、各ポートに対応する上記第１時間シンボルに対応する１つのサブキャリアを有し、
上記受信デバイスにより、上記サブキャリアグループにあり、かつ、各ポートに対応する上記第１時間シンボルに対応する各サブキャリアの上記チャネルパラメータに基づいて、かつ、各ポートに対応する上記他の時間シンボルのそれぞれに対応する上記サブキャリアの上記チャネルパラメータに基づいて、上記複数のポートのそれぞれのチャネルパラメータを上記決定する段階は、
上記受信デバイスにより、上記サブキャリアグループにあり、かつ、上記第１ポートに対応する上記第１時間シンボルに対応する各サブキャリアのチャネルパラメータを、上記サブキャリアグループにあり、かつ、上記第１ポートに対応する上記第１時間シンボルに対応する各サブキャリアが属するサブキャリアセットのチャネルパラメータとして用い、上記第１ポートに対応する上記他の時間シンボルのそれぞれに対応する上記サブキャリアのチャネルパラメータを、上記第１ポートに対応する上記他の時間シンボルのそれぞれに対応する上記サブキャリアが属する第１サブキャリアセットのチャネルパラメータとして用いる段階であって、上記第１ポートは、上記複数のポートのうちのいずれかであり、上記サブキャリアセットは、上記帯域幅の範囲内の上記複数のサブキャリアをグループ分けすることにより取得され、各サブキャリアセットは、上記サブキャリアグループにあり、かつ、上記第１ポートに対応する上記第１時間シンボルに対応する１つのサブキャリアを有する、段階と、
上記受信デバイスにより、上記サブキャリアグループにあり、かつ、上記第１ポートに対応する上記第１時間シンボルに対応する各サブキャリアが属する上記サブキャリアセットの上記チャネルパラメータに基づいて、かつ、上記第１ポートに対応する上記他の時間シンボルのそれぞれに対応する上記サブキャリアが属する上記第１サブキャリアセットの上記チャネルパラメータに基づいて、上記第１サブキャリアセットを除く、上記第１ポートに対応する時間シンボルに対応するサブキャリアセットのそれぞれのチャネルパラメータを決定する段階と、
上記受信デバイスにより、上記第１ポートに対応する上記期間内の各時間シンボルに対応する各サブキャリアセットのチャネルパラメータに基づいて、上記第１ポートのチャネルパラメータを決定する段階と
を有する、項目１６から１９のいずれか一項に記載の方法。
［項目２１］
上記受信デバイスにより、上記第１サブキャリアセットを除く、上記第１ポートに対応する時間シンボルに対応するサブキャリアセットのそれぞれのチャネルパラメータを上記決定する段階は、
上記受信デバイスにより、上記サブキャリアグループにあり、かつ、上記第１ポートに対応する上記第１時間シンボルに対応する各サブキャリアが属する上記サブキャリアセットの上記チャネルパラメータに基づいて、かつ、上記第１ポートに対応する第３時間シンボルに対応するサブキャリアが属する上記第１サブキャリアセットのチャネルパラメータに基づいて、上記第１ポートに対応する上記第３時間シンボルに対応する第２サブキャリアセットのチャネルパラメータを決定する段階であって、上記第３時間シンボルは、上記第１時間シンボル以外の上記期間内の任意の時間シンボルであり、上記第２サブキャリアセットは、上記第１サブキャリアセット以外のものであり、かつ、上記第３時間シンボルに対応する任意のサブキャリアセットである、段階と
を有し、
上記受信デバイスにより、上記第１ポートに対応する上記第３時間シンボルに対応する第２サブキャリアセットのチャネルパラメータを上記決定する段階は、
上記受信デバイスにより、上記第１ポートに対応する上記第１時間シンボルに対応する上記第２サブキャリアセットのチャネルパラメータに、上記第１ポートに対応する上記第３時間シンボルに対応する上記第１サブキャリアセットの上記チャネルパラメータを乗算し、得られた乗算結果を、上記第１ポートに対応する上記第１時間シンボルに対応する上記第１サブキャリアセットのチャネルパラメータで除算して、上記第１ポートに対応する上記第３時間シンボルに対応する上記第２サブキャリアセットの上記チャネルパラメータを取得する段階
を有する、項目２０に記載の方法。
［項目２２］
送信デバイスの第１ポートのための基準信号の構成情報を取得するように構成される取得ユニットであって、上記構成情報は、上記第１ポートに対応する上記基準信号により占有されるリソースの位置を示すべく用いられ、上記構成情報は、時間領域において、第１時間シンボルの位置を有し、周波数領域において、特定の帯域幅の範囲内のサブキャリアグループにあり、かつ、上記第１時間シンボルに対応する各サブキャリアの位置と、上記帯域幅の範囲内にあり、かつ、上記第１時間シンボルを除く、上記リソースにより占有される期間内の時間シンボルのそれぞれに対応するサブキャリアの位置とを有し、上記サブキャリアグループは複数のサブキャリアを有し、上記帯域幅の範囲は上記送信デバイスにより構成され、上記帯域幅の範囲は複数のサブキャリアを有する、取得ユニットと、
上記第１ポートに対応する上記基準信号を、上記構成情報により示される上記リソース上で送信するように構成される送信ユニットと
を備える送信デバイス。
［項目２３］
上記第１時間シンボルの上記位置を取得するとき、上記取得ユニットは、具体的には、
上記第１ポートのポート番号を取得し、格納されたポート番号と時間シンボルの位置との間の対応関係に基づいて、上記第１ポートの上記ポート番号に対応する上記第１時間シンボルの上記位置を決定する、又は、
上記第１ポートの上記ポート番号ｌ、上記リソースのタイムスロット番号Ｓｌｏｔ_ＩＤ、上記送信デバイスのセル番号Ｃｅｌｌ_ＩＤ、及び受信デバイス番号ＵＥ_ＩＤのうちの任意の１つ又は組み合わせに基づいて、上記第１時間シンボルの上記位置を決定する
ように構成される、項目２２に記載の送信デバイス。
［項目２４］
上記サブキャリアグループにあり、かつ、上記第１時間シンボルに対応する各サブキャリアの上記位置を取得するとき、上記取得ユニットは、具体的には、
ｌ、Ｓｌｏｔ_ＩＤ、Ｃｅｌｌ_ＩＤ、及びＵＥ_ＩＤのうちの任意の１つ又は組み合わせに基づいて、上記サブキャリアグループにあり、かつ、上記第１時間シンボルに対応する各サブキャリアの上記位置を決定する、又は、
ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、上記サブキャリアグループにあり、かつ、上記第１時間シンボルに対応する各サブキャリアの上記位置を決定する
ように構成される、項目２３に記載の送信デバイス。
［項目２５］
上記帯域幅の範囲内にあり、かつ、上記第１時間シンボルを除く、上記期間内の上記時間シンボルのそれぞれに対応する上記サブキャリアの上記位置を取得するとき、上記取得ユニットは、具体的には、
ｌと、上記期間内の第２時間シンボルの位置ｕ、Ｓｌｏｔ_ＩＤ、Ｃｅｌｌ_ＩＤ、及びＵＥ_ＩＤのうちの任意の１つ又は組み合わせとに基づいて、上記帯域幅の範囲内にあり、かつ、上記第２時間シンボルに対応するサブキャリアの位置を決定するように構成され、上記第２時間シンボルは、上記第１時間シンボル以外の上記期間内の任意の時間シンボルである、項目２２から２４のいずれか一項に記載の送信デバイス。
［項目２６］
取得ユニットであって、送信デバイスのスケジューリング情報を取得し、上記スケジューリング情報は、第１ポートのポート番号ｌ及び上記送信デバイスにより構成された帯域幅の範囲を有し、上記帯域幅の範囲は複数のサブキャリアを有し、
上記スケジューリング情報に基づいて、上記第１ポートのための基準信号の構成情報を取得し、上記構成情報は、上記第１ポートに対応する上記基準信号により占有されるリソースの位置を示すべく用いられ、上記構成情報は、時間領域において、第１時間シンボルの位置を有し、周波数領域において、上記帯域幅の範囲内のサブキャリアグループにあり、かつ、上記第１時間シンボルに対応する各サブキャリアの位置と、上記帯域幅の範囲内にあり、かつ、上記第１時間シンボルを除く、上記リソースにより占有される期間内の時間シンボルのそれぞれに対応するサブキャリアの位置とを有し、各ポートに対応する上記第１時間シンボルに対応するサブキャリアグループは複数のサブキャリアを有する、ように構成される取得ユニットと、
上記送信デバイスにより送信された上記第１ポートに対応する上記基準信号を、上記リソース上で受信するように構成される受信ユニットと、
処理ユニットであって、上記サブキャリアグループにあり、かつ、上記第１時間シンボルに対応する各サブキャリア上で受信された基準信号に基づいてチャネル推定を実行し、上記サブキャリアグループにあり、かつ、上記第１時間シンボルに対応する各サブキャリアのチャネルパラメータを決定し、上記帯域幅の範囲内にあり、かつ、他の時間シンボルのそれぞれに対応する上記サブキャリア上で受信された基準信号に基づいてチャネル推定を実行し、上記他の時間シンボルのそれぞれに対応する上記サブキャリアのチャネルパラメータを決定し、
上記サブキャリアグループにあり、かつ、上記第１時間シンボルに対応する各サブキャリアの上記チャネルパラメータに基づいて、かつ、上記他の時間シンボルのそれぞれに対応する上記サブキャリアの上記チャネルパラメータに基づいて、上記第１ポートのチャネルパラメータを決定する
ように構成される処理ユニットと
を備える受信デバイス。
［項目２７］
上記第１時間シンボルの上記位置を取得するとき、上記取得ユニットは、具体的には、
格納されたポート番号と時間シンボルの位置との間の対応関係に基づいて、上記第１ポートの上記ポート番号に対応する上記第１時間シンボルの上記位置を決定するように構成される、又は、
上記スケジューリング情報は、上記リソースのタイムスロット番号Ｓｌｏｔ_ＩＤ及び上記送信デバイスのセル番号Ｃｅｌｌ_ＩＤをさらに有し、上記第１時間シンボルの上記位置を取得するとき、上記取得ユニットは、具体的には、ｌ、Ｓｌｏｔ_ＩＤ、Ｃｅｌｌ_ＩＤ、及び受信デバイス番号ＵＥ_ＩＤのうちの任意の１つ又は組み合わせに基づいて、上記第１時間シンボルの上記位置を決定するように構成される、項目２６に記載の受信デバイス。
［項目２８］
上記サブキャリアグループにあり、かつ、上記第１時間シンボルに対応する各サブキャリアの上記位置を取得するとき、上記取得ユニットは、具体的には、
ｌ、Ｓｌｏｔ_ＩＤ、Ｃｅｌｌ_ＩＤ、及びＵＥ_ＩＤのうちの任意の１つ又は組み合わせに基づいて、上記サブキャリアグループにあり、かつ、上記第１時間シンボルに対応する各サブキャリアの上記位置を決定する、又は、
ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、上記サブキャリアグループにあり、かつ、上記第１時間シンボルに対応する各サブキャリアの上記位置を決定する
ように構成される、項目２７に記載の受信デバイス。
［項目２９］
上記帯域幅の範囲内にあり、かつ、上記第１時間シンボルを除く、上記期間内の上記時間シンボルのそれぞれに対応する上記サブキャリアの上記位置を取得するとき、上記取得ユニットは、具体的には、
ｌと、上記期間内の第２時間シンボルの位置ｕ、Ｓｌｏｔ_ＩＤ、Ｃｅｌｌ_ＩＤ、及びＵＥ_ＩＤのうちの任意の１つ又は組み合わせとに基づいて、上記帯域幅の範囲内にあり、かつ、上記第２時間シンボルに対応するサブキャリアの位置を決定するように構成され、上記第２時間シンボルは、上記第１時間シンボル以外の上記期間内の任意の時間シンボルである、項目２６から２８のいずれか一項に記載の受信デバイス。
［項目３０］
上記帯域幅の範囲が、複数のサブキャリアセットに均等に分割されたとき、上記帯域幅の範囲を分割することにより取得される上記複数のサブキャリアセットの数は、上記サブキャリアグループに含まれ、かつ、上記第１時間シンボルに対応するサブキャリアの数と同じであり、各サブキャリアセットは、上記サブキャリアグループにあり、かつ、上記第１時間シンボルに対応する１つのサブキャリアを有し、
上記サブキャリアグループにあり、かつ、上記第１時間シンボルに対応する各サブキャリアの上記チャネルパラメータに基づいて、かつ、上記他の時間シンボルのそれぞれに対応する上記サブキャリアの上記チャネルパラメータに基づいて、上記第１ポートの上記チャネルパラメータを決定するとき、上記処理ユニットは、具体的には、
上記サブキャリアグループにあり、かつ、上記第１時間シンボルに対応する各サブキャリアの上記チャネルパラメータを、上記サブキャリアグループにあり、かつ、上記第１時間シンボルに対応する各サブキャリアが属するサブキャリアセットのチャネルパラメータとして用い、上記他の時間シンボルのそれぞれに対応する上記サブキャリアの上記チャネルパラメータを、上記他の時間シンボルのそれぞれに対応する上記サブキャリアが属する第１サブキャリアセットのチャネルパラメータとして用いるように構成され、上記サブキャリアセットは、上記帯域幅の範囲内の上記複数のサブキャリアをグループ分けすることにより取得され、各サブキャリアセットは、上記サブキャリアグループにあり、かつ、上記第１時間シンボルに対応する１つのサブキャリアを有し、
上記サブキャリアグループにあり、かつ、上記第１時間シンボルに対応する各サブキャリアが属する上記サブキャリアセットの上記チャネルパラメータに基づいて、かつ、上記他の時間シンボルのそれぞれに対応する上記サブキャリアが属する上記第１サブキャリアセットの上記チャネルパラメータに基づいて、上記第１サブキャリアセットを除く、時間シンボルに対応するサブキャリアセットのそれぞれのチャネルパラメータを決定するように構成され、
上記期間内の各時間シンボルに対応する各サブキャリアセットのチャネルパラメータに基づいて、上記第１ポートの上記チャネルパラメータを決定するように構成される、項目２６から２９のいずれか一項に記載の受信デバイス。
［項目３１］
上記第１サブキャリアセットを除く、上記時間シンボルに対応する上記サブキャリアセットのそれぞれの上記チャネルパラメータを決定するとき、上記処理ユニットは、具体的には、
上記サブキャリアグループにあり、かつ、上記第１時間シンボルに対応する各サブキャリアが属する上記サブキャリアセットの上記チャネルパラメータに基づいて、かつ、第３時間シンボルに対応するサブキャリアが属する上記第１サブキャリアセットのチャネルパラメータに基づいて、上記第３時間シンボルに対応する第２サブキャリアセットのチャネルパラメータを決定するように構成され、上記第３時間シンボルは、上記第１時間シンボル以外の上記期間内の任意の時間シンボルであり、上記第２サブキャリアセットは、上記第１サブキャリアセット以外のものであり、かつ、上記第３時間シンボルに対応する任意のサブキャリアセットであり、
上記第３時間シンボルに対応する上記第２サブキャリアセットの上記チャネルパラメータを決定するとき、上記処理ユニットは、具体的には、
上記第１時間シンボルに対応する上記第２サブキャリアセットのチャネルパラメータに、上記第３時間シンボルに対応する上記第１サブキャリアセットの上記チャネルパラメータを乗算し、得られた乗算結果を、上記第１時間シンボルに対応する上記第１サブキャリアセットのチャネルパラメータで除算して、上記第３時間シンボルに対応する上記第２サブキャリアセットの上記チャネルパラメータを取得するように構成される、項目３０に記載の受信デバイス。
［項目３２］
送信デバイスの複数のポートのための構成情報を取得するように構成される取得ユニットであって、上記構成情報は、上記複数のポートに対応する基準信号により占有されるリソースの位置を示すべく用いられ、上記構成情報は、時間領域において、第１時間シンボルの位置を有し、周波数領域において、特定の帯域幅の範囲内のサブキャリアグループにあり、かつ、各ポートに対応する上記第１時間シンボルに対応する各サブキャリアの位置と、上記帯域幅の範囲内にあり、かつ、上記第１時間シンボルを除く、各ポートに対応する、上記リソースにより占有される期間内の時間シンボルのそれぞれに対応するサブキャリアの位置とを有し、上記サブキャリアグループは複数のサブキャリアを有し、上記帯域幅の範囲は上記送信デバイスにより構成され、上記帯域幅の範囲は複数のサブキャリアを有する、取得ユニットと、
上記構成情報により示され、かつ、上記複数のポートに対応する上記基準信号により占有される上記リソース上で、上記複数のポートに対応する上記基準信号を送信するように構成される送信ユニットと
を備える送信デバイス。
［項目３３］
上記第１時間シンボルの上記位置を取得するとき、上記取得ユニットは、具体的には、
上記複数のポートのそれぞれのポート番号を取得し、上記複数のポートのそれぞれの上記ポート番号を有する第１ポートグループを決定し、格納されたポートグループと時間シンボルの位置との間の対応関係に基づいて、上記第１ポートグループに対応する上記第１時間シンボルの上記位置を決定するように構成され、ポートグループと時間シンボルの位置との間の上記対応関係において、１又は複数のポートグループは、上記第１時間シンボルの上記位置に対応する、又は、
上記リソースのタイムスロット番号Ｓｌｏｔ_ＩＤ、上記送信デバイスのセル番号Ｃｅｌｌ_ＩＤ、及び受信デバイス番号ＵＥ_ＩＤのうちの任意の１つ又は組み合わせに基づいて、上記第１時間シンボルの上記位置を決定するように構成される、項目３２に記載の送信デバイス。
［項目３４］
上記サブキャリアグループにあり、かつ、各ポートに対応する上記第１時間シンボルに対応する各サブキャリアの上記位置を取得するとき、上記取得ユニットは、具体的には、
第１ポートのポート番号ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、上記サブキャリアグループにあり、かつ、上記第１ポートに対応する上記第１時間シンボルに対応する各サブキャリアの位置を決定するように構成され、上記第１ポートは、上記複数のポートのうちのいずれかである、項目３２又は３３に記載の送信デバイス。
［項目３５］
上記帯域幅の範囲内にあり、かつ、上記第１時間シンボルを除く、上記期間内の各ポートに対応する上記時間シンボルのそれぞれに対応する上記サブキャリアの上記位置を取得するとき、上記取得ユニットは、具体的には、
上記第１ポートの上記ポート番号ｌと、ｕ、Ｓｌｏｔ_ＩＤ、Ｃｅｌｌ_ＩＤ、及びＵＥ_ＩＤのうちの任意の１つ又は組み合わせとに基づいて、上記帯域幅の範囲内にあり、かつ、上記第１ポートに対応する上記第２時間シンボルに対応するサブキャリアの位置を決定するように構成され、上記第１ポートは、上記複数のポートのうちのいずれかであり、上記第２時間シンボルは、上記第１時間シンボル以外の上記期間内の任意の時間シンボルである、項目３２から３４のいずれか一項に記載の送信デバイス。
［項目３６］
上記送信ユニットは、具体的には、
上記複数のポートに対応する上記基準信号に、予め設定された直交カバーコードを乗算して、上記複数のポートに対応する処理済み基準信号を取得し、上記直交カバーコードは、上記複数のポートに固有に構成され、
上記複数のポートに対応する上記処理済み基準信号を上記リソース上で送信する
ように構成される、項目３２から３５のいずれか一項に記載の送信デバイス。
［項目３７］
送信デバイスのスケジューリング情報を取得するように構成される取得ユニットであって、上記スケジューリング情報は、複数のポートのそれぞれのポート番号及び上記送信デバイスにより構成された帯域幅の範囲を有し、上記帯域幅の範囲は複数のサブキャリアを含み、
上記スケジューリング情報に基づいて、上記複数のポートのための基準信号の構成情報を取得するように構成され、上記構成情報は、上記複数のポートに対応する上記基準信号により占有されるリソースの位置を示すべく用いられ、上記構成情報は、時間領域において、第１時間シンボルの位置を有し、周波数領域において、上記帯域幅の範囲内のサブキャリアグループにあり、かつ、各ポートに対応する上記第１時間シンボルに対応する各サブキャリアの位置と、上記帯域幅の範囲内にあり、かつ、上記第１時間シンボルを除く、各ポートに対応する上記リソースにより占有される期間内の時間シンボルのそれぞれに対応するサブキャリアの位置とを有し、各ポートに対応する上記第１時間シンボルに対応する上記サブキャリアグループは複数のサブキャリアを有する、取得ユニットと、
上記送信デバイスにより送信された上記複数のポートに対応する上記基準信号を上記リソース上で受信するように構成される受信ユニットと、
上記サブキャリアグループにあり、かつ、各ポートに対応する上記第１時間シンボルに対応する各サブキャリア上で受信された基準信号に基づいて、チャネル推定を実行し、上記サブキャリアグループにあり、かつ、各ポートに対応する上記第１時間シンボルに対応する各サブキャリアのチャネルパラメータを決定し、上記帯域幅の範囲内にあり、かつ、各ポートに対応する他の時間シンボルのそれぞれに対応する上記サブキャリア上で受信された基準信号に基づいてチャネル推定を実行し、各ポートに対応する上記他の時間シンボルのそれぞれに対応する上記サブキャリアのチャネルパラメータを決定し、
上記サブキャリアグループにあり、かつ、各ポートに対応する上記第１時間シンボルに対応する各サブキャリアの上記チャネルパラメータに基づいて、かつ、各ポートに対応する上記他の時間シンボルのそれぞれに対応する上記サブキャリアの上記チャネルパラメータに基づいて、上記複数のポートのそれぞれのチャネルパラメータを決定する
ように構成される処理ユニットと
を備える受信デバイス。
［項目３８］
上記第１時間シンボルの上記位置を取得するとき、上記取得ユニットは、具体的には、
上記複数のポートのそれぞれの上記ポート番号を有する第１ポートグループを決定し、格納されたポートグループと時間シンボルの位置との間の対応関係に基づいて、上記第１ポートグループに対応する上記第１時間シンボルの上記位置を決定するように構成され、ポートグループと時間シンボルの位置との間の上記対応関係において、１又は複数のポートグループは、上記第１時間シンボルの上記位置に対応する、又は、
上記スケジューリング情報は、上記リソースのタイムスロット番号Ｓｌｏｔ_ＩＤ及び上記送信デバイスのセル番号Ｃｅｌｌ_ＩＤをさらに有し、上記第１時間シンボルの上記位置を取得するとき、上記取得ユニットは、具体的には、Ｓｌｏｔ_ＩＤ、Ｃｅｌｌ_ＩＤ、及び受信デバイス番号ＵＥ_ＩＤのうちの任意の１つ又は組み合わせに基づいて、上記第１時間シンボルの上記位置を決定するように構成される、項目３７に記載の受信デバイス。
［項目３９］
上記サブキャリアグループにあり、かつ、各ポートに対応する上記第１時間シンボルに対応する各サブキャリアの上記位置を取得するとき、上記取得ユニットは、具体的には、
第１ポートのポート番号ｌに基づいて、又は、ｌと、Ｓｌｏｔ_ＩＤ、Ｃｅｌｌ_ＩＤ、及びＵＥ_ＩＤのうちの任意の１つ又は組み合わせとに基づいて、上記サブキャリアグループにあり、かつ、上記第１ポートに対応する上記第１時間シンボルに対応する各サブキャリアの位置を決定するように構成され、上記第１ポートは、上記複数のポートのうちのいずれかである、項目３７又は３８に記載の受信デバイス。
［項目４０］
上記帯域幅の範囲内にあり、かつ、上記第１時間シンボルを除く、各ポートに対応する上記期間内の上記時間シンボルのそれぞれに対応する上記サブキャリアの上記位置を取得するとき、上記取得ユニットは、具体的には、
上記第１ポートの上記ポート番号ｌと、ｕ、Ｓｌｏｔ_ＩＤ、Ｃｅｌｌ_ＩＤ、及びＵＥ_ＩＤのうちの任意の１つ又は組み合わせとに基づいて、上記帯域幅の範囲内にあり、かつ、上記第１ポートに対応する上記第２時間シンボルに対応するサブキャリアの位置を決定するように構成され、上記第１ポートは、上記複数のポートのうちのいずれかであり、上記第２時間シンボルは、上記第１時間シンボル以外の上記期間内の任意の時間シンボルである、項目３７から３９のいずれか一項に記載の受信デバイス。
［項目４１］
上記帯域幅の範囲が複数のサブキャリアセットに均等に分割されたとき、上記帯域幅の範囲を分割することにより取得される上記複数のサブキャリアセットの数は、上記サブキャリアグループに含まれ、かつ、各ポートに対応する上記第１時間シンボルに対応するサブキャリアの数と同じであり、各サブキャリアセットは、上記サブキャリアグループにあり、かつ、各ポートに対応する上記第１時間シンボルに対応する１つのサブキャリアを有し、
上記サブキャリアグループにあり、かつ、各ポートに対応する上記第１時間シンボルに対応する各サブキャリアの上記チャネルパラメータに基づいて、かつ、各ポートに対応する上記他の時間シンボルのそれぞれに対応する上記サブキャリアの上記チャネルパラメータに基づいて、上記複数のポートのそれぞれの上記チャネルパラメータを決定するとき、上記処理ユニットは、具体的には、
上記サブキャリアグループにあり、かつ、上記第１ポートに対応する上記第１時間シンボルに対応する各サブキャリアのチャネルパラメータを、上記サブキャリアグループにあり、かつ、上記第１ポートに対応する上記第１時間シンボルに対応する各サブキャリアが属するサブキャリアセットのチャネルパラメータとして用い、上記第１ポートに対応する上記他の時間シンボルのそれぞれに対応する上記サブキャリアのチャネルパラメータを、上記第１ポートに対応する上記他の時間シンボルのそれぞれに対応する上記サブキャリアが属する第１サブキャリアセットのチャネルパラメータとして用い、上記第１ポートは、上記複数のポートのうちのいずれかであり、上記サブキャリアセットは、上記帯域幅の範囲内の上記複数のサブキャリアをグループ分けすることにより取得され、各サブキャリアセットは、上記サブキャリアグループにあり、かつ、上記第１ポートに対応する上記第１時間シンボルに対応する１つのサブキャリアを有し、
上記サブキャリアグループにあり、かつ、上記第１ポートに対応する上記第１時間シンボルに対応する各サブキャリアが属する上記サブキャリアセットの上記チャネルパラメータに基づいて、かつ、上記第１ポートに対応する上記他の時間シンボルのそれぞれに対応する上記サブキャリアが属する上記第１サブキャリアセットの上記チャネルパラメータに基づいて、上記第１サブキャリアセットを除く、上記第１ポートに対応する時間シンボルに対応するサブキャリアセットのそれぞれのチャネルパラメータを決定し、
上記第１ポートに対応する上記期間内の各時間シンボルに対応する各サブキャリアセットのチャネルパラメータに基づいて、上記第１ポートのチャネルパラメータを決定する
ように構成される、項目３７から４０のいずれか一項に記載の受信デバイス。
［項目４２］
上記第１サブキャリアセットを除く、上記第１ポートに対応する上記時間シンボルに対応する上記サブキャリアセットのそれぞれの上記チャネルパラメータを決定するとき、上記処理ユニットは、具体的には、
上記サブキャリアグループにあり、かつ、上記第１ポートに対応する上記第１時間シンボルに対応する各サブキャリアが属する上記サブキャリアセットの上記チャネルパラメータに基づいて、かつ、上記第１ポートに対応する第３時間シンボルに対応するサブキャリアが属する上記第１サブキャリアセットのチャネルパラメータに基づいて、上記第１ポートに対応する上記第３時間シンボルに対応する第２サブキャリアセットのチャネルパラメータを決定するように構成され、上記第３時間シンボルは、上記第１時間シンボル以外の上記期間内の任意の時間シンボルであり、上記第２サブキャリアセットは、上記第１サブキャリアセット以外のものであり、かつ、上記第３時間シンボルに対応する任意のサブキャリアセットであり、
上記第１ポートに対応する上記第３時間シンボルに対応する上記第２サブキャリアセットの上記チャネルパラメータを決定するとき、上記処理ユニットは、具体的には、
上記第１ポートに対応する上記第１時間シンボルに対応する上記第２サブキャリアセットのチャネルパラメータに、上記第１ポートに対応する上記第３時間シンボルに対応する上記第１サブキャリアセットの上記チャネルパラメータを乗算し、得られた乗算結果を、上記第１ポートに対応する上記第１時間シンボルに対応する上記第１サブキャリアセットのチャネルパラメータで除算して、上記第１ポートに対応する上記第３時間シンボルに対応する上記第２サブキャリアセットの上記チャネルパラメータを取得するように構成される、項目４０に記載の受信デバイス。
【国際調査報告】
2019519970.tif 000069
2019519970.tif 000070
2019519970.tif 000071
2019519970.tif 000072